(57)【特許請求の範囲】
【請求項１】
フレキシブル帯域幅キャリアにわたるシグナリングをサポートするための方法であって、
通常帯域幅キャリアにわたるシグナリングのためのシグナリングレートを識別することと、
少なくとも前記通常帯域幅キャリアにわたる前記シグナリングのための前記シグナリングレートまたは前記通常帯域幅キャリアにわたる前記シグナリングのための前記シグナリングレートの一部分を維持する前記フレキシブル帯域幅キャリアにわたるシグナリングのためのシグナリングレートを達成するのを容易にするために、前記フレキシブル帯域幅キャリアにわたる前記シグナリングのための時間ユニットを決定することと、
前記フレキシブル帯域幅キャリアにわたる前記シグナリングのための前記決定された時間ユニットを利用することと
を備える方法。
【請求項２】
前記通常帯域幅キャリアにわたる前記シグナリングは、前記通常帯域幅キャリアにわたるシグナリング無線ベアラ（ＳＲＢ）を備え、前記フレキシブル帯域幅キャリアにわたる前記シグナリングは、前記フレキシブル帯域幅キャリアにわたるＳＲＢを備え、前記通常帯域幅キャリアにわたる前記シグナリングのための前記シグナリングレートは、前記通常帯域幅キャリアにわたる前記ＳＲＢのためのＳＲＢレートを備え、前記フレキシブル帯域幅キャリアにわたる前記シグナリングのための前記シグナリングレートは、前記フレキシブル帯域幅キャリアにわたる前記ＳＲＢのためのＳＲＢレートを備える、
請求項１に記載の方法。
【請求項３】
前記時間ユニットは、送信時間間隔（ＴＴＩ）を備える、
請求項２に記載の方法。
【請求項４】
少なくとも前記通常帯域幅キャリアにわたる前記ＳＲＢのための前記ＳＲＢレートまたは前記通常帯域幅キャリアにわたる前記ＳＲＢのための前記シグナリングレートの一部分を維持する前記フレキシブル帯域幅キャリアにわたる前記ＳＲＢのための前記ＳＲＢレートを達成するのを容易にするために、前記フレキシブル帯域幅キャリアにわたる前記ＳＲＢのための前記ＴＴＩを決定することは、
少なくとも前記フレキシブル帯域幅キャリアのための帯域幅スケーリングファクタを識別することと、
前記フレキシブル帯域幅キャリアにわたる前記ＳＲＢのための前記ＴＴＩを決定するために、少なくとも前記帯域幅スケーリングファクタを利用することと
を備える、請求項３に記載の方法。
【請求項５】
少なくとも前記通常帯域幅キャリアにわたる前記ＳＲＢのための前記ＳＲＢレートまたは前記通常帯域幅キャリアにわたる前記ＳＲＢのための前記シグナリングレートの一部分を維持する前記フレキシブル帯域幅キャリアにわたる前記ＳＲＢのための前記ＳＲＢレートを達成するのを容易にするために、前記フレキシブル帯域幅キャリアにわたる前記ＳＲＢのための前記ＴＴＩを決定することは、
前記通常帯域幅キャリアにわたる前記ＳＲＢのためのＴＴＩを識別することと、
前記通常帯域幅キャリアにわたる前記ＳＲＢのための前記ＴＴＩに基づいて、前記フレキシブル帯域幅キャリアにわたる前記ＳＲＢのための前記ＴＴＩを決定するために、少なくとも前記フレキシブル帯域幅キャリアに関連する帯域幅スケーリングファクタを利用することと
を備える、請求項３に記載の方法。
【請求項６】
前記フレキシブル帯域幅キャリアにわたる前記ＳＲＢを搬送する物理チャネルの拡散ファクタを低減することをさらに備える、請求項３に記載の方法。
【請求項７】
前記フレキシブル帯域幅キャリアにわたる前記ＳＲＢを搬送する前記物理チャネルの前記拡散ファクタを低減することは、
前記フレキシブル帯域幅キャリアのための帯域幅スケーリングファクタで通常拡散ファクタを除算することを備え、前記通常拡散ファクタは、前記通常帯域幅キャリアにわたる前記ＳＲＢを搬送する前記物理チャネルの拡散ファクタを備える、
請求項６に記載の方法。
【請求項８】
同じ電力スペクトル密度を伴う通常帯域幅キャリアシステムに関して前記フレキシブル帯域幅キャリアにわたる前記ＳＲＢのための送信電力を増加させることをさらに備える、
請求項６に記載の方法。
【請求項９】
前記送信電力を増加させることは、少なくとも前記低減された拡散ファクタを補償する、
請求項８に記載の方法。
【請求項１０】
前記フレキシブル帯域幅キャリアのための前記帯域幅スケーリングファクタが、前記フレキシブル帯域幅キャリアのためのチップレートディバイダに等しい、
請求項４に記載の方法。
【請求項１１】
前記決定されたＴＴＩは、通常帯域幅キャリアシステムに関する有効なＴＴＩである、
請求項３に記載の方法。
【請求項１２】
前記フレキシブル帯域幅キャリアにわたる前記ＳＲＢのための前記ＳＲＢレートを維持するのを容易にするために、複数のトランスポートブロックを連結することをさらに備える、
請求項３に記載の方法。
【請求項１３】
前記複数の連結されたトランスポートブロックは、同じ論理チャネルからの２つ以上のトランスポートブロックを含む、
請求項１２に記載の方法。
【請求項１４】
前記複数の連結されたトランスポートブロックは、異なる論理チャネルからの少なくとも２つのトランスポートブロックを含む、
請求項１２に記載の方法。
【請求項１５】
前記通常帯域幅キャリアにわたる前記シグナリングのための前記シグナリングレートの前記一部分は、前記フレキシブル帯域幅キャリアのための帯域幅スケーリングファクタまたはチップレートディバイダに基づく拡張されたレートを上回る、
請求項１に記載の方法。
【請求項１６】
通常帯域幅キャリアにわたるシグナリングのためのシグナリングレートを識別するための手段と、
少なくとも前記通常帯域幅キャリアにわたる前記シグナリングのための前記シグナリングレートまたは前記通常帯域幅キャリアにわたる前記シグナリングのための前記シグナリングレートの一部分を維持するフレキシブル帯域幅キャリアにわたるシグナリングのためのシグナリングレートを達成するのを容易にするために、前記フレキシブル帯域幅キャリアにわたる前記シグナリングのための時間ユニットを決定するための手段と、
前記フレキシブル帯域幅キャリアにわたる前記シグナリングのための前記決定された時間ユニットを利用するための手段と
を備えるワイヤレス通信システム。
【請求項１７】
前記通常帯域幅キャリアにわたる前記シグナリングは、前記通常帯域幅キャリアにわたるシグナリング無線ベアラ（ＳＲＢ）を備え、前記フレキシブル帯域幅キャリアにわたる前記シグナリングは、前記フレキシブル帯域幅キャリアにわたるＳＲＢを備え、前記通常帯域幅キャリアにわたる前記シグナリングのための前記シグナリングレートは、前記通常帯域幅キャリアにわたる前記ＳＲＢのためのＳＲＢレートを備え、前記フレキシブル帯域幅キャリアにわたる前記シグナリングのための前記シグナリングレートは、前記フレキシブル帯域幅キャリアにわたる前記ＳＲＢのためのＳＲＢレートを備える、
請求項１６に記載のワイヤレス通信システム。
【請求項１８】
前記時間ユニットは、送信時間間隔（ＴＴＩ）を備える、
請求項１７に記載のワイヤレス通信システム。
【請求項１９】
少なくとも前記通常帯域幅キャリアにわたる前記ＳＲＢのための前記ＳＲＢレートまたは前記通常帯域幅キャリアにわたる前記ＳＲＢのための前記シグナリングレートの一部分を維持する前記フレキシブル帯域幅キャリアにわたる前記ＳＲＢの前記ＳＲＢレートを達成するのを容易にするために、前記フレキシブル帯域幅キャリアにわたる前記ＳＲＢのための前記ＴＴＩを決定するための前記手段は、
少なくとも前記フレキシブル帯域幅キャリアのための帯域幅スケーリングファクタを識別するための手段と、
前記フレキシブル帯域幅キャリアにわたる前記ＳＲＢのための前記ＴＴＩを決定するために、少なくとも前記帯域幅スケーリングファクタを利用するための手段と
を備える、請求項１８に記載のワイヤレス通信システム。
【請求項２０】
少なくとも前記通常帯域幅キャリアにわたる前記ＳＲＢのための前記ＳＲＢレートまたは前記通常帯域幅キャリアにわたる前記ＳＲＢのための前記シグナリングレートの一部分を維持する前記フレキシブル帯域幅キャリアにわたる前記ＳＲＢの前記ＳＲＢレートを達成するのを容易にするために、前記フレキシブル帯域幅キャリアにわたる前記ＳＲＢのための前記ＴＴＩを決定するための前記手段は、
前記通常帯域幅キャリアにわたる前記ＳＲＢのためのＴＴＩを識別するための手段と、
前記通常帯域幅キャリアにわたる前記ＳＲＢのための前記ＴＴＩに基づいて、前記フレキシブル帯域幅キャリアにわたる前記ＳＲＢのための前記ＴＴＩを決定するために、少なくとも前記フレキシブル帯域幅キャリアに関連する帯域幅スケーリングファクタを利用するための手段と
を備える、請求項１８に記載のワイヤレス通信システム。
【請求項２１】
前記フレキシブル帯域幅キャリアにわたる前記ＳＲＢを搬送する物理チャネルの拡散ファクタを低減するための手段をさらに備える、
請求項１８に記載のワイヤレス通信システム。
【請求項２２】
前記フレキシブル帯域幅キャリアにわたる前記ＳＲＢを搬送する前記物理チャネルの前記拡散ファクタを低減するための前記手段は、
前記フレキシブル帯域幅キャリアのための帯域幅スケーリングファクタで通常拡散ファクタを除算するための手段を備え、前記通常拡散ファクタは、前記通常帯域幅キャリアにわたる前記ＳＲＢを搬送する前記物理チャネルの拡散ファクタを備える、
請求項２１に記載のワイヤレス通信システム。
【請求項２３】
同じ電力スペクトル密度を伴う通常帯域幅キャリアシステムに関して前記フレキシブル帯域幅キャリアにわたる前記ＳＲＢのための送信電力を増加させるための手段をさらに備える、
請求項２１に記載のワイヤレス通信システム。
【請求項２４】
前記送信電力を増加させるための前記手段は、少なくとも前記低減された拡散ファクタを補償する、
請求項２３に記載のワイヤレス通信システム。
【請求項２５】
前記フレキシブル帯域幅キャリアのための前記帯域幅スケーリングファクタは、前記フレキシブル帯域幅キャリアのためのチップレートディバイダに等しい、
請求項１９に記載のワイヤレス通信システム。
【請求項２６】
前記決定されたＴＴＩは、通常帯域幅キャリアシステムに関する有効なＴＴＩである、
請求項１８に記載のワイヤレス通信システム。
【請求項２７】
前記フレキシブル帯域幅キャリアにわたる前記ＳＲＢのための前記ＳＲＢレートを維持するのを容易にするために、複数のトランスポートブロックを連結するための手段をさらに備える、
請求項１８に記載のワイヤレス通信システム。
【請求項２８】
前記複数の連結されたトランスポートブロックは、同じ論理チャネルからの２つ以上のトランスポートブロックを含む、
請求項２７に記載のワイヤレス通信システム。
【請求項２９】
前記複数の連結されたトランスポートブロックは、異なる論理チャネルからの少なくとも２つのトランスポートブロックを含む、
請求項２７に記載のワイヤレス通信システム。
【請求項３０】
前記通常帯域幅キャリアにわたる前記シグナリングのための前記シグナリングレートの前記一部分は、前記フレキシブル帯域幅キャリアのための帯域幅スケーリングファクタまたはチップレートディバイダに基づく拡張されたレートを上回る、
請求項１６に記載のワイヤレス通信システム。
【請求項３１】
ワイヤレス通信システムのためのコンピュータプログラムであって、
少なくとも１つのプロセッサによって実行可能なコードを備え、前記コードは、
通常帯域幅キャリアにわたるシグナリングのためのシグナリングレートを識別するためのコードと、
少なくとも前記通常帯域幅キャリアにわたる前記シグナリングのための前記シグナリングレートまたは前記通常帯域幅キャリアにわたる前記シグナリングのための前記シグナリングレートの一部分を維持するフレキシブル帯域幅キャリアにわたるシグナリングのためのシグナリングレートを達成するのを容易にするために、前記フレキシブル帯域幅キャリアにわたる前記シグナリングのための時間ユニットを決定するためのコードと、
前記フレキシブル帯域幅キャリアにわたる前記シグナリングのための前記決定された時間ユニットを利用するためのコードと
を備える、非一時的コンピュータ可読媒体を備える
コンピュータプログラム。
【請求項３２】
前記通常帯域幅キャリアにわたる前記シグナリングは、前記通常帯域幅キャリアにわたるシグナリング無線ベアラ（ＳＲＢ）を備え、前記フレキシブル帯域幅キャリアにわたる前記シグナリングは、前記フレキシブル帯域幅キャリアにわたるＳＲＢを備え、前記通常帯域幅キャリアにわたる前記シグナリングのための前記シグナリングレートは、前記通常帯域幅キャリアにわたる前記ＳＲＢのためのＳＲＢレートを備え、前記フレキシブル帯域幅キャリアにわたる前記シグナリングのための前記シグナリングレートは、前記フレキシブル帯域幅キャリアにわたる前記ＳＲＢのためのＳＲＢレートを備える、
請求項３１に記載のコンピュータプログラム。
【請求項３３】
前記時間ユニットは送信時間間隔（ＴＴＩ）である、
請求項３２に記載のコンピュータプログラム。
【請求項３４】
少なくとも前記通常帯域幅キャリアにわたる前記ＳＲＢのための前記ＳＲＢレートまたは前記通常帯域幅キャリアにわたる前記ＳＲＢのための前記シグナリングレートの一部分を維持する前記フレキシブル帯域幅キャリアにわたる前記ＳＲＢの前記ＳＲＢレートを容達成するのを易にするために、前記フレキシブル帯域幅キャリアにわたる前記ＳＲＢのための前記ＴＴＩを決定するための前記コードは、
少なくとも前記フレキシブル帯域幅キャリアのための帯域幅スケーリングファクタを識別するためのコードと、
前記フレキシブル帯域幅キャリアにわたる前記ＳＲＢのための前記ＴＴＩを決定するために、少なくとも前記帯域幅スケーリングファクタを利用するためのコードと
を備える、請求項３３に記載のコンピュータプログラム。
【請求項３５】
少なくとも前記通常帯域幅キャリアにわたる前記ＳＲＢのための前記ＳＲＢレートまたは前記通常帯域幅キャリアにわたる前記ＳＲＢのための前記シグナリングレートの一部分を維持する前記フレキシブル帯域幅キャリアにわたる前記ＳＲＢの前記ＳＲＢレートを達成するのを容易にするために、前記フレキシブル帯域幅キャリアにわたる前記ＳＲＢのための前記ＴＴＩを決定するための前記コードは、
前記通常帯域幅キャリアにわたる前記ＳＲＢのためのＴＴＩを識別するためのコードと、
前記通常帯域幅キャリアにわたる前記ＳＲＢのための前記ＴＴＩに基づいて、前記フレキシブル帯域幅キャリアにわたる前記ＳＲＢのための前記ＴＴＩを決定するために、少なくとも前記フレキシブル帯域幅キャリアに関連する帯域幅スケーリングファクタを利用するためのコードと
を備える、請求項３３に記載のコンピュータプログラム。
【請求項３６】
前記少なくとも１つのプロセッサによって実行可能な前記コードは、
前記フレキシブル帯域幅キャリアにわたる前記ＳＲＢを搬送する物理チャネルの拡散ファクタを低減するためのコードをさらに備える、
請求項３３に記載のコンピュータプログラム。
【請求項３７】
前記フレキシブル帯域幅キャリアにわたる前記ＳＲＢを搬送する前記物理チャネルの前記拡散ファクタを低減するための前記コードは、
前記フレキシブル帯域幅キャリアのための帯域幅スケーリングファクタで通常拡散ファクタを除算するためのコードを備え、前記通常拡散ファクタが、前記通常帯域幅キャリアにわたる前記ＳＲＢを搬送する前記物理チャネルの拡散ファクタを備える、
請求項３６に記載のコンピュータプログラム。
【請求項３８】
前記少なくとも１つのプロセッサによって実行可能な前記コードは、
同じ電力スペクトル密度を伴う通常帯域幅キャリアシステムに関して前記フレキシブル帯域幅キャリアにわたる前記ＳＲＢのための送信電力を増加させるためのコードをさらに備える、
請求項３７に記載のコンピュータプログラム。
【請求項３９】
前記送信電力を増加させることは、少なくとも前記低減された拡散ファクタを補償する、
請求項３８に記載のコンピュータプログラム。
【請求項４０】
前記フレキシブル帯域幅キャリアのための前記帯域幅スケーリングファクタは、前記フレキシブル帯域幅キャリアのためのチップレートディバイダに等しい、
請求項３４に記載のコンピュータプログラム。
【請求項４１】
前記決定されたＴＴＩは、通常帯域幅キャリアシステムに関する有効なＴＴＩである、
請求項３３に記載のコンピュータプログラム。
【請求項４２】
前記少なくとも１つのプロセッサによって実行可能な前記コードは、
前記フレキシブル帯域幅キャリアにわたる前記ＳＲＢのための前記ＳＲＢレートを維持するのを容易にするために、複数のトランスポートブロックを連結するためのコードをさらに備える、
請求項３３に記載のコンピュータプログラム。
【請求項４３】
前記複数の連結されたトランスポートブロックは、同じ論理チャネルからの２つ以上のトランスポートブロックを含む、
請求項４２に記載のコンピュータプログラム。
【請求項４４】
前記複数の連結されたトランスポートブロックは、異なる論理チャネルからの少なくとも２つのトランスポートブロックを含む、
請求項４２に記載のコンピュータプログラム。
【請求項４５】
前記通常帯域幅キャリアにわたる前記シグナリングのための前記シグナリングレートの前記一部分は、前記フレキシブル帯域幅キャリアのための帯域幅スケーリングファクタまたはチップレートディバイダに基づく拡張されたレートを上回る、
請求項３１に記載のコンピュータプログラム。
【請求項４６】
通常帯域幅キャリアにわたるシグナリングのためのシグナリングレートを識別し、
少なくとも前記通常帯域幅キャリアにわたる前記シグナリングのための前記シグナリングレートまたは前記通常帯域幅キャリアにわたる前記シグナリングのための前記シグナリングレートの一部分を維持するフレキシブル帯域幅キャリアにわたるシグナリングのためのシグナリングレートを達成するのを容易にするために、前記フレキシブル帯域幅キャリアにわたる前記シグナリングのための時間ユニットを決定し、
前記フレキシブル帯域幅キャリアにわたる前記シグナリングのための前記決定された時間ユニットを利用する
ように構成された少なくとも１つのプロセッサと、
前記少なくとも１つのプロセッサに結合された少なくとも１つのメモリと
を備えるワイヤレス通信デバイス。
【請求項４７】
前記通常帯域幅キャリアにわたる前記シグナリングは、前記通常帯域幅キャリアにわたるシグナリング無線ベアラ（ＳＲＢ）を備え、前記フレキシブル帯域幅キャリアにわたる前記シグナリングは、前記フレキシブル帯域幅キャリアにわたるＳＲＢを備え、前記通常帯域幅キャリアにわたる前記シグナリングのための前記シグナリングレートは、前記通常帯域幅キャリアにわたる前記ＳＲＢのためのＳＲＢレートを備え、前記フレキシブル帯域幅キャリアにわたる前記シグナリングのための前記シグナリングレートは、前記フレキシブル帯域幅キャリアにわたる前記ＳＲＢのためのＳＲＢレートを備える、
請求項４６に記載のワイヤレス通信デバイス。
【請求項４８】
前記時間ユニットは、送信時間間隔（ＴＴＩ）である、
請求項４７に記載のワイヤレス通信デバイス。
【請求項４９】
少なくとも前記通常帯域幅キャリアにわたる前記ＳＲＢのための前記ＳＲＢレートまたは前記通常帯域幅キャリアにわたる前記ＳＲＢのための前記シグナリングレートの一部分を維持する前記フレキシブル帯域幅キャリアにわたる前記ＳＲＢの前記ＳＲＢレートを達成するのを容易にするために、前記フレキシブル帯域幅キャリアにわたる前記ＳＲＢのための前記ＴＴＩを決定するように構成された前記少なくとも１つのプロセッサは、
少なくとも前記フレキシブル帯域幅キャリアのための帯域幅スケーリングファクタを識別し、
前記フレキシブル帯域幅キャリアにわたる前記ＳＲＢのための前記ＴＴＩを決定するために、少なくとも前記帯域幅スケーリングファクタを利用する
ように構成された、請求項４８に記載のワイヤレス通信デバイス。
【請求項５０】
少なくとも前記通常帯域幅キャリアにわたる前記ＳＲＢのための前記ＳＲＢレートまたは前記通常帯域幅キャリアにわたる前記ＳＲＢのための前記シグナリングレートの一部分を維持する前記フレキシブル帯域幅キャリアにわたる前記ＳＲＢの前記ＳＲＢレートを達成するのを容易にするために、前記フレキシブル帯域幅キャリアにわたる前記ＳＲＢのための前記ＴＴＩを決定するように構成された前記少なくとも１つのプロセッサは、
前記通常帯域幅キャリアにわたる前記ＳＲＢのためのＴＴＩを識別し、
前記通常帯域幅キャリアにわたる前記ＳＲＢのための前記ＴＴＩに基づいて、前記フレキシブル帯域幅キャリアにわたる前記ＳＲＢのための前記ＴＴＩを決定するために、少なくとも前記フレキシブル帯域幅キャリアに関連する帯域幅スケーリングファクタを利用する
ように構成された、請求項４８に記載のワイヤレス通信デバイス。
【請求項５１】
前記少なくとも１つのプロセッサは、
前記フレキシブル帯域幅キャリアにわたる前記ＳＲＢを搬送する物理チャネルの拡散ファクタを低減するようにさらに構成された、
請求項４８に記載のワイヤレス通信デバイス。
【請求項５２】
前記フレキシブル帯域幅キャリアにわたる前記ＳＲＢを搬送する前記物理チャネルの前記拡散ファクタを低減するように構成された前記少なくとも１つのプロセッサは、
前記フレキシブル帯域幅キャリアのための帯域幅スケーリングファクタで通常拡散ファクタを除算するように構成され、前記通常拡散ファクタは、前記通常帯域幅キャリアにわたる前記ＳＲＢを搬送する前記物理チャネルの拡散ファクタを備える、
請求項５１に記載のワイヤレス通信デバイス。
【請求項５３】
前記少なくとも１つのプロセッサは、
同じ電力スペクトル密度を伴う通常帯域幅キャリアシステムに関して前記フレキシブル帯域幅キャリアにわたる前記ＳＲＢのための送信電力を増加させるようにさらに構成された、
請求項５２に記載のワイヤレス通信デバイス。
【請求項５４】
前記送信電力を増加させるように構成された前記少なくとも１つのプロセッサは、少なくとも前記低減された拡散ファクタを補償する、
請求項５３に記載のワイヤレス通信デバイス。
【請求項５５】
前記フレキシブル帯域幅キャリアのための前記帯域幅スケーリングファクタは、前記フレキシブル帯域幅キャリアのためのチップレートディバイダに等しい、
請求項４９に記載のワイヤレス通信デバイス。
【請求項５６】
前記決定されたＴＴＩは、通常帯域幅キャリアシステムに関する有効なＴＴＩである、
請求項４８に記載のワイヤレス通信デバイス。
【請求項５７】
前記少なくとも１つのプロセッサは、
前記フレキシブル帯域幅キャリアにわたる前記ＳＲＢのための前記ＳＲＢレートを維持するのを容易にするために、複数のトランスポートブロックを連結するようにさらに構成される、
請求項４８に記載のワイヤレス通信デバイス。
【請求項５８】
前記複数の連結されたトランスポートブロックは、同じ論理チャネルからの２つ以上のトランスポートブロックを含む、
請求項５７に記載のワイヤレス通信デバイス。
【請求項５９】
前記複数の連結されたトランスポートブロックは、異なる論理チャネルからの少なくとも２つのトランスポートブロックを含む、
請求項５７に記載のワイヤレス通信デバイス。
【請求項６０】
前記通常帯域幅キャリアにわたる前記シグナリングのための前記シグナリングレートの前記一部分は、前記フレキシブル帯域幅キャリアのための帯域幅スケーリングファクタまたはチップレートディバイダに基づく拡張されたレートを上回る、
請求項４６に記載のワイヤレス通信デバイス。
【発明の詳細な説明】
【関連出願】
【０００１】
[0001]本特許出願は、本出願の譲受人に譲渡され、すべての目的のために参照により本明細書に明確に組み込まれる、２０１２年１０月１５日に出願された「SUPPORT FOR SIGNALING RADIO BEARER OVER FLEXIBLE BANDWIDTH CARRIER」と題する仮出願第６１／７１４，０９６号の優先権を主張する。
【背景技術】
【０００２】
[0002]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ：Long Term Evolution）システム、および直交周波数分割多元接続（ＯＦＤＭＡ）システムがある。
【０００３】
[0003]サービスプロバイダは、一般に、いくつかの地理的領域において排他的に使用するための周波数スペクトルのブロックを割り振られる。周波数のこれらのブロックは、概して、複数のアクセス技術が使用されていることにかかわらず調整器によって割り当てられる。たいていの場合、これらのブロックは、チャネル帯域幅の整数倍でなく、したがって、スペクトルの利用されない部分があり得る。ワイヤレスデバイスの使用が増加するにつれて、概して、このスペクトルに対する需要とこのスペクトルの値とが同様に急増した。とはいえ、場合によっては、ワイヤレス通信システムは、割り当てられたスペクトルの部分が標準波形または通常波形を適合させるのに十分大きくないので、その部分を利用しないことがある。ＬＴＥ規格の開発者は、たとえば、その問題を認識し、多くの異なるシステム帯域幅（たとえば、１．４、３、５、１０、１５および２０ＭＨｚ）をサポートすることを判定した。別のアプローチとして、通常波形に適合しない可能性のあるスペクトルの部分を利用するワイヤレス通信システムを伴い得るフレキシブル帯域幅キャリアシステムを利用することが挙げられる。しかしながら、フレキシブル帯域幅を利用することは、スロット持続時間、フレーム持続時間、サブフレーム持続時間、無線フレーム持続時間、および／または送信時間間隔を拡張することを含め、様々な影響を生じさせることがあり、それはデータレートに影響を及ぼすことや、遅延を導入することがある。
【発明の概要】
【０００４】
[0004]フレキシブル帯域幅キャリアにわたるシグナリングをサポートする方法、システム、およびデバイスが提供される。いくつかの実施形態は、通常帯域幅キャリアに対する低減されたシグナリングレートを生じさせ得る、フレキシブル帯域幅キャリアシステムにおけるタイムスケーリングに起因する追加の遅延など、フレキシブル帯域幅キャリアシステムの使用を通じて導入され得る問題に対処する。いくつかの実施形態は、たとえば、オーバージエアでのシグナリングメッセージの送信時間を増加させて、シグナリングプロシージャの遅延に影響を与え得る低減されたシグナリングレートをフレキシブル帯域幅キャリアシステムが通常生じさせ得る場合に、シグナリングレートを維持するツールと技法とを提供する。これらのツールおよび技法は、限定はしないが、一般にシグナリング無線ベアラ（ＳＲＢ）、制御チャネル、制御メッセージング、ブロードキャストチャネル、および／またはブロードキャストメッセージを含む様々なシグナリングに適用可能であり得る。さらに、これらの方法、システム、およびデバイスは、いくつかの通常帯域幅キャリアシステムに利用されることもある。
【０００５】
[0005]フレキシブル帯域幅キャリアにわたるシグナリングをサポートするための方法、システム、およびデバイスが提供される。通常帯域幅キャリアにわたるＳＲＢなどのシグナリングのためのシグナリングレートが識別され得る。少なくとも通常帯域幅キャリアにわたるシグナリングのためのシグナリングレートまたは通常帯域幅キャリアにわたるシグナリングのためのシグナリングレートの一部分を維持するフレキシブル帯域幅キャリアにわたるシグナリングのシグナリングレートを容易にする、フレキシブル帯域幅キャリアにわたるシグナリングのための送信時間間隔（ＴＴＩ）などの時間ユニットが識別され得る。通常帯域幅キャリアにわたるシグナリングのためのシグナリングレートの一部分は、フレキシブル帯域幅キャリアシステムのための帯域幅スケーリングファクタまたはチップレートディバイダに基づく拡張されたレートを上回ることがある。決定された時間ユニットは、フレキシブル帯域幅キャリアにわたるシグナリングに利用され得る。
【０００６】
[0006]たとえば、フレキシブル帯域幅キャリアにわたるＳＲＢのためのＳＲＢレートをサポートする方法、システム、および／またはデバイスは、通常帯域幅キャリアにわたるＳＲＢのためのＳＲＢレートを識別することを含み得る。少なくとも通常帯域幅キャリアにわたるＳＲＢのためのＳＲＢレートまたは通常帯域幅キャリアにわたるＳＲＢの一部分を維持するフレキシブル帯域幅キャリアにわたるＳＲＢのＳＲＢレートを容易にする、フレキシブル帯域幅キャリアにわたるＳＲＢのためのＴＴＩが決定され得る。場合によっては、フレキシブル帯域幅キャリアにわたるＳＲＢを搬送する物理チャネルの拡散ファクタが、同じＳＲＢレートｐを維持するのを支援するために利用され得る。決定されたＴＴＩは、フレキシブル帯域幅キャリアにわたるＳＲＢに利用されることがあり、これは、フレキシブル帯域幅キャリアシステムにおいて導入され得る呼セットアップ遅延の増大、ハンドオーバのためのレイテンシの増大などを回避するのを支援し得る。決定されたＴＴＩは、通常帯域幅キャリアシステムにおける有効なＴＴＩおよび／または有効なＴＴＩの計数であり得る。決定されたＴＴＩは、フレキシブル帯域幅キャリアにわたるＳＲＢがマッピングされるトランスポートチャネルのためのものであり得る。いくつかの実施形態は、フレキシブル帯域幅キャリアにわたるＳＲＢに関して送信電力を増大させること、および／または複数のトランスポートブロックを連結することを含み得る。同様の技法が一般に制御チャネルおよび／またはブロードキャストチャネルで適用され得る。
【０００７】
[0007]フレキシブル帯域幅キャリアシステムは、フレキシブル波形を利用する、通常波形を適合させるのに十分大きくないことがあるスペクトルの部分を利用し得るワイヤレス通信システムに関与し得る。フレキシブル帯域幅キャリアシステムは、通常帯域幅キャリアシステムに対するフレキシブル帯域幅キャリアシステムの時間またはチップレートを拡張（またはスケールダウン）することを通じて、通常帯域幅キャリアシステムに関して生成され得る。いくつかの実施形態では、フレキシブル帯域幅キャリアシステムは、フレーム長を拡張すること、または通常帯域幅キャリアシステムに関してフレキシブル帯域幅キャリアシステムの帯域幅をスケールダウンすることを通じて、通常帯域幅キャリアシステムに関して生成され得る。いくつかの実施形態は、フレキシブル帯域幅キャリアシステムの時間またはチップレートを伸長すること、またはスケールアップすることを通じて、フレキシブル波形の帯域幅を増やす。いくつかの実施形態は、フレーム長を減らすこと、またはフレキシブル帯域幅キャリアシステムの帯域幅をスケールアップすることを通じて、フレキシブル波形の帯域幅を増やす。いくつかの実施形態は、フレキシブル帯域幅キャリアシステムを容易にするために帯域幅スケーリングファクタまたはチップレートディバイダを利用することができる。帯域幅スケーリングファクタおよびチップレートディバイダは、互いに数値的に等しくなり得る。
【０００８】
[0008]いくつかの実施形態は、フレキシブル帯域幅キャリアにわたるシグナリングをサポートするための方法を含む。本方法は、通常帯域幅キャリアにわたるシグナリングのためのシグナリングレートを識別すること、少なくとも通常帯域幅キャリアにわたるシグナリングのためのシグナリングレートもしくは通常帯域幅キャリアにわたるシグナリングのためのシグナリングレートの一部分を維持するフレキシブル帯域幅キャリアにわたるシグナリングのためのシグナリングレートを容易にする、フレキシブル帯域幅キャリアにわたるシグナリングのための時間ユニットを決定すること、および／または決定された時間ユニットをフレキシブル帯域幅キャリアにわたるシグナリングに利用することを含み得る。
【０００９】
[0009]いくつかの実施形態では、通常帯域幅キャリアにわたるシグナリングは、通常帯域幅キャリアにわたるシグナリング無線ベアラ（ＳＲＢ）を含み、フレキシブル帯域幅キャリアにわたるシグナリングは、フレキシブル帯域幅キャリアにわたるＳＲＢを含み、通常帯域幅キャリアにわたるシグナリングのためのシグナリングレートは、通常帯域幅キャリアにわたるＳＲＢのためのＳＲＢレートを含み、かつ／またはフレキシブル帯域幅キャリアにわたるシグナリングのためのシグナリングレートは、フレキシブル帯域幅キャリアにわたるＳＲＢのためのＳＲＢレートを含む。いくつかの実施形態では、時間ユニットは送信時間間隔（ＴＴＩ）を含む。
【００１０】
[0010]いくつかの実施形態は、少なくとも通常帯域幅キャリアにわたるＳＲＢのためのＳＲＢレートまたは通常帯域幅キャリアにわたるＳＲＢのためのシグナリングレートの一部分を維持するフレキシブル帯域幅キャリアにわたるＳＲＢのためのＳＲＢレートを容易にする、フレキシブル帯域幅キャリアにわたるＳＲＢのためのＴＴＩを決定することを含み、これは、少なくともフレキシブル帯域幅キャリアのための帯域幅スケーリングファクタを識別すること、および／またはフレキシブル帯域幅キャリアにわたるＳＲＢのためのＴＴＩを決定するために、少なくとも帯域幅スケーリングファクタを利用することを含み得る。少なくとも通常帯域幅キャリアにわたるＳＲＢのためのＳＲＢレートまたは通常帯域幅キャリアにわたるＳＲＢのためのシグナリングレートの一部分を維持するフレキシブル帯域幅キャリアにわたるＳＲＢのためのＳＲＢレートを容易にするために、フレキシブル帯域幅キャリアにわたるＳＲＢのためのＴＴＩを決定することは、通常帯域幅キャリアにわたるＳＲＢのためのＴＴＩを識別すること、および／または通常帯域幅キャリアにわたるＳＲＢのためのＴＴＩに基づいて、フレキシブル帯域幅キャリアにわたるＳＲＢのためのＴＴＩを決定するために、少なくともフレキシブル帯域幅キャリアに関連する帯域幅スケーリングファクタを利用することを含み得る。
【００１１】
[0011]いくつかの実施形態は、フレキシブル帯域幅キャリアにわたるＳＲＢを搬送する物理チャネルの拡散ファクタを低減することを含む。フレキシブル帯域幅キャリアにわたるＳＲＢを搬送する物理チャネルの拡散ファクタを低減することは、フレキシブル帯域幅キャリアのための帯域幅スケーリングファクタで通常拡散ファクタを除算することを含むことができ、ここで通常拡散ファクタは、通常帯域幅キャリアにわたるＳＲＢを搬送する物理チャネルの拡散ファクタを含む。いくつかの実施形態は、同じ電力スペクトル密度を伴う通常帯域幅キャリアシステムに関してフレキシブル帯域幅キャリアにわたるＳＲＢのための送信電力を増加させることを含む。送信電力を増加させることは、少なくとも低減された拡散ファクタを補償することができる。
【００１２】
[0012]いくつかの実施形態では、フレキシブル帯域幅キャリアのための帯域幅スケーリングファクタは、フレキシブル帯域幅キャリアのためのチップレートディバイダに等しい。決定されたＴＴＩは、通常帯域幅キャリアシステムに関する有効なＴＴＩを含み得る。
【００１３】
[0013]いくつかの実施形態は、フレキシブル帯域幅キャリアにわたるＳＲＢのためのＳＲＢレートを維持するのを容易にするために、複数のトランスポートブロックを連結することを含む。複数の連結されたトランスポートブロックは、同じ論理チャネルからの２つ以上のトランスポートブロックを含むことができる。複数の連結されたトランスポートブロックは、異なる論理チャネルからの少なくとも２つのトランスポートブロックを含むことができる。
【００１４】
[0014]いくつかの実施形態では、通常帯域幅キャリアにわたるシグナリングのためのシグナリングレートの一部分は、フレキシブル帯域幅キャリアのための帯域幅スケーリングファクタまたはチップレートディバイダに基づく拡張されたレートを上回る。
【００１５】
[0015]いくつかの実施形態は、ワイヤレス通信システムを含み、本ワイヤレス通信システムは、通常帯域幅キャリアにわたるシグナリングのためのシグナリングレートを識別するための手段、少なくとも通常帯域幅キャリアにわたるシグナリングのためのシグナリングレートもしくは通常帯域幅キャリアにわたるシグナリングのためのシグナリングレートの一部分を維持するフレキシブル帯域幅キャリアにわたるシグナリングのためのシグナリングレートを容易にするために、フレキシブル帯域幅キャリアにわたるシグナリングのための時間ユニットを決定するための手段、および／または決定された時間ユニットをフレキシブル帯域幅キャリアにわたるシグナリングに利用するための手段を含み得る。
【００１６】
[0016]本システムのいくつかの実施形態では、通常帯域幅キャリアにわたるシグナリングは、通常帯域幅キャリアにわたるシグナリング無線ベアラ（ＳＲＢ）を含み、フレキシブル帯域幅キャリアにわたるシグナリングは、フレキシブル帯域幅キャリアにわたるＳＲＢを含み、通常帯域幅キャリアにわたるシグナリングのためのシグナリングレートは、通常帯域幅キャリアにわたるＳＲＢのためのＳＲＢレートを含み、かつ／またはフレキシブル帯域幅キャリアにわたるシグナリングのためのシグナリングレートは、フレキシブル帯域幅キャリアにわたるＳＲＢのためのＳＲＢレートを含む。時間ユニットは送信時間間隔（ＴＴＩ）を含むことができる。
【００１７】
[0017]いくつかの実施形態は、少なくとも通常帯域幅キャリアにわたるＳＲＢのためのＳＲＢレートまたは通常帯域幅キャリアにわたるＳＲＢのためのシグナリングレートの一部分を維持するフレキシブル帯域幅キャリアにわたるＳＲＢのＳＲＢレートを容易にするために、フレキシブル帯域幅キャリアにわたるＳＲＢのためのＴＴＩを決定するための手段を含み、この手段は、少なくともフレキシブル帯域幅キャリアのための帯域幅スケーリングファクタを識別するための手段、および／またはフレキシブル帯域幅キャリアにわたるＳＲＢのためのＴＴＩを決定するために、少なくとも帯域幅スケーリングファクタを利用するための手段を含み得る。少なくとも通常帯域幅キャリアにわたるＳＲＢのためのＳＲＢレートまたは通常帯域幅キャリアにわたるＳＲＢのためのシグナリングレートの一部分を維持するフレキシブル帯域幅キャリアにわたるＳＲＢのＳＲＢレートを容易にするために、フレキシブル帯域幅キャリアにわたるＳＲＢのためのＴＴＩを決定するための手段は、通常帯域幅キャリアにわたるＳＲＢのためのＴＴＩを識別するための手段、および／または通常帯域幅キャリアにわたるＳＲＢのためのＴＴＩに基づいて、フレキシブル帯域幅キャリアにわたるＳＲＢのためのＴＴＩを決定するために、少なくともフレキシブル帯域幅キャリアに関連する帯域幅スケーリングファクタを利用するための手段を含み得る。
【００１８】
[0018]いくつかの実施形態は、フレキシブル帯域幅キャリアにわたるＳＲＢを搬送する物理チャネルの拡散ファクタを低減するための手段を含む。フレキシブル帯域幅キャリアにわたるＳＲＢを搬送する物理チャネルの拡散ファクタを低減するための手段は、フレキシブル帯域幅キャリアのための帯域幅スケーリングファクタで通常拡散ファクタを除算するための手段を含むことができ、ここにおいて通常拡散ファクタは、通常帯域幅キャリアにわたるＳＲＢを搬送する物理チャネルの拡散ファクタを備える。いくつかの実施形態は、同じ電力スペクトル密度を伴う通常帯域幅キャリアシステムに関してフレキシブル帯域幅キャリアにわたるＳＲＢのための送信電力を増加させるための手段を含む。送信電力を増加させるための手段は、少なくとも低減された拡散ファクタを補償することができる。
【００１９】
[0019]いくつかの実施形態では、フレキシブル帯域幅キャリアのための帯域幅スケーリングファクタは、フレキシブル帯域幅キャリアのためのチップレートディバイダに等しい。決定されたＴＴＩは、通常帯域幅キャリアシステムに関する有効なＴＴＩを含み得る。
【００２０】
[0020]いくつかの実施形態は、フレキシブル帯域幅キャリアにわたるＳＲＢのためのＳＲＢレートを維持するのを容易にするために、複数のトランスポートブロックを連結するための手段を含む。複数の連結されたトランスポートブロックは、同じ論理チャネルからの２つ以上のトランスポートブロックを含むことができる。複数の連結されたトランスポートブロックは、異なる論理チャネルからの少なくとも２つのトランスポートブロックを含むことができる。通常帯域幅キャリアにわたるシグナリングのためのシグナリングレートの一部分は、フレキシブル帯域幅キャリアのための帯域幅スケーリングファクタまたはチップレートディバイダに基づく拡張されたレートを上回ることがある。
【００２１】
[0021]いくつかの実施形態は、非一時的コンピュータ可読媒体を含み得るワイヤレス通信システムのためのコンピュータプログラム製品を含み、非一時的コンピュータ可読媒体は、通常帯域幅キャリアにわたるシグナリングのためのシグナリングレートを識別するためのコード、少なくとも通常帯域幅キャリアにわたるシグナリングのためのシグナリングレートもしくは通常帯域幅キャリアにわたるシグナリングのためのシグナリングレートの一部分を維持するフレキシブル帯域幅キャリアにわたるシグナリングのためのシグナリングレートを容易にするために、フレキシブル帯域幅キャリアにわたるシグナリングのための時間ユニットを決定するためのコード、および／または決定された時間ユニットをフレキシブル帯域幅キャリアにわたるシグナリングに利用するためのコードを含み得る。
【００２２】
[0022]通常帯域幅キャリアにわたるシグナリングは、通常帯域幅キャリアにわたるシグナリング無線ベアラ（ＳＲＢ）を含むことができ、フレキシブル帯域幅キャリアにわたるシグナリングは、フレキシブル帯域幅キャリアにわたるＳＲＢを含むことができ、通常帯域幅キャリアにわたるシグナリングのためのシグナリングレートは、通常帯域幅キャリアにわたるＳＲＢのためのＳＲＢレートを含むことができ、かつ／またはフレキシブル帯域幅キャリアにわたるシグナリングのためのシグナリングレートは、フレキシブル帯域幅キャリアにわたるＳＲＢのためのＳＲＢレートを含むことができる。いくつかの実施形態では、時間ユニットは送信時間間隔（ＴＴＩ）を含むことができる。
【００２３】
[0023]少なくとも通常帯域幅キャリアにわたるＳＲＢのためのＳＲＢレートまたは通常帯域幅キャリアにわたるＳＲＢのためのシグナリングレートの一部分を維持するフレキシブル帯域幅キャリアにわたるＳＲＢのＳＲＢレートを容易にする、フレキシブル帯域幅キャリアにわたるＳＲＢのためのＴＴＩを決定するためのコードは、少なくともフレキシブル帯域幅キャリアのための帯域幅スケーリングファクタを識別するためのコード、および／またはフレキシブル帯域幅キャリアにわたるＳＲＢのためのＴＴＩを決定するために、少なくとも帯域幅スケーリングファクタを利用するためのコードを含み得る。少なくとも通常帯域幅キャリアにわたるＳＲＢのためのＳＲＢレートまたは通常帯域幅キャリアにわたるＳＲＢのためのシグナリングレートの一部分を維持するフレキシブル帯域幅キャリアにわたるＳＲＢのＳＲＢレートを容易にするために、フレキシブル帯域幅キャリアにわたるＳＲＢのためのＴＴＩを決定するためのコードは、通常帯域幅キャリアにわたるＳＲＢのためのＴＴＩを識別するためのコード、および／または通常帯域幅キャリアにわたるＳＲＢのためのＴＴＩに基づいて、フレキシブル帯域幅キャリアにわたるＳＲＢのためのＴＴＩを決定するために、少なくともフレキシブル帯域幅キャリアに関連する帯域幅スケーリングファクタを利用するためのコードを含み得る。
【００２４】
[0024]非一時的コンピュータ可読媒体はさらに、フレキシブル帯域幅キャリアにわたるＳＲＢを搬送する物理チャネルの拡散ファクタを低減するためのコードを含むことができる。フレキシブル帯域幅キャリアにわたるＳＲＢを搬送する物理チャネルの拡散ファクタを低減するためのコードは、フレキシブル帯域幅キャリアのための帯域幅スケーリングファクタで通常拡散ファクタを除算するためのコードを含むことができ、ここにおいて通常拡散ファクタは、通常帯域幅キャリアにわたるＳＲＢを搬送する物理チャネルの拡散ファクタを備える。非一時的コンピュータ可読媒体はさらに、同じ電力スペクトル密度を伴う通常帯域幅キャリアシステムに関してフレキシブル帯域幅キャリアにわたるＳＲＢのための送信電力を増加させるためのコードを含むことができる。
【００２５】
[0025]いくつかの実施形態では、送信電力を増加させることは、少なくとも低減された拡散ファクタを補償する。いくつかの実施形態では、フレキシブル帯域幅キャリアのための帯域幅スケーリングファクタは、フレキシブル帯域幅キャリアのためのチップレートディバイダに等しい。いくつかの実施形態では、決定されたＴＴＩは、通常帯域幅キャリアシステムに関する有効なＴＴＩである。
【００２６】
[0026]非一時的コンピュータ可読媒体はさらに、フレキシブル帯域幅キャリアにわたるＳＲＢのためのＳＲＢレートを維持するのを容易にするために、複数のトランスポートブロックを連結するためのコードを含むことができる。複数の連結されたトランスポートブロックは、同じ論理チャネルからの２つ以上のトランスポートブロックを含むことができる。複数の連結されたトランスポートブロックは、異なる論理チャネルからの少なくとも２つのトランスポートブロックを含むことができる。いくつかの実施形態では、通常帯域幅キャリアにわたるシグナリングのためのシグナリングレートの一部分は、フレキシブル帯域幅キャリアのための帯域幅スケーリングファクタまたはチップレートディバイダに基づく拡張されたレートを上回る。
【００２７】
[0027]いくつかの実施形態は、ワイヤレス通信デバイスを含み、ワイヤレス通信デバイスは、通常帯域幅キャリアにわたるシグナリングのためのシグナリングレートを識別し、少なくとも通常帯域幅キャリアにわたるシグナリングのためのシグナリングレートもしくは通常帯域幅キャリアにわたるシグナリングのためのシグナリングレートの一部分を維持するフレキシブル帯域幅キャリアにわたるシグナリングのためのシグナリングレートを容易にする、フレキシブル帯域幅キャリアにわたるシグナリングのための時間ユニットを決定し、かつ／または決定された時間ユニットをフレキシブル帯域幅キャリアにわたるシグナリングに利用するように構成され得る少なくとも１つのプロセッサを含み得る。本デバイスは、少なくとも１つのプロセッサに結合された少なくとも１つのメモリも含み得る。
【００２８】
[0028]ワイヤレス通信デバイスのいくつかの実施形態では、通常帯域幅キャリアにわたるシグナリングは、通常帯域幅キャリアにわたるシグナリング無線ベアラ（ＳＲＢ）を含み、フレキシブル帯域幅キャリアにわたるシグナリングは、フレキシブル帯域幅キャリアにわたるＳＲＢを含み、通常帯域幅キャリアにわたるシグナリングのためのシグナリングレートは、通常帯域幅キャリアにわたるＳＲＢのためのＳＲＢレートを含み、かつ／またはフレキシブル帯域幅キャリアにわたるシグナリングのためのシグナリングレートは、フレキシブル帯域幅キャリアにわたるＳＲＢのためのＳＲＢレートを含む。いくつかの実施形態では、時間ユニットは送信時間間隔（ＴＴＩ）を含む。
【００２９】
[0029]少なくとも通常帯域幅キャリアにわたるＳＲＢのためのＳＲＢレートまたは通常帯域幅キャリアにわたるＳＲＢのためのシグナリングレートの一部分を維持するフレキシブル帯域幅キャリアにわたるＳＲＢのＳＲＢレートを容易にする、フレキシブル帯域幅キャリアにわたるＳＲＢのためのＴＴＩを決定するように構成された少なくとも１つのプロセッサは、少なくともフレキシブル帯域幅キャリアのための帯域幅スケーリングファクタを識別し、かつ／またはフレキシブル帯域幅キャリアにわたるＳＲＢのためのＴＴＩを決定するために、少なくとも帯域幅スケーリングファクタを利用するように構成され得る。
【００３０】
[0030]少なくとも通常帯域幅キャリアにわたるＳＲＢのためのＳＲＢレートまたは通常帯域幅キャリアにわたるＳＲＢのためのシグナリングレートの一部分を維持するフレキシブル帯域幅キャリアにわたるＳＲＢのＳＲＢレートを容易にする、フレキシブル帯域幅キャリアにわたるＳＲＢのためのＴＴＩを決定するように構成された少なくとも１つのプロセッサは、通常帯域幅キャリアにわたるＳＲＢのためのＴＴＩを識別し、かつ／または通常帯域幅キャリアにわたるＳＲＢのためのＴＴＩに基づいて、フレキシブル帯域幅キャリアにわたるＳＲＢのためのＴＴＩを決定するために、少なくともフレキシブル帯域幅キャリアに関連する帯域幅スケーリングファクタを利用するように構成され得る。
【００３１】
[0031]少なくとも１つのプロセッサは、フレキシブル帯域幅キャリアにわたるＳＲＢを搬送する物理チャネルの拡散ファクタを低減するようにさらに構成され得る。フレキシブル帯域幅キャリアにわたるＳＲＢを搬送する物理チャネルの拡散ファクタを低減するように構成された少なくとも１つのプロセッサは、フレキシブル帯域幅キャリアのための帯域幅スケーリングファクタで通常拡散ファクタを除算するようにさらに構成されてよく、ここにおいて通常拡散ファクタは、通常帯域幅キャリアにわたるＳＲＢを搬送する物理チャネルの拡散ファクタを備える。
【００３２】
[0032]少なくとも１つのプロセッサは、同じ電力スペクトル密度を伴う通常帯域幅キャリアシステムに関してフレキシブル帯域幅キャリアにわたるＳＲＢのための送信電力を増加させるようにさらに構成され得る。送信電力を増加させるように構成された少なくとも１つのプロセッサは、少なくとも低減された拡散ファクタを補償することができる。
【００３３】
[0033]いくつかの実施形態では、フレキシブル帯域幅キャリアのための帯域幅スケーリングファクタは、フレキシブル帯域幅キャリアのためのチップレートディバイダに等しい。決定されたＴＴＩは、通常帯域幅キャリアシステムに関する有効なＴＴＩを含み得る。
【００３４】
[0034]少なくとも１つのプロセッサは、フレキシブル帯域幅キャリアにわたるＳＲＢのためのＳＲＢレートを維持するのを容易にするために、複数のトランスポートブロックを連結するようにさらに構成され得る。複数の連結されたトランスポートブロックは、同じ論理チャネルからの２つ以上のトランスポートブロックを含むことができる。複数の連結されたトランスポートブロックは、異なる論理チャネルからの少なくとも２つのトランスポートブロックを含むことができる。通常帯域幅キャリアにわたるシグナリングのためのシグナリングレートの一部分は、フレキシブル帯域幅キャリアのための帯域幅スケーリングファクタまたはチップレートディバイダに基づく拡張されたレートを上回ることがある。
【００３５】
[0035]上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲の趣旨および範囲から逸脱しない。本明細書で開示する概念を特徴づけると考えられる特徴は、それらの編成と動作方法の両方に関して、関連する利点とともに、添付の図に関連して以下の説明を検討するとより良く理解されよう。図の各々は、例示および説明のみの目的で提供され、特許請求の範囲を定めるものではない。
【図面の簡単な説明】
【００３６】
[0036]以下の図面を参照すれば、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれにも適用可能である。
【図１】様々な実施形態による、ワイヤレス通信システムのブロック図。
【図２Ａ】様々な実施形態による、フレキシブル波形が、通常波形を適合させるのに十分広くないスペクトルの一部分に適合する、ワイヤレス通信システムの一例を示す図。
【図２Ｂ】様々な実施形態による、フレキシブル波形が、帯域の端の近くのスペクトルの一部分に適合する、ワイヤレス通信システムの一例を示す図。
【図３】様々な実施形態による、ワイヤレス通信システムのブロック図。
【図４Ａ】様々な実施形態による、ＳＲＢレートをサポートするように構成されたデバイスのブロック図。
【図４Ｂ】様々な実施形態による、ＳＲＢレートをサポートするように構成されたデバイスのブロック図。
【図５Ａ】様々な実施形態による、Ｎ＝２または１／２ＢＷ（帯域幅）のＦ−ＵＭＴＳにおけるＤＬ：１３．６ｋｂｐｓのＳＲＢのためのＴｒＣＨプロシージャを示す図。
【図５Ｂ】様々な実施形態による、Ｎ＝２または１／２ＢＷのＦ−ＵＭＴＳにおけるＤＬ：３．４ｋｂｐｓのＳＲＢのためのＴｒＣＨプロシージャを示す図。
【図６】様々な実施形態による、Ｎ＝２または１／２ＢＷのＵＭＴＳにおける１３．６ｋｂｐｓのＳＲＢのためのトランスポートブロックの連結の一例を示す図。
【図７Ａ】様々な実施形態による、Ｎ＝４または１／４ＢＷのＦ−ＵＭＴＳにおけるＤＬ：１３．６ｋｂｐｓのＳＲＢのためのＴｒＣＨプロシージャの一例を示す図。
【図７Ｂ】様々な実施形態による、Ｎ＝４または１／４ＢＷのＦ−ＵＭＴＳにおけるＤＬ：３．４ｋｂｐｓのＳＲＢのためのＴｒＣＨプロシージャの一例を示す図。
【図８】様々な実施形態による、Ｎ＝４または１／４ＢＷのＵＭＴＳにおける１３．６ｋｂｐｓのＳＲＢのためのトランスポートブロックの連結の一例を示す図。
【図９】様々な実施形態による、Ｎ＝４または１／４ＢＷのＦ−ＵＭＴＳにおけるＤＬ：１３．６／２ｋｂｐｓのＳＲＢのためのＴｒＣＨプロシージャの一例を示す図。
【図１０】様々な実施形態による、Ｎ＝４または１／４ＢＷのＵＭＴＳにおける１３．６／２ｋｂｐｓのＳＲＢのためのトランスポートブロックの連結の一例を示す図。
【図１１】様々な実施形態による、ワイヤレス通信システムのブロック図。
【図１２】様々な実施形態による、ユーザ機器のブロック図。
【図１３】様々な実施形態による、基地局とユーザ機器とを含むワイヤレス通信システムのブロック図。
【図１４Ａ】様々な実施形態による、ワイヤレス通信システムにおけるシグナリングレートをサポートする方法のフローチャート。
【図１４Ｂ】様々な実施形態による、ワイヤレス通信システムにおけるＳＲＢレートをサポートする方法のフローチャート。
【図１４Ｃ】様々な実施形態による、ワイヤレス通信システムにおけるＳＲＢレートをサポートする方法のフローチャート。
【図１４Ｄ】様々な実施形態による、ワイヤレス通信システムにおけるシグナリングレートをサポートする方法のフローチャート。
【図１４Ｅ】様々な実施形態による、ワイヤレス通信システムにおけるＳＲＢレートをサポートする方法のフローチャート。
【発明を実施するための形態】
【００３７】
[0059]フレキシブル帯域幅キャリアにわたるシグナリングをサポートする方法、システム、およびデバイスが提供される。いくつかの実施形態は、通常帯域幅キャリアに対する低減されたシグナリングレートを生じさせ得る、フレキシブル帯域幅キャリアシステムにおけるタイムスケーリングに起因する追加の遅延など、フレキシブル帯域幅キャリアシステムの使用を通じて導入され得る問題に対処する。いくつかの実施形態は、たとえば、オーバージエアでのシグナリングメッセージの送信時間を増加させて、シグナリングプロシージャの遅延に影響を与え得る低減されたシグナリングレートをフレキシブル帯域幅キャリアシステムが通常生じさせ得る場合に、シグナリングレートを維持するツールと技法とを提供する。これらのツールおよび技法は、限定はしないが、一般にシグナリング無線ベアラ（ＳＲＢ）、制御チャネル、制御メッセージング、ブロードキャストチャネル、および／またはブロードキャストメッセージを含む様々なシグナリングで適用可能であり得る。さらに、これらの方法、システム、およびデバイスは、いくつかの通常帯域幅キャリアシステムに利用されることもある。
【００３８】
[0060]フレキシブル帯域幅キャリアにわたるシグナリングをサポートするための方法、システム、およびデバイスが提供される。通常帯域幅キャリアにわたるＳＲＢなどのシグナリングのためのシグナリングレートが識別され得る。少なくとも通常帯域幅キャリアにわたるシグナリングのためのシグナリングレートまたは通常帯域幅キャリアにわたるシグナリングのためのシグナリングレートの一部分を維持するフレキシブル帯域幅キャリアにわたるシグナリングのシグナリングレートを容易にするために、フレキシブル帯域幅キャリアにわたるシグナリングのための送信時間間隔（ＴＴＩ）などの時間ユニットが決定され得る。通常帯域幅キャリアにわたるシグナリングのためのシグナリングレートの一部分は、フレキシブル帯域幅キャリアシステムのための帯域幅スケーリングファクタまたはチップレートディバイダに基づく拡張されたレートを上回ることがある。決定された時間ユニットは、フレキシブル帯域幅キャリアにわたるシグナリングに利用され得る。
【００３９】
[0061]たとえば、フレキシブル帯域幅キャリアにわたるＳＲＢのためのＳＲＢレートをサポートする方法、システム、および／またはデバイスが提供され、通常帯域幅キャリアにわたるＳＲＢのためのＳＲＢレートを識別することを含み得る。少なくとも通常帯域幅キャリアにわたるＳＲＢレートまたは通常帯域幅キャリアにわたるＳＲＢレートの一部分を維持するフレキシブル帯域幅キャリアにわたるＳＲＢのＳＲＢレートを容易にする、フレキシブル帯域幅キャリアにわたるＳＲＢのためのＴＴＩが決定され得る。場合によっては、フレキシブル帯域幅キャリアにわたるＳＲＢを搬送する物理チャネルの拡散ファクタが、同じＳＲＢレートを維持するのを支援するために利用され得る。決定されたＴＴＩは、フレキシブル帯域幅キャリアにわたるＳＲＢに利用されることがあり、これは、フレキシブル帯域幅キャリアシステムにおいて導入され得る呼セットアップ遅延の増大、ハンドオーバのためのレイテンシの増大などを回避するのを支援し得る。決定されたＴＴＩは、通常帯域幅キャリアシステムにおける有効なＴＴＩであり得る。決定されたＴＴＩは、フレキシブル帯域幅キャリアにわたるＳＲＢがマッピングされ得るトランスポートチャネルのためのものであり得る。いくつかの実施形態は、フレキシブル帯域幅キャリアにわたるＳＲＢに関して送信電力を増大させること、および／または複数のトランスポートブロックを連結することを含み得る。同様の技法が一般に制御チャネルおよび／またはブロードキャストチャネルで適用され得る。
【００４０】
[0062]フレキシブル帯域幅キャリアにわたるＳＲＢを搬送する物理チャネルのための拡散ファクタを低減することは、少なくともフレキシブル帯域幅キャリアのための帯域幅スケーリングファクタまたはチップレートディバイダで通常域幅キャリアにわたるＳＲＢの拡散ファクタを除算することを含み得る。いくつかの実施形態は、フレキシブル帯域幅キャリアにわたるＳＲＢのための送信電力を増加させることを含む。場合によっては、フレキシブル帯域幅システムに関する電力を増加させることは、通常ＵＭＴＳシステムなどの通常帯域幅システムと同じ電力スペクトル密度を利用することを伴い得る。場合によっては、それは通常帯域幅システムと同じであり得る。場合によっては、これは、少なくとも低減された拡散ファクタを補償するために行われ得る。送信電力は、拡散ファクタが低減されるときだけではなく、拡散ファクタが同じに保たれるときでも増加し得る。
【００４１】
[0063]いくつかの態様では、フレキシブル帯域幅キャリアのためのＳＲＢにわたるＳＲＢレートを維持するのを支援するために、複数のトランスポートブロックが連結され得る。複数の連結されたトランスポートブロックは、同じ論理チャネルからの２つ以上のトランスポートブロックを含むことができる。複数の連結されたトランスポートブロックは、異なる論理チャネルからの少なくとも２つのトランスポートブロックを含むことができる。場合によっては、複数のトランスポートブロックが連結されるとき、たとえば、畳み込みコーディングのためのコードブロックのサイズが通常帯域幅システムのためのものよりも大きい場合に、コードブロックセグメンテーションも利用され得る。
【００４２】
[0064]フレキシブル帯域幅キャリアシステムは、フレキシブル波形を利用して通常波形に適合するほど十分には大きくない可能性のあるスペクトルの部分を利用することができるワイヤレス通信システムを伴い得る。フレキシブル帯域幅キャリアシステムは、通常帯域幅キャリアシステムに関してフレキシブル帯域幅キャリアシステムの時間またはチップレートを拡張すること、またはスケールダウンすることを通じて、通常帯域幅キャリアシステムに関して生成され得る。いくつかの実施形態では、フレキシブル帯域幅キャリアシステムは、フレーム長を拡張すること、または通常帯域幅キャリアシステムに関してフレキシブル帯域幅キャリアシステムの帯域幅をスケールダウンすることを通じて、通常帯域幅キャリアシステムに関して生成され得る。いくつかの実施形態は、フレキシブル帯域幅キャリアシステムの時間またはチップレートを伸長すること、またはスケールアップすることを通じて、フレキシブル波形の帯域幅を増やす。いくつかの実施形態は、フレーム長を減らすこと、またはフレキシブル帯域幅キャリアシステムの帯域幅をスケールアップすることを通じて、フレキシブル波形の帯域幅を増やす。いくつかの実施形態は、フレキシブル帯域幅キャリアシステムを容易にするために帯域幅スケーリングファクタまたはチップレートディバイダを利用することができる。帯域幅スケーリングファクタおよびチップレートディバイダは、互いに数値的に等しくなり得る。
【００４３】
[0065]本明細書で説明する技法は、ＣＤＭＡ、ＴＤＭＡ、ＦＤＭＡ、ＯＦＤＭＡ、ＳＣ−ＦＤＭＡ、ピアツーピア、および他のシステムなど、様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡまたはＯＦＤＭシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２）という名称の団体から出された文書に記載されている。本明細書で説明する技法は、上記のシステムおよび無線技術、ならびに他のシステムおよび無線技術に使用され得る。
【００４４】
[0066]したがって、以下の説明は、例を与えるものであり、特許請求の範囲において記載される範囲、適用性、または構成を限定するものではない。本開示の趣旨および範囲から逸脱することなく、説明する要素の機能および構成において変更が行われ得る。様々な実施形態は、適宜に様々な手順または構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００４５】
[0067]最初に図１を参照すると、ブロック図に、様々な実施形態による、ワイヤレス通信システム１００の一例が示されている。システム１００は、基地局１０５と、ユーザ機器１１５と、基地局コントローラ１２０と、コアネットワーク１３０とを含む（いくつかの実施形態では、コントローラ１２０はコアネットワーク１３０に組み込まれ得、いくつかの実施形態では、コントローラ１２０は基地局１０５に組み込まれ得る）。システム１００は、複数のキャリア（異なる周波数の波形信号）上での動作をサポートし得る。マルチキャリア送信機は、複数のキャリア上で同時に被変調信号を送信することができる。各被変調信号は、符号分割多元接続（ＣＤＭＡ）信号、時分割多元接続（ＴＤＭＡ）信号、周波数分割多元接続（ＦＤＭＡ）信号、直交ＦＤＭＡ（ＯＦＤＭＡ）信号、シングルキャリアＦＤＭＡ（ＳＣ−ＦＤＭＡ）信号などであり得る。各被変調信号は、異なるキャリア上で送られ得、制御情報（たとえば、パイロット信号）、オーバーヘッド情報、データなどを搬送し得る。システム１００は、ネットワークリソースを効率的に割り振ることが可能なマルチキャリアＬＴＥネットワークであり得る。
【００４６】
[0068]ユーザ機器１１５は、任意のタイプの移動局、モバイルデバイス、アクセス端末、加入者ユニット、またはユーザ機器であり得る。ユーザ機器１１５は、セルラーフォンとワイヤレス通信デバイスとを含み得るが、携帯情報端末（ＰＤＡ）、スマートフォン、他のハンドヘルドデバイス、ネットブック、ノートブックコンピュータなどをも含み得る。したがって、ユーザ機器という用語は、特許請求の範囲を含めて、以下で、任意のタイプのワイヤレスまたはモバイルの通信デバイスを含むものと広く解釈されたい。
【００４７】
[0069]基地局１０５は、基地局アンテナを介してユーザ機器１１５とワイヤレス通信し得る。基地局１０５は、複数のキャリアを介してコントローラ１２０の制御下でユーザ機器１１５と通信するように構成され得る。ＧＳＭでは、たとえば、コントローラ１２０は、基地局コントローラ（ＢＳＣ）と呼ばれ、ＵＭＴＳでは、コントローラは、無線ネットワークコントローラ（ＲＮＣ）と呼ばれ得る。基地局１０５のサイトの各々は、それぞれの地理的エリアに通信カバレージを与えることができる。いくつかの実施形態では、基地局１０５は、ノードＢ、ｅノードＢ、ホームノードＢ、および／またはホームｅノードＢと呼ばれることがある。各基地局１０５のためのカバレージエリアは、ここでは、１１０−ａ、１１０−ｂ、または１１０−ｃとして識別される。基地局のカバレージエリアは、（図示しないが、カバレージエリアの一部分のみを構成する）セクタに分割され得る。システム１００は、異なるタイプの基地局１０５（たとえば、マクロ基地局、マイクロ基地局、フェムト基地局、および／またはピコ基地局）を含み得る。
【００４８】
[0070]ユーザ機器１１５、基地局１０５、コアネットワーク１３０、および／またはコントローラ１２０など、システム１００の異なる態様は、様々な実施形態によれば、フレキシブル帯域幅キャリアとフレキシブル波形とを利用するように構成され得る。システム１００は、たとえば、ユーザ機器１１５と基地局１０５との間の送信１２５を示す。送信１２５は、ユーザ機器１１５から基地局１０５へのアップリンクおよび／または逆方向リンク送信、ならびに／あるいは基地局１０５からユーザ機器１１５へのダウンリンクおよび／または順方向リンク送信を含み得る。送信１２５はフレキシブル波形および／または通常波形を含み得る。通常波形はレガシー波形および／または通常波形と呼ばれることもある。
【００４９】
[0071]ユーザ機器１１５、基地局１０５、コアネットワーク１３０、および／またはコントローラ１２０など、システム１００の異なる態様は、様々な実施形態によれば、フレキシブル帯域幅とフレキシブル波形とを利用するように構成され得る。たとえば、システム１００の異なる態様は、通常波形を適合させるのに十分大きくないことがあるスペクトルの部分を利用し得る。ユーザ機器１１５、基地局１０５、コアネットワーク１３０、および／またはコントローラ１２０などのデバイスは、フレキシブル帯域幅および／またはフレキシブル波形を生成および／または利用するためにチップレートおよび／またはスケーリングファクタを適応させるように構成され得る。システム１００のいくつかの態様は、（他のユーザ機器１１５、コントローラ１２０、および／または基地局１０５を使用して実装され得る通常サブシステムに関して生成され得る（特定のユーザ機器１１５および／または基地局１０５などの）フレキシブルサブシステムを、通常サブシステムに関してフレキシブルサブシステムの時間（たとえば、フレーム長）またはチップレートを拡張すること、またはスケールダウンすることを通じて、形成することができる。いくつかの実施形態では、フレキシブルサブシステムは、フレーム長を拡張すること、または通常サブシステムに関してフレキシブルサブシステムの帯域幅をスケールダウンすることを通じて、通常サブシステムに関して生成され得る。いくつかの実施形態は、フレキシブルサブシステムの時間（たとえば、フレーム長）またはチップレートを伸長すること、またはスケールアップすることを通じて、フレキシブル波形の帯域幅を増やす。いくつかの実施形態は、フレーム長を減らすこと、またはフレキシブルサブシステムの帯域幅をスケールアップすることを通じて、フレキシブル波形の帯域幅を増やす。
【００５０】
[0072]ユーザ機器１１５、基地局１０５、コアネットワーク１３０、および／またはコントローラ１２０など、システム１００の異なる態様は、フレキシブル帯域幅キャリアにわたるシグナリングをサポートするように構成され得る。たとえば、ユーザ機器１１５および／または基地局１０５は、通常帯域幅キャリアにわたるＳＲＢなどのシグナリングのためのシグナリングレートを識別するように構成され得る。少なくとも通常帯域幅キャリアにわたるシグナリングのためのシグナリングレートまたは通常帯域幅キャリアにわたるシグナリングのためのシグナリングレートの一部分を維持するフレキシブル帯域幅キャリアにわたるシグナリングのシグナリングレートを容易にする、フレキシブル帯域幅キャリアにわたるシグナリングのための送信時間間隔（ＴＴＩ）などの時間ユニットが決定され得る。通常帯域幅キャリアにわたるシグナリングのためのシグナリングレートの一部分は、フレキシブル帯域幅キャリアシステムのための帯域幅スケーリングファクタまたはチップレートディバイダに基づく拡張されたレートを上回ることがある。決定された時間ユニットは、ユーザ機器１１５および／または基地局１０５によって、フレキシブル帯域幅キャリアにわたるシグナリングに利用され得る。同様の技法が一般に制御チャネルおよび／またはブロードキャストチャネルで適用され得る。
【００５１】
[0073]いくつかの実施形態では、ユーザ機器１１５、基地局１０５、コアネットワーク１３０、および／またはコントローラ１２０など、システム１００の異なる態様は、フレキシブル帯域幅キャリアにわたるＳＲＢレートをサポートするように構成され得る。たとえば、ユーザ機器１１５および／または基地局１０５は、通常帯域幅キャリアにわたるＳＲＢのためのＳＲＢレートを識別し、少なくとも通常帯域幅キャリアにわたるＳＲＢのためのＳＲＢレートを維持するフレキシブル帯域幅キャリアにわたるＳＲＢのＳＲＢレートを容易にする、フレキシブル帯域幅キャリアにわたるＳＲＢのためのＴＴＩを決定し、かつ／またはフレキシブル帯域幅キャリアにわたるＳＲＢのための決定されたＴＴＩを利用するように構成され得る。
【００５２】
[0074]場合によっては、ユーザ機器１１５および／または基地局１０５は、少なくともフレキシブル帯域幅キャリアのための帯域幅スケーリングファクタもしくはチップレートディバイダを識別し、かつ／またはフレキシブル帯域幅キャリアにわたるＳＲＢのためのＴＴＩを決定するために、少なくとも帯域幅スケーリングファクタもしくはチップレートディバイダを利用するように構成され得る。ユーザ機器１１５および／または基地局１０５は、通常帯域幅キャリアにわたるＳＲＢのためのＴＴＩを識別し、かつ／または通常帯域幅キャリアにわたるＳＲＢのためのＴＴＩに基づいて、フレキシブル帯域幅キャリアにわたるＳＲＢのためのＴＴＩを決定するために、少なくとも帯域幅スケーリングファクタもしくはチップレートディバイダを利用するように構成される。
【００５３】
[0075]ユーザ機器１１５および／または基地局１０５は、フレキシブル帯域幅キャリアにわたるＳＲＢを搬送する物理チャネルの拡散ファクタを低減するように構成され得る。フレキシブル帯域幅キャリアにわたるＳＲＢを搬送する物理チャネルの拡散ファクタを低減することは、フレキシブル帯域幅キャリアのための帯域幅スケーリングファクタで通常拡散ファクタを除算することを含むことができ、ここで通常拡散ファクタは、通常帯域幅キャリアにわたるＳＲＢを搬送する物理チャネルの拡散ファクタを含む。
【００５４】
[0076]ユーザ機器１１５および／または基地局１０５は、同じ電力スペクトル密度を伴う通常帯域幅キャリアシステムに関してフレキシブル帯域幅キャリアにわたるＳＲＢのための送信電力を増加させるように構成され得る。場合によっては、この送信電力増加は、少なくとも低減された拡散ファクタを補償することができる。ユーザ機器１１５および／または基地局１０５は、フレキシブル帯域幅キャリアにわたるＳＲＢのＳＲＢレートを維持するのを支援するために、複数のトランスポートブロックを連結するように構成される。複数の連結されたトランスポートブロックは、同じ論理チャネルからの２つ以上のトランスポートブロックを含むことができる。複数の連結されたトランスポートブロックは、異なる論理チャネルからの少なくとも２つのトランスポートブロックを含むことができる。
【００５５】
[0077]ユーザ機器１１５および／または基地局１０５は、限定はしないが、１３．６ｋｂｐｓ、１３．６／２ｋｂｐｓ、３．４ｋｂｐｓ、および／または１．７ｋｂｐｓのＳＲＢレート用に構成され得る。ユーザ機器１１５および／または基地局１０５は、限定はしないが、２および／または４を含む異なる帯域幅スケーリングファクタおよび／またはチップレートディバイダを利用するように構成され得る。
【００５６】
[0078]いくつかの実施形態は、フレキシブル波形および／または通常波形を生成することができるユーザ機器１１５および／または基地局１０５を含み得る。フレキシブル波形は、通常波形よりも少ない帯域幅を占有し得る。たとえば、帯域端において、通常波形を配置するのに十分な利用可能なスペクトルがないことがある。いくつかの実施形態におけるフレキシブル波形では、時間が拡張されるので、波形によって占有される周波数が減少し、したがって、通常波形を適合させるのに十分広くないことがあるスペクトルにフレキシブル波形を適合させることが可能になる。フレキシブル波形はまた、いくつかの実施形態では、スケーリングファクタを使用することを通じて生成され得る。いくつかの実施形態では、フレキシブル帯域幅キャリアは、フレキシブル波形を搬送するために利用され得る。他の実施形態は、レートまたはチップレートを改変すること（たとえば、拡散ファクタを変化させ得る）を通じてスペクトルの一部分を適合させるためにフレキシブル波形を生成し得る。いくつかの実施形態は、チップレートを変更するかまたはスケーリングファクタを利用するために処理の周波数を変更し得る。処理の周波数を変更することは、補間レート、割込みレート、および／またはデシメーションレートを変更することを含み得る。いくつかの実施形態では、デシメーションによって、および／またはＡＤＣ、ＤＡＣ、および／またはオフラインクロックの周波数を変更することによって、チップレートが変更されるか、またはフィルタ処理を通じてスケーリングファクタが利用され得る。ディバイダは、少なくとも１つのクロックの周波数を変更するために使用され得る。いくつかの実施形態では、チップレートディバイダ（Ｄｃｒ）が利用され得る。いくつかの実施形態では、フレキシブル帯域幅キャリアのためのスケーリングファクタは、帯域幅スケーリングファクタと呼ばれ得る。
【００５７】
[0079]いくつかの実施形態では、フレキシブルシステムまたはフレキシブル波形はフラクショナルシステムまたはフラクショナル波形であり得る。フラクショナルシステムおよび／またはフラクショナル波形は、たとえば、帯域幅を変更することも変更しないこともある。フラクショナルシステムまたはフラクショナル波形は、それが、通常システムまたは通常波形（たとえば、Ｎ＝１システム）よりも多くの可能性を提供し得るのでフレキシブルであり得る。通常システムまたは通常波形は、標準および／またはレガシーシステムまたは波形を指すことがある。
【００５８】
[0080]図２Ａに、様々な実施形態による、基地局１０５−ａとユーザ機器１１５−ａとともにワイヤレス通信システム２００−ａの一例を示し、フレキシブル波形２１０−ａは、通常波形２２０−ａを適合させるのに十分広くないスペクトルの一部分に適合する。システム２００−ａは、図１のシステム１００の一例であり得る。いくつかの実施形態では、フレキシブル波形２１０−ａは、基部１０５−ａおよび／またはユーザ機器１１５−ａのいずれかが送信し得る通常波形２２０−ａと重複し得る。いくつかの実施形態はまた、複数のフレキシブル波形２１０を利用し得る。いくつかの実施形態では、別の基地局および／またはユーザ機器（図示せず）が、通常波形２２０−ａおよび／またはフレキシブル波形２１０−ａを送信し得る。図２Ｂに、基地局１０５−ｂとユーザ機器１１５−ｂとともにワイヤレス通信システム２００−ｂの一例を示し、フレキシブル波形２１０−ｂは、通常波形２２０−ｂが適合できない、ガードバンドであり得る、帯域の端の近くのスペクトルの一部分に適合する。システム２００−ｂは、図１のシステム１００の一例であり得る。
【００５９】
[0081]様々な実施形態によれば、ユーザ機器１１５−ａ／１１５−ｂおよび／または基地局１０５−ａ／１５０−ｂは、フレキシブル帯域幅キャリアにわたるシグナリングをサポートするように構成され得る。たとえば、ユーザ機器１１５−ａ／１１５−ｂおよび／または基地局１０５−ａ／１５０−ｂは、通常帯域幅キャリアにわたるＳＲＢなどのシグナリングのためのシグナリングレートを識別するように構成され得る。少なくとも通常帯域幅キャリアにわたるシグナリングのためのシグナリングレートまたは通常帯域幅キャリアにわたるシグナリングのためのシグナリングレートの一部分を維持するフレキシブル帯域幅キャリアにわたるシグナリングのシグナリングレートを容易にする、フレキシブル帯域幅キャリアにわたるシグナリングのための送信時間間隔（ＴＴＩ）などの時間ユニットが決定され得る。通常帯域幅キャリアにわたるシグナリングのためのシグナリングレートの一部分は、フレキシブル帯域幅キャリアシステムのための帯域幅スケーリングファクタまたはチップレートディバイダに基づく拡張されたレートを上回ることがある。決定された時間ユニットは、ユーザ機器１１５−ａ／１１５−ｂおよび／または基地局１０５−ａ／１５０−ｂによって、フレキシブル帯域幅キャリアにわたるシグナリングに利用され得る。同様の技法が一般に制御チャネルおよび／またはブロードキャストチャネルで適用され得る。
【００６０】
[0082]いくつかの実施形態では、ユーザ機器１１５−ａ／１１５−ｂおよび／または基地局１０５−ａ／１５０−ｂは、フレキシブル帯域幅キャリアにわたるＳＲＢレートをサポートするように構成され得る。たとえば、ユーザ機器１１５および／または基地局１０５は、通常帯域幅キャリアにわたるＳＲＢのためのＳＲＢレートを識別し、少なくとも通常帯域幅キャリアにわたるＳＲＢのためのＳＲＢレートを維持するフレキシブル帯域幅キャリアにわたるＳＲＢのＳＲＢレートを容易にする、フレキシブル帯域幅キャリアにわたるＳＲＢのためのＴＴＩを決定し、かつ／またはフレキシブル帯域幅キャリアにわたるＳＲＢのための決定されたＴＴＩを利用するように構成され得る。
【００６１】
[0083]図３に、様々な実施形態による、基地局１０５−ｃと、基地局１０５−ｄと、コントローラ１２０−ａと、ユーザ機器１１５−ｃと、ユーザ機器１１５ｄとを伴うワイヤレス通信システム３００を示す。いくつかの実施形態では、基地局１０５−ｃおよび／またはユーザ機器１１５−ｃ／１１５ｄは、ユーザ機器１１５−ｃおよび／または１１５−ｄと基地局１０５−ｃまたは基地局１０５−ｄ（送信は図示されない）との間の送信３０５−ａおよび／または３０５−ｂが、通常波形と比べて少ない（または多い）帯域幅を占有するように生成され得るフレキシブル波形を利用することができるように構成され得る。たとえば、オペレータの連続スペクトル割振りの端を含む帯域端では、通常波形を配置するために十分な利用可能スペクトルがない場合がある。フレキシブル波形では、時間が拡張されるので、波形によって占有される周波数が減少し、したがって、通常波形を適合させるのに十分広くないことがあるスペクトルにフレキシブル波形を適合させることが可能になる。いくつかの実施形態では、フレキシブル波形は、通常波形に関するスケーリングファクタＮを利用してスケーリングされ得る。スケーリングファクタＮは、帯域幅スケーリングファクタと呼ばれ得る。スケーリングファクタＮは、フレキシブル帯域幅キャリアのための帯域幅をスケーリングするために利用され得る。スケーリングファクタＮは、限定はしないが、１、２、３、４、８などの整数値を含む多数の異なる値をとり得る。ただし、Ｎが整数である必要はない。いくつかの場合において、帯域幅スケーリングファクタと同じ数値を有していてもよい、チップレートディバイダ（Ｄｃｒ）が利用され得る。
【００６２】
[0084]いくつかの実施形態は追加の用語を利用し得る。新しい単位Ｄが利用され得る。単位Ｄは「拡張」される。単位は無名であってもよく、Ｎの値を有してもよい。フレキシブルシステムにおける時間について「拡張時間」の点で話すことができる。たとえば、通常時間においてたとえば１０ｍｓのスロットは、フレキシブル時間では１０Ｄｍｓと表され得る（注意：通常時間であっても、これは、通常時間でＮ＝１なので真であり、Ｄは値１を有し、したがって１０Ｄｍｓ＝１０ｍｓである）。タイムスケーリングでは、ほとんどの「秒」の代わりに「拡張秒」を使用することができる。
【００６３】
[0085]上記で説明したように、フレキシブル波形は、通常波形よりも少ない、または多い帯域幅を占有する波形であり得る。したがって、フレキシブル帯域幅キャリアシステムでは、通常帯域幅システムと比較して、同数のシンボルおよびビットがより長い持続時間にわたって送信され得る。これは、タイムストレッチングを生じ得、それにより、スロット持続時間、フレーム持続時間などがスケーリングファクタＮで増加し得る。スケーリングファクタＮは、フレキシブル帯域幅（ＢＷ）と通常帯域幅との比を表し得る。したがって、フレキシブル帯域幅システムにおけるデータレートは通常レート×１／Ｎに等しくなり得、遅延は通常遅延×Ｎに等しくなり得る。概して、フレキシブルシステムチャネルＢＷ＝通常システムのチャネルＢＷ／Ｎである。遅延帯域幅積、遅延×ＢＷは不変のままであり得る。さらに、いくつかの実施形態では、フレキシブル波形は、通常波形よりも多い帯域幅を占有する波形であり得る。
【００６４】
[0086]本明細書全体にわたって、通常システム、通常サブシステム、および／または通常波形という用語が、１に等しくなり得るスケーリングファクタ（たとえば、Ｎ＝１）あるいは通常または標準チップレートを利用し得る実施形態を伴うシステム、サブシステム、および／または波形を指すために利用され得る。これらの通常システム、通常サブシステム、および／または通常波形は、標準および／またはレガシーシステム、標準および／またはレガシーサブシステム、ならびに／あるいは標準および／またはレガシー波形と呼ばれることもある。さらに、フレキシブルシステム、フレキシブルサブシステム、および／またはフレキシブル波形は、１に等しくないことがあるスケーリングファクタ（たとえば、Ｎ＝２、３、４、８、１／２、１／４など）を利用し得る実施形態を伴うシステム、サブシステム、および／または波形を指すために利用され得る。Ｎ＞１である場合、またはチップレートが低下した場合、波形の帯域幅が減少し得る。いくつかの実施形態は、帯域幅を増加させるスケーリングファクタまたはチップレートを利用し得る。たとえば、Ｎ＜１である場合、またはチップレートが増加した場合、波形は通常波形よりも大きい帯域幅をカバーするために拡大され得る。フレキシブルシステム、フレキシブルサブシステム、および／またはフレキシブル波形は、場合によっては、フラクショナルシステム、フラクショナルサブシステム、および／またはフラクショナル波形と呼ばれることもある。フラクショナルシステム、フラクショナルサブシステム、および／またはフラクショナル波形は、たとえば、帯域幅を変更することも変更しないこともある。フラクショナルシステム、フラクショナルサブシステム、またはフラクショナル波形は、それが、通常または標準システム、通常または標準サブシステム、または通常または標準波形（たとえば、Ｎ＝１システム）よりも多くの可能性を提供し得るのでフレキシブルであり得る。
【００６５】
[0087]基地局１０５−ｃ、基地局１０５−ｄ、ユーザ機器１１５−ｃ、および／またはユーザ機器１１５−ｄは、フレキシブル帯域幅キャリアにわたるシグナリングをサポートするように構成され得る。たとえば、ユーザ機器１１５および／または基地局１０５は、通常帯域幅キャリアにわたるＳＲＢなどのシグナリングのためのシグナリングレートを識別するように構成され得る。少なくとも通常帯域幅キャリアにわたるシグナリングのためのシグナリングレートまたは通常帯域幅キャリアにわたるシグナリングのためのシグナリングレートの一部分を維持するフレキシブル帯域幅キャリアにわたるシグナリングのシグナリングレートを容易にするために、フレキシブル帯域幅キャリアにわたるシグナリングのための送信時間間隔（ＴＴＩ）などの時間ユニットが決定され得る。通常帯域幅キャリアにわたるシグナリングのためのシグナリングレートの一部分は、フレキシブル帯域幅キャリアシステムのための帯域幅スケーリングファクタまたはチップレートディバイダに基づく拡張されたレートを上回ることがある。決定された時間ユニットは、基地局１０５−ｃ、基地局１０５−ｄ、ユーザ機器１１５−ｃ、および／またはユーザ機器１１５−ｄによって、フレキシブル帯域幅キャリアにわたるシグナリングに利用され得る。同様の技法が一般に制御チャネルおよび／またはブロードキャストチャネルで適用され得る。
【００６６】
[0088]いくつかの実施形態では、基地局１０５−ｃ、基地局１０５−ｄ、ユーザ機器１１５−ｃ、および／またはユーザ機器１１５−ｄは、フレキシブル帯域幅キャリアにわたるＳＲＢレートをサポートするように構成され得る。たとえば、ユーザ機器１１５−ｃ、ユーザ機器１１５−ｄ、基地局１０５−ｃ、および／または基地局１０５−ｄ、は、通常帯域幅キャリアにわたるＳＲＢのためのＳＲＢレートを識別し、少なくとも通常帯域幅キャリアにわたるＳＲＢのためのＳＲＢレートを維持するフレキシブル帯域幅キャリアにわたるＳＲＢのＳＲＢレートを容易にする、フレキシブル帯域幅キャリアにわたるＳＲＢのためのＴＴＩを決定し、かつ／またはフレキシブル帯域幅キャリアにわたるＳＲＢのための決定されたＴＴＩを利用するように構成され得る。
【００６７】
[0089]場合によっては、ユーザ機器１１５−ｃ、ユーザ機器１１５−ｄ、基地局１０５−ｃ、および／または基地局１０５−ｄ、は、少なくともフレキシブル帯域幅キャリアのための帯域幅スケーリングファクタもしくはチップレートディバイダを識別し、かつ／またはフレキシブル帯域幅キャリアにわたるＳＲＢのためのＴＴＩを決定するために、少なくとも帯域幅スケーリングファクタもしくはチップレートディバイダを利用するように構成され得る。ユーザ機器１１５および／または基地局１０５は、通常帯域幅キャリアにわたるＳＲＢのためのＴＴＩを識別し、かつ／または通常帯域幅キャリアにわたるＳＲＢのためのＴＴＩに基づいて、フレキシブル帯域幅キャリアにわたるＳＲＢのためのＴＴＩを決定するために、少なくとも帯域幅スケーリングファクタもしくはチップレートディバイダを利用するように構成される。
【００６８】
[0090]ユーザ機器１１５−ｃ、ユーザ機器１１５−ｄ、基地局１０５−ｃ、および／または基地局１０５−ｄは、フレキシブル帯域幅キャリアにわたるＳＲＢを搬送する物理チャネルの拡散ファクタを低減するように構成され得る。フレキシブル帯域幅キャリアにわたるＳＲＢを搬送する物理チャネルの拡散ファクタを低減することは、フレキシブル帯域幅キャリアのための帯域幅スケーリングファクタで通常拡散ファクタを除算することを含むことができ、ここで通常拡散ファクタは、通常帯域幅キャリアにわたるＳＲＢを搬送する物理チャネルの拡散ファクタを含む。
【００６９】
[0091]ユーザ機器１１５−ｃ、ユーザ機器１１５−ｄ、基地局１０５−ｃ、および／または基地局１０５−ｄは、同じ電力スペクトル密度を伴う通常帯域幅キャリアシステムに関してフレキシブル帯域幅キャリアにわたるＳＲＢのための送信電力を増加させるように構成され得る。場合によっては、これは少なくとも低減された拡散ファクタを補償することができる。ユーザ機器１１５−ｃ、ユーザ機器１１５−ｄ、基地局１０５−ｃ、および／または基地局１０５−ｄは、フレキシブル帯域幅キャリアにわたるＳＲＢのＳＲＢレートを維持するために、複数のトランスポートブロックを連結するように構成され得る。複数の連結されたトランスポートブロックは、同じ論理チャネルからの２つ以上のトランスポートブロックを含むことができる。複数の連結されたトランスポートブロックは、異なる論理チャネルからの少なくとも２つのトランスポートブロックを含むことができる。
【００７０】
[0092]ユーザ機器１１５−ｃ、ユーザ機器１１５−ｄ、基地局１０５−ｃ、および／または基地局１０５−ｄは、限定はしないが、１３．６ｋｂｐｓ、１３．６／２ｋｂｐｓ、３．４ｋｂｐｓ、および／または１．７ｋｂｐｓのＳＲＢレート用に構成され得る。ユーザ機器１１５および／または基地局１０５は、限定はしないが、２および／または４を含む異なる帯域幅スケーリングファクタおよび／またはチップレートディバイダを利用するように構成され得る。
【００７１】
[0093]次に図４Ａおよび図４Ｂを参照すると、ブロック図は、様々な実施形態による、フレキシブル帯域幅キャリアにわたるシグナリングをサポートするためのデバイス４００−ａおよびデバイス４００−ｂをそれぞれ示している。デバイス４００−ａおよび／または４００−ｂは、図１、図２、図３、図１１、図１２および／もしくは図１３を参照して記載するユーザ機器１１５、ならびに／または図１、図２、図３、図１１および／もしくは図１３を参照して記載する基地局１０５の１つまたは複数の態様の一例であり得る。デバイス４００−ａおよび／または４００−ｂは、プロセッサである可能性もある。デバイス４００−ａは、受信機モジュール４０５、フレキシブル帯域幅キャリアシグナリングモジュール４１５、および／または送信機モジュール４２０を含み得る。デバイス４００−ｂは、受信機モジュール４０５、フレキシブル帯域幅キャリアＳＲＢモジュール４１５−ａ、および／または送信機モジュール４２０を含み得る。フレキシブル帯域幅キャリアＳＲＢモジュール４１５−ａは、送信時間間隔モジュール４２５、拡散ファクタモジュール４３０、および／または送信電力モジュール４３４を含み得る。場合によっては、送信電力モジュール４３０は、送信機モジュール４２０の一部であってもよい。デバイス４００−ａは、連結モジュール（図示せず、図１１および／または図１２参照）を含むこともできる。これらの構成要素の各々は互いに通信していることがある。
【００７２】
[0094]デバイスデバイス４００−ａおよび／または４００−ｂのこれらの構成要素は、個別にまたは集合的に、ハードウェア中の適用可能な機能の一部または全部を実行するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実行され得る。他の実施形態では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００７３】
[0095]受信機モジュール４０５は、パケット、データ、ならびに／またはデバイス４００−ａおよび／もしくは４００−ｂが受信もしくは送信したものに関するシグナリング情報などの情報を受信し得る。受信された情報は、様々な目的で、フレキシブル帯域幅キャリアシグナリングモジュール４１５および／またはフレキシブル帯域幅キャリアＳＲＢモジュール４１５−ａによって利用され得る。
【００７４】
[0096]フレキシブル帯域幅キャリアシグナリングモジュール４１５は、たとえば、フレキシブル帯域幅キャリアにわたるシグナリングをサポートするように構成され得る。フレキシブル帯域幅キャリアシグナリングモジュール４１５によって、通常帯域幅キャリアにわたるＳＲＢなどのシグナリングのためのシグナリングレートが識別され得る。フレキシブル帯域幅キャリアシグナリングモジュール４１５によって、少なくとも通常帯域幅キャリアにわたるシグナリングのためのシグナリングレートまたは通常帯域幅キャリアにわたるシグナリングのためのシグナリングレートの一部分を維持するフレキシブル帯域幅キャリアにわたるシグナリングのシグナリングレートを容易にするために、フレキシブル帯域幅キャリアにわたるシグナリングのための送信時間間隔（ＴＴＩ）などの時間ユニットが識別され得る。通常帯域幅キャリアにわたるシグナリングのためのシグナリングレートの一部分は、フレキシブル帯域幅キャリアシステムのための帯域幅スケーリングファクタまたはチップレートディバイダに基づく拡張されたレートを上回ることがある。決定された時間ユニットは、フレキシブル帯域幅キャリアシグナリングモジュール４１５および／または送信機４２０によって、フレキシブル帯域幅キャリアにわたるシグナリングに利用され得る。
【００７５】
[0097]たとえば、フレキシブル帯域幅キャリアシグナリングモジュール４１５および／またはフレキシブル帯域幅キャリアＳＲＢモジュール４１５−ａ（たとえば、ＴＴＩモジュール４２５による）は、通常帯域幅キャリアにわたるＳＲＢのためのＳＲＢレートを識別するように構成され得る。フレキシブル帯域幅キャリアＳＲＢモジュール４１５および／またはフレキシブル帯域幅キャリアＳＲＢモジュール４１５−ａ（たとえば、ＴＴＩモジュール４２５による）は、少なくとも通常帯域幅キャリアにわたるＳＲＢのためのＳＲＢレートを維持するフレキシブル帯域幅キャリアにわたるＳＲＢのＳＲＢレートを容易にする、フレキシブル帯域幅キャリアにわたるＳＲＢのためのＴＴＩを決定するように構成され得る。フレキシブル帯域幅キャリアシグナリングモジュール４１５および／もしくはフレキシブル帯域幅キャリアＳＲＢモジュール４１５−ａ（たとえば、ＴＴＩモジュール４２５による）、または送信機モジュール４２０は、フレキシブル帯域幅キャリアにわたるＳＲＢのための決定されたＴＴＩを利用するように構成され得る。
【００７６】
[0098]いくつかの実施形態では、フレキシブル帯域幅キャリアシグナリングモジュール４１５および／またはフレキシブル帯域幅キャリアＳＲＢモジュール４１５−ａ（たとえば、ＴＴＩモジュール４２５による）は、少なくともフレキシブル帯域幅キャリアのための帯域幅スケーリングファクタもしくはチップレートディバイダを識別し、かつ／またはフレキシブル帯域幅キャリアにわたるＳＲＢのためのＴＴＩを決定するために、少なくとも帯域幅スケーリングファクタもしくはチップレートディバイダを利用するように構成され得る。フレキシブル帯域幅キャリアシグナリングモジュール４１５および／またはフレキシブル帯域幅キャリアＳＲＢモジュール４１５−ａ（たとえば、ＴＴＩモジュール４２５による）は、通常帯域幅キャリアにわたるＳＲＢのためのＴＴＩを識別し、かつ／または通常帯域幅キャリアにわたるＳＲＢのためのＴＴＩに基づいて、フレキシブル帯域幅キャリアにわたるＳＲＢのためのＴＴＩを決定するために、少なくとも帯域幅スケーリングファクタもしくはチップレートディバイダを利用するように構成され得る。
【００７７】
[0099]フレキシブル帯域幅キャリアシグナリングモジュール４１５および／またはフレキシブル帯域幅キャリアＳＲＢモジュール４１５−ａ（たとえば、拡散ファクタモジュール４３０による）は、フレキシブル帯域幅キャリアにわたるＳＲＢを搬送する物理チャネルの拡散ファクタを低減するように構成され得る。フレキシブル帯域幅キャリアにわたるＳＲＢを搬送する物理チャネルの拡散ファクタを低減することは、フレキシブル帯域幅キャリアのための帯域幅スケーリングファクタで通常拡散ファクタを除算することを含むことができ、ここで通常拡散ファクタは、通常帯域幅キャリアにわたるＳＲＢを搬送する物理チャネルの拡散ファクタを含む。フレキシブル帯域幅キャリアシグナリングモジュール４１５および／もしくはフレキシブル帯域幅キャリアＳＲＢモジュール４１５−ａ（たとえば、送信電力モジュール４３５による）、または送信機モジュールは、同じ電力スペクトル密度を伴う通常帯域幅キャリアシステムに関してフレキシブル帯域幅キャリアにわたるＳＲＢのための送信電力を増加させるように構成され得る。この電力増加は、少なくとも低減された拡散ファクタのためであり得る。決定されたＴＴＩは、通常帯域幅キャリアシステムに関する有効なＴＴＩであり得る。
【００７８】
[0100]場合によっては、フレキシブル帯域幅キャリアシグナリングモジュール４１５および／またはフレキシブル帯域幅キャリアＳＲＢモジュール４１５−ａは、少なくとも帯域幅スケーリングファクタまたはチップレートディバイダが２に等しく、通常帯域幅キャリアにわたるＳＲＢのためのＴＴＩが４０ｍｓであり、フレキシブル帯域幅キャリアにわたるＳＲＢのためのＴＴＩが２０ｍｓである構成を利用することができる。いくつかの態様は、少なくとも帯域幅スケーリングファクタまたはチップレートディバイダが４に等しく、通常帯域幅キャリアにわたるＳＲＢのためのＴＴＩが４０ｍｓであり、フレキシブル帯域幅キャリアにわたるＳＲＢのためのＴＴＩが１０ｍｓである場合を含むことができる。これらの場合では、通常帯域幅キャリアにわたるＳＲＢのためのＳＲＢレートは、３．４ｋｂｐｓであり得る。他の例は、少なくとも帯域幅スケーリングファクタまたはチップレートディバイダが２に等しく、通常帯域幅キャリアにわたるＳＲＢのためのＴＴＩが８０ｍｓであり、フレキシブル帯域幅キャリアにわたるＳＲＢのためのＴＴＩが４０ｍｓである場合を含む。さらなる場合は、少なくとも帯域幅スケーリングファクタまたはチップレートディバイダが４に等しく、通常帯域幅キャリアにわたるＳＲＢのためのＴＴＩが８０ｍｓであり、フレキシブル帯域幅キャリアにわたるＳＲＢのためのＴＴＩが２０ｍｓである状況を含む。これらの場合では、通常帯域幅キャリアにわたるＳＲＢのためのＳＲＢレートは、１．７ｋｂｐｓであり得る。フレキシブル帯域幅キャリアは、たとえば、フレキシブル帯域幅ＵＭＴＳキャリアを含むことができる。
【００７９】
[0101]いくつかの実施形態は、フレキシブル帯域幅キャリアにわたるＳＲＢのためのＳＲＢレートを維持するのを支援するために、複数のトランスポートブロックを連結するように構成され得るフレキシブル帯域幅キャリアシグナリングモジュール４１５および／またはフレキシブル帯域幅キャリアＳＲＢモジュール４１５−ａを含む。これは、連結モジュール（図示せず、ただし図１１および／または図１２参照）を伴い得る。複数の連結されたトランスポートブロックは、同じ論理チャネルからの２つ以上のトランスポートブロックを含むことができる。複数の連結されたトランスポートブロックは、異なる論理チャネルからの少なくとも２つのトランスポートブロックを含むことができる。いくつかの実施形態は、少なくとも帯域幅スケーリングファクタまたはチップレートディバイダで、フレキシブル帯域幅にわたるＳＲＢのための拡散ファクタを低減するように構成されるフレキシブル帯域幅キャリアシグナリングモジュール４１５および／またはフレキシブル帯域幅キャリアＳＲＢモジュール４１５−ａ（たとえば、拡散ファクタモジュール４３０による）を含む。いくつかの実施形態は、フレキシブル帯域幅キャリアにわたるＳＲＢのための送信電力を増加させるように構成されるフレキシブル帯域幅キャリアシグナリングモジュール４１５および／もしくはフレキシブル帯域幅キャリアＳＲＢモジュール４１５−ａ（たとえば、送信電力モジュール４３４による）、または送信機モジュール４２０を含む。これは、少なくとも低減された拡散ファクタを補償することができる。
【００８０】
[0102]場合によっては、フレキシブル帯域幅キャリアシグナリングモジュール４１５および／またはフレキシブル帯域幅キャリアＳＲＢモジュール４１５−ａは、少なくとも帯域幅スケーリングファクタまたはチップレートディバイダが２に等しく、通常帯域幅キャリアにわたるＳＲＢのためのＴＴＩが１０ｍｓであり、フレキシブル帯域幅キャリアにわたるＳＲＢのためのＴＴＩが２０ｍｓである構成を利用することができる。いくつかの場合は、少なくとも帯域幅スケーリングファクタまたはチップレートディバイダが４に等しく、通常帯域幅キャリアにわたるＳＲＢのためのＴＴＩが１０ｍｓであり、フレキシブル帯域幅キャリアにわたるＳＲＢのためのＴＴＩが４０ｍｓである場合を含むことができる。これらの例では、通常帯域幅キャリアにわたるＳＲＢのためのＳＲＢレートは、１３．６ｋｂｐｓであり得る。
【００８１】
[0103]いくつかの例はまた、通常帯域幅キャリアにわたるＳＲＢのためのＳＲＢレートが１３．６／２ｋｂｐｓである状況を含むことができる。これは、自然に拡張されたレート（すなわち、Ｎ＝４のときの１３．６／４ｋｂｐｓ）よりも依然として高い、通常帯域幅キャリアにわたるシグナリングのためのシグナリングレートの一部分の一例を提供し得る。これらの例は、通常帯域幅キャリアにわたる場合と同じＳＲＢレートではなく、それの一部分（ただし、自然に拡張されたレートよりも高い）を達成し得る。たとえば、Ｎ＝４の場合、拡張されたＳＲＢレートは１３．６／４ｋｂｐｓであり得る。いくつかの実施形態は、１３．６ｋｂｐｓのような通常にわたる場合と同じＳＲＢレートまたは自然に拡張されたレートよりも高いそれの一部分、すなわち１３．６／２ｋｂｐｓを達成する。
【００８２】
[0104]以下では、様々な実施形態による、図４Ａのデバイス４００−ａおよび／または図４Ｂのデバイス４００−ｂなどのデバイスによって実施され得る様々な特定の実施形態を提供する。
【００８３】
[0105]たとえば、いくつかの実施形態は、フレキシブル帯域幅ＵＭＴＳ（Ｆ−ＵＭＴＳ）にわたるアップリング（ＵＬ）およびダウンリンク（ＤＬ）における３．４ｋｂｐｓのスタンドアロンＳＲＢのためのサポートを提供する。ＵＭＴＳでは、以下のシグナリング無線ベアラレートが一般にサポートされる。  
・１．７ｋｂｐｓ：ＴＴＩ−８０ｍｓ、ＳＦ５１２／２５６（ＤＬ／ＵＬ）  
・３．４ｋｂｐｓ：ＴＴＩ−４０ｍｓ、ＳＦ２５６／２５６（ＤＬ／ＵＬ）  
・１３．６ｋｂｐｓ：ＴＴＩ−１０ｍｓ、ＳＦ１２８／６４（ＤＬ／ＵＬ）
【００８４】
[0106]Ｆ−ＵＭＴＳでは、スロット持続時間、フレーム持続時間、サブフレーム持続時間、無線フレーム持続時間、ＴＴＩは、時計の遅れによりＤｃｒのファクタで拡張され得、Ｄｃｒは、Ｆ−ＵＭＴＳのために使用されるチップレートディバイダであり得る。Ｄｃｒの値は、Ｆ−ＵＭＴＳにおける帯域幅スケーリングファクタ（すなわち、Ｎ）に等しくなり得る。そのため、Ｆ−ＵＭＴＳでは、データレートがＤｃｒのファクタでスケールダウンされることがあり、ＴＴＩスケーリングにより追加の遅延が導入され得る。よって、Ｆ−ＵＭＴＳにおけるＳＲＢレートは、たとえば次のようになり得る。  
・１．７／Ｄｃｒ  ｋｂｐｓ：ＴＴＩ−８０×Ｄｃｒ  ｍｓ、ＳＦ５１２／２５６（ＤＬ／ＵＬ）  
・３．４／Ｄｃｒ  ｋｂｐｓ：ＴＴＩ−４０×Ｄｃｒ  ｍｓ、ＳＦ２５６／２５６（ＤＬ／ＵＬ）  
・１３．６／Ｄｃｒ  ｋｂｐｓ：ＴＴＩ−１０×Ｄｃｒ  ｍｓ、ＳＦ１２８／６４（ＤＬ／ＵＬ）  
一例では、１／２ＢＷのフレキシブルＵＭＴＳシステム（たとえば、Ｎ＝２）の場合、以下の構成が利用され得る。  
・１．７／２ｋｂｐｓ（＝０．８５ｋｂｐｓ）：ＴＴＩ−８０×２ｍｓ（＝１６０ｍｓ）、ＳＦ５１２／２５６（ＤＬ／ＵＬ）  
・３．４／２ｋｂｐｓ（＝１．７ｋｂｐｓ）：ＴＴＩ−４０×２ｍｓ（＝８０ｍｓ）、ＳＦ２５６／２５６（ＤＬ／ＵＬ）  
・１３．６／２ｋｂｐｓ（＝６．８ｋｂｐｓ）：ＴＴＩ−１０×２ｍｓ（＝２０ｍｓ）、ＳＦ１２８／６４（ＤＬ／ＵＬ）
【００８５】
[0107]ＳＲＢのためのＴＴＩは、拡張ｍｓでは不変のままであり得るが、絶対値ではスケールアップアップされ得る一方、拡散ファクタ（ＳＦ）は、ＤＬおよびＵＬでは不変のままであり得ることに留意されたい。
【００８６】
[0108]低減されたＳＲＢレートは、たとえば、オーバージエアでのシグナリングメッセージの送信時間を増加させて、シグナリングプロシージャの遅延に影響を与え得る。これは、呼セットアップ遅延の増大、ハンドオーバのためのレイテンシの増大などをもたらし得る。ＣＮ内でのＲＮＣとコアＮＷとの間の呼セットアップ関連シグナリングなどは影響されないことがあることに留意されたい。また、いくつかの実施形態では、ＣＳ  ＲＡＢが確立されると、サポートするＣＳボイス（たとえば、１２．２ｋｂｐｓのＡＭＲ）オーバーＦ−ＵＭＴＳはＳＲＢレートを維持することができる。
【００８７】
[0109]したがって、ＵＭＴＳと比較して、Ｆ−ＵＭＴＳでは起動中にスタンドアロンＳＲＢレートを維持する動機があり得る。その場合、シグナリングプロシージャに追加の遅延はないことがある。以下では、３．４ｋｂｐｓのＳＲＢに関する例を提供するが、これらのツールおよび技法は、１．７ｋｂｐｓのＳＲＢレートまたは他のデータレートに適用され得る。
【００８８】
[0110]いくつかの実施形態は、Ｎ＝２または１／２ＢＷのＦ−ＵＭＴＳにおけるＤＣＣＨのためのＵＬ：３．４ｋｂｐｓのスタンドアロンＳＲＢのためのツールと技法とを提供する。たとえば、トランスポートチャネルのＴＴＩは、４０ｍｓからＮ＝２または１／２ＢＷのＦ−ＵＭＴＳのための２０ ｘ Ｄｃｒ ｍｓに変更され得る：  
・４ＳＲＢ→４ＤＣＣＨ→２０ ｘ Ｄｃｒを使用する１ＤＣＨ、つまり、２０ ｘ ２ｍｓ＝４０ｍｓ  ＴＴＩ  
このスキームは、ＵＥ１１５のようなＵＥと基地局１０５のような基地局との両方に適用される必要がある。
【００８９】
[0111]ＴＴＩ値の変更は、Ｆ−ＵＭＴＳにわたるＳＲＢレートを維持するのを支援することができる。これは、場合によっては、無線フレーム当たりの追加の符号化ビットに対応するために、ＳＦがファクタＤｃｒ（すなわちＮ）で低減されるべきであることを暗示し得る。これの一例として、３．４ｋｂｐｓのＳＲＢのためのＵＬのＳＦが、通常ＵＭＴＳのための２５６からＮ＝２または１／２ＢＷのＦ−ＵＭＴＳにおける１２８に変更され得る。他の場合には、無線フレーム当たりの追加の符号化ビットに対応するために、ＳＦの低減は必要ではないことがあり、使用されるスロットフォーマットにおけるビット数が十分であり得る。これの一例として、３．４ｋｂｐｓのＳＲＢのためのＤＬのＳＦが、２５６のままにとどまり得る。ただし、この場合、通常ＵＭＴＳと比較してＦ−ＵＭＴＳでは繰り返し数がより少なくなり得る。
【００９０】
[0112]無線フレームセグメンテーション中に、２０ ｘ Ｄｃｒ、すなわち２０ ｘ ２ｍｓ＝４０ｍｓのＤＣＣＨ  ＴＴＩは、２つの１０ ｘ Ｄｃｒ＝２０ｍｓの無線フレームに分けられ得る。表１に、様々な実施形態による、ダウンリンクおよびアップリンクパラメータの一例を示す。
【表１】
0005932160.tif 000002
【００９１】
[0113]表２に、様々な実施形態による、ＤＣＣＨのためのＵＬ：３．４ｋｂｐｓのＳＲＢのためのトランスポートチャネルパラメータを示す。
【表２】
0005932160.tif 000003
【００９２】
[0114]表３に、様々な実施形態による、アップリンクＴＦＣＳパラメータを示す。
【表３】
0005932160.tif 000004
【００９３】
[0115]表４に、様々な実施形態による、アップリンク物理パラメータを示す。
【表４】
0005932160.tif 000005
【００９４】
[0116]表５に、様々な実施形態による、ＤＣＣＨのためのＤＬ：３．４ｋｂｐｓのＳＲＢのためのダウンリンクトランスポートチャネルパラメータを示す。
【表５】
0005932160.tif 000006
【００９５】
[0117]表６に、様々な実施形態による、ダウンリンクＴＦＣＳパラメータを示す。
【表６】
0005932160.tif 000007
【００９６】
[0118]表７に、様々な実施形態による、ダウンリンク物理チャネルパラメータを示す。
【表７】
0005932160.tif 000008
【００９７】
[0119]いずれにせよ、ＳＦが低減され得る場合およびＳＦが低減されなくてよい場合であるが、繰り返しが低減され得る場合には、同じ信頼性を維持するために、送信電力が増加し得る。たとえば、いくつかの実施形態は、Ｎ＝２または１／２ＢＷのＦ−ＵＭＴＳのためにおおよそファクタｌｏｇ２（Ｄｃｒ） ｘ ３ｄＢ、すなわち３ｄＢで送信電力を増加させることができ、これは、ＳＦの低減または他の側面を補償し得る。他の表記法および同様の値が使用されてもよい（たとえば、１０ｌｏｇ１０（Ｄｃｒ）、ｆｌｏｏｒ（１０ｌｏｇ１０（Ｄｃｒ））、またはテーブル索引）。本明細書で説明する他の場合には、同じ公式が使用され得る。この送信電力増加は、ＵＥ１１５および／または基地局１０５の両方で行われ得る。送信電力のこの増加は、同じ電力スペクトル密度に必要とされるレベルに対するものであることがあり、そのため、通常ＵＭＴＳに対して絶対的には増加がないことがある。
【００９８】
[0120]ＴＴＩ値が絶対時間では不変のままであるとき、追加のレイテンシがないことがある。
【００９９】
[0121]いくつかの実施形態は、Ｎ＝４または１／４ＢＷのＦ−ＵＭＴＳにおけるＤＣＣＨのためのＵＬ３．４ｋｂｐｓおよびＤＬ３．４ｋｂｐｓのスタンドアロンＳＲＢのためのツールと技法とを提供する。たとえば、トランスポートチャネルのＴＴＩは、４０ｍｓからＮ＝４または１／４ＢＷのＦ−ＵＭＴＳのための１０ ｘ Ｄｃｒ  ｍｓに変更され得る：  
・４ＳＲＢ→４ＤＣＣＨ→１０ ｘ Ｄｃｒを使用する１ＤＣＨ、つまり、１０ ｘ ４ｍｓ＝４０ｍｓ  ＴＴＩ  
このスキームは、ユーザ機器１１５および／または基地局１０５の両方に適用され得る。いくつかの点では、Ｎ＝４または１／４ＢＷのＦ−ＵＭＴＳにわたる３．４ｋｂｐｓのＳＲＢは、通常、すなわちＮ＝１のＵＭＴＳにわたる１３．６ｋｂｐｓのＳＲＢに類似し得ることに留意されたい。
【０１００】
[0122]ＴＴＩ値の変更は、Ｆ−ＵＭＴＳにわたるＳＲＢレートを維持するのを支援することができる。場合によっては、無線フレーム当たりの追加の符号化ビットに対応するために、ＳＦはファクタＤｃｒ（すなわちＮ）で低減され得る。これの一例として、３．４ｋｂｐｓのＳＲＢのためのＵＬのＳＦが、通常ＵＭＴＳのための２５６およびＮ＝２または１／２ＢＷのＦ−ＵＭＴＳにおける１２８からＮ＝４または１／４ＢＷのＦ−ＵＭＴＳにおける６４に変更され得る。他の場合には、無線フレーム当たりの追加の符号化ビットに対応するために、ＳＦの低減は必要とされないことがあり、使用されるスロットフォーマットにおけるビット数が十分である。これの一例として、１．７ｋｂｐｓのＳＲＢのためのＤＬのＳＦが、Ｎ＝４または１／４ＢＷのＦ−ＵＭＴＳでは、Ｎ＝−２のＦ−ＵＭＴＳのように、不変のままにとどまり得る。この場合、通常ＵＭＴＳと比較してＦ−ＵＭＴＳでは繰り返し数がより少なくなり得る。
【０１０１】
[0123]１０ ｘ Ｄｃｒ、すなわち１０ ｘ ４ｍｓ＝４０ｍｓのＤＣＣＨ  ＴＴＩが１つの１０ ｘ Ｄｃ＝４０ｍｓの無線フレームに適合するので、無線フレームセグメンテーションの必要はないことがある。表８に、様々な実施形態による、ダウンリンクおよびアップリンクパラメータの一例を示す。
【表８】
0005932160.tif 000009
【０１０２】
[0124]表９に、様々な実施形態による、ＤＣＣＨのためのＵＬ：３．４ｋｂｐｓのＳＲＢのためのトランスポートチャネルパラメータを示す。
【表９】
0005932160.tif 000010
【０１０３】
[0125]表１０に、様々な実施形態による、アップリンクＴＦＣＳパラメータを示す。
【表１０】
0005932160.tif 000011
【０１０４】
[0126]表１１に、様々な実施形態による、アップリンク物理チャネルパラメータを示す。
【表１１】
0005932160.tif 000012
【０１０５】
[0127]表１２に、様々な実施形態による、ＤＣＣＨのためのＤＬ：３．４ｋｂｐｓのＳＲＢのためのダウンリンクトランスポートチャネルパラメータを示す。
【表１２−１】
0005932160.tif 000013
【０１０６】
[0128]表１３に、様々な実施形態による、ダウンリンクＴＦＣＳパラメータを示す。
【表１２−２】
0005932160.tif 000014
【０１０７】
[0129]表１３に、様々な実施形態による、ダウンリンク物理チャネルパラメータを示す。
【表１３】
0005932160.tif 000015
【０１０８】
[0130]ＳＦが低減される場合またはＳＦが低減されないが、繰り返しが低減され得る場合など、いくつかの実施形態では、同じ信頼性を維持するために、送信電力が増加し得る。いくつかの実施形態では、送信電力は、たとえば、Ｎ＝４または１／４ＢＷのＦ−ＵＭＴＳのためのおおよそファクタｌｏｇ２（Ｄｃｒ） ｘ ３ｄＢ、すなわち６ｄＢでの増加であってよく、これはＳＦの低減を補償し得る。これは、ユーザ機器１１５および／または基地局１０５の両方で行われ得る。送信電力のこの増加は、同じ電力スペクトル密度に必要とされるレベルに対するものであることがあり、そのため、通常ＵＭＴＳに対して絶対的には増加がない。
【０１０９】
[0131]いくつかの実施形態では、ＴＴＩ値が絶対時間では不変のままでとどまるとき、追加のレイテンシがない。Ｆ−ＵＭＴＳなどのフレキシブル帯域幅キャリアシステムでＳＲＢレートが維持されるとき、様々な影響があり得る。たとえば、ＲＬＣタイマーが影響を受けること、または影響を受けないことがある。たとえば、ＵＭＴＳの場合のようにＦ−ＵＭＴＳの場合に、３．４ｋｂｐｓのＳＲＢのためのＴＴＩが一定に保たれ得るとき、ＲＴＴは、絶対値では不変のままであり得る。ＴＴＩ値およびＲＴＴ値が同じままであることで、ＲＬＣタイマーの値は、絶対時間では同じままであり得る。
【０１１０】
[0132]Ｎ＝２およびＮ＝４または１／４ＢＷのＦ−ＵＭＴＳにわたる３．４ｋｂｐｓのＳＲＢをサポートするためのツールおよび技法は、１．７ｋｂｐｓさらには他のレートをサポートするために直接適用され得る。たとえば、１．７ｋｂｐｓの場合、ＴＴＩは、通常ＵＭＴＳにおける４０ｍｓの代わりに８０ｍｓであってよく、ＴＴＩ値は、Ｎ＝２または１／２ＢＷのＦ−ＵＭＴＳのための４０×Ｄｃｒ＝８０ｍｓ、およびＮ＝４または１／４ＢＷのＦ−ＵＭＴＳのための２０×Ｄｃｒ＝８０ｍｓに変更され得る。
【０１１１】
[0133]上記で説明したように、いくつかの実施形態は、Ｆ−ＵＭＴＳでは起動時に、３．４／Ｄｃｒ  ｋｂｐｓ（または１．７／Ｄｃｒ  ｋｂｐｓ）の代わりに３．４ｋｂｐｓのスタンドアロンＳＲＢレート（および／または１．７ｋｂｐｓのスタンドアロンＳＲＢレート）を維持し得る。限定はしないが、以下含め、この判定には様々な要素が影響を与え得る。  
・Ｄｃｒで低下したスタンドアロンＳＲＢレートは、呼セットアップ時間と他のシグナリングプロシージャとを増加させ得る。  
・起動時に、３．４ｋｂｐｓ（または１．７ｋｂｐｓ）のスタンドアロンＳＲＢレートが維持されない場合、ＴＴＩは拡張ｍｓでは不変のままであり得る一方、絶対時間では拡大され得る。ＳＲＢのためのＴＴＩは、ＲＲＣ接続セットアップ中にシグナリングされ得る。ＣＳボイスのためのＣＳ  ＲＡＢが確立されるとき、ＳＲＢのためのＴＴＩが絶対時間では不変のままであり得るように、ＳＲＢのためのＴＴＩは再構成され得る。起動からスタンドアロンＳＲＢレートを維持することは、ＳＲＢ  ＴＴＩの再構成を回避するのを支援し得る。  
・スタンドアロンＳＲＢレートが維持されるとき、ＴＴＩおよびＲＴＴは、絶対時間では同じままであり得る。結果として、絶対時間におけるＲＬＣタイマー値は同じままである。拡張時間では、単純な変換が必要とされる。
【０１１２】
[0134]いくつかの実施形態は、フレキシブル帯域幅ＵＭＴＳ（Ｆ−ＵＭＴＳ）にわたるアップリング（ＵＬ）およびダウンリンク（ＤＬ）における１３．６ｋｂｐｓのスタンドアロンＳＲＢのためのサポートを提供する。たとえば、ＵＭＴＳでは、以下のシグナリング無線ベアラレートがサポートされ得る。  
・１．７ｋｂｐｓ：ＴＴＩ−８０ｍｓ、ＳＦ５１２／２５６（ＤＬ／ＵＬ）  
・３．４ｋｂｐｓ：ＴＴＩ−４０ｍｓ、ＳＦ２５６／２５６（ＤＬ／ＵＬ）  
・１３．６ｋｂｐｓ：ＴＴＩ−１０ｍｓ、ＳＦ１２８／６４（ＤＬ／ＵＬ）
【０１１３】
[0135]Ｆ−ＵＭＴＳにおけるＳＲＢレートは、次のようになり得る。  
・１．７／Ｄｃｒ  ｋｂｐｓ：ＴＴＩ−８０ｘＤｃｒ  ｍｓ、ＳＦ５１２／２５６（ＤＬ／ＵＬ）
・３．４／Ｄｃｒ  ｋｂｐｓ：ＴＴＩ−４０ｘＤｃｒ  ｍｓ、ＳＦ２５６／２５６（ＤＬ／ＵＬ）
・１３．６／Ｄｃｒ  ｋｂｐｓ：ＴＴＩ−１０ｘＤｃｒ  ｍｓ、ＳＦ１２８／６４（ＤＬ／ＵＬ）
【０１１４】
[0136]いくつかの実施形態は、Ｎ＝２または１／２ＢＷのＦ−ＵＭＴＳにおけるＤＣＣＨのためのＵＬ：１３．６およびＤＬ：１３．６ｋｂｐｓのスタンドアロンＳＲＢのためのツールと技法とを提供する。たとえば、トランスポートチャネルのＴＴＩは、１０ｍｓからＮ＝２または１／２ＢＷのＦ−ＵＭＴＳのための１０ ｘ Ｄｃｒ  ｍｓに変更され得る。  
・４ＳＲＢ→４ＤＣＣＨ→１０ ｘ Ｄｃｒを使用する１ＤＣＨ、つまり、１０ ｘ ２ｍｓ＝２０ｍｓ  ＴＴＩ  
このスキームは、ユーザ機器１１５および／または基地局１０５の両方で適用され得る。
【０１１５】
[0137]たとえば、ＴＴＩがＵＭＴＳにおける１０ｍｓからＮ＝２または１／２ＢＷのＦ−ＵＭＴＳにおける２０ｍｓに増加するのに伴って、ＳＲＢレートを維持するために、２つのトランスポートブロックが連結され得る。これは、無線フレーム当たりの追加の符号化ビットに対応するために、ＳＦがファクタＤｃｒ（すなわちＮ）で低減され得ることを暗示している。この例では、ＴＴＩおよび無線フレームはいずれも１０×Ｄｃｒ＝１０×２＝２０ｍｓであるので、無線フレームセグメンテーションがなくてよく、ＵＭＴＳの場合のように、第１のインターリービングは識別情報（出力＝入力）であり得る。
【０１１６】
[0138]いくつかの実施形態では、ＴＴＩにおけるすべてのトランスポートブロックが直列に連結され得る。ＴＴＩにおけるビット数が当該のコードブロックの最大サイズよりも大きい場合、トランスポートブロックの連結後、コードブロックセグメンテーションが実行され得る。畳み込みコーディングのためのコードブロックの最大サイズは、たとえば５０４であり得る。Ｎ＝２または１／２ＢＷのＦ−ＵＭＴＳの場合、コードブロックサイズは５０４未満であることがあり、そのためコードブロックセグメンテーションの必要がないことがある。図５Ａに、様々な実施形態による、Ｎ＝２または１／２ＢＷのＦ−ＵＭＴＳにおけるＤＬ：１３．６ｂｐｓのＳＲＢのためのＴｒＣＨプロシージャ５００を示す。比較のために、図５Ｂに、様々な実施形態による、Ｎ＝２または１／２ＢＷのＦ−ＵＭＴＳにおけるＤＬ：３．４ｂｐｓのＳＲＢのためのＴｒＣＨプロシージャ５５０を示す。
【０１１７】
[0139]ＳＲＢレートを１３．６ｂｐｓに維持するＳＦスケーリングにより、同じ絶対時間に同じビット数があり得る。しかしながら、ＴＴＩが絶対時間で増加するのに伴って、ＡＣＫを得ることなく送られるＲＬＣ  ＰＤＵが多くなり得るので、ＲＬＣ  ＡＭのための送信ウィンドウサイズは拡大し得る。仕様による送信ウィンドウサイズの最大値は４Ｋであることがあり、これは、Ｎ＝２または１／２ＢＷのＦ−ＵＭＴＳにわたる１３．６ｋｂｐｓのＳＲＢにとって十分すぎるものであり得ることに留意されたい。
【０１１８】
[0140]同じ論理チャネルからのトランスポートブロックならびに異なる論理チャネルからのトランスポートブロックが連結され得ることに留意されたい。その理由は、各トランスポートブロックのＭＡＣヘッダ（４ビット）が、Ｃ／Ｔフィールド（すなわち、ＲＬＣ  ＰＤＵがどの論理チャネルに属するか）を伝達し得ることである。したがって、連結された２つのトランスポートブロックは、同じ論理チャネルからのもの、または異なる論理チャネルからのものであり得る。２つ以上のチャネルがデータを有する場合、ＭＡＣは、設定された論理チャネル優先度を使用して、どのＲＬＣ  ＰＤＵを送るべきかを判定することができる。図６に、様々な実施形態による、Ｎ＝２または１／２ＢＷのＵＭＴＳにおける１３．６ｋｂｐｓのＳＲＢのためのトランスポートブロックの連結の一例６００を示す。
【０１１９】
[0141]様々な実施形態によるアップリンクのための２つの代替構成は、示された表１４および表１５である。表１５の構成は、いかなる不利点もなく低減されたＴＦＣＳサイズをもたらし得る。表１４に、様々な実施形態による、Ｎ＝２または１／２ＢＷのＦ−ＵＭＴＳにおけるＤＣＣＨのためのＵＬ：１３．６ｋｂｐｓのＳＲＢのためのトランスポートチャネルパラメータを示す。
【表１４】
0005932160.tif 000016
【０１２０】
[0142]表１４におけるＴＦＳは、様々な可能性の順列であり得る。表１５に示す代替構成では、ＴＦＳは、様々な可能性の組合せであり得る。表１５に、様々な実施形態による、Ｎ＝２または１／２ＢＷのＦ−ＵＭＴＳにおけるＤＣＣＨのためのＵＬ：１３．６ｋｂｐｓのＳＲＢのための代替トランスポートチャネルパラメータを与える。
【表１５】
0005932160.tif 000017
【０１２１】
[0143]この構成の場合、ＴＦＣＳサイズは３であり、ＴＦＣＳエントリはＴＦ０、ＴＦ１またはＴＦ２であり得る。しかしながら、これはＴＦＣＳの表１６に再び示されてはおらず、ＴＦＣＳの表１６は前に検討された構成のために示されている。
【表１６】
0005932160.tif 000018
【０１２２】
[0144]表１７に、様々な実施形態による、ダウンリンク物理チャネルパラメータを示す。
【表１７】
0005932160.tif 000019
【０１２３】
[0145]ダウンリンクのために、表１８および表１９に、様々な実施形態による代替構成を与える。たとえば、表１８に、様々な実施形態による、Ｎ＝２または１／２ＢＷのＦ−ＵＭＴＳにおけるＤＣＣＨのためのＤＬ：１３．６ｋｂｐｓのＳＲＢのためのトランスポートチャネルパラメータを与える。
【表１８】
0005932160.tif 000020
【０１２４】
[0146]表１８におけるＴＦＳは、様々な可能性の順列であり得る。表１９に示す代替構成では、ＴＦＳは、様々な可能性の組合せであり得る。たとえば、表１９に、様々な実施形態による、Ｎ＝２または１／２ＢＷのＦ−ＵＭＴＳにおけるＤＣＣＨのためのＤＬ：１３．６ｋｂｐｓのＳＲＢのための代替トランスポートチャネルパラメータを与える。
【表１９】
0005932160.tif 000021
【０１２５】
[0147]表１９の構成の場合、ＴＦＣＳサイズは３であってよく、ＴＦＣＳエントリはＴＦ０、ＴＦ１またはＴＦ２であり得る。しかしながら、これはＴＦＣＳの表２０に再び示されなくてもよく、ＴＦＣＳの表２０は前に検討された構成のために示されている。
【表２０】
0005932160.tif 000022
【０１２６】
[0148]表２１に、様々な実施形態による、物理チャネルパラメータを与える。
【表２１】
0005932160.tif 000023
【０１２７】
[0149]表２２に、様々な実施形態による、ＤＬスロットフォーマット（ＤＰＤＣＨフィールドおよびＤＰＣＣＨフィールド）を与える。
【表２２】
0005932160.tif 000024
【０１２８】
[0150]表２２において使用されるスロットフォーマット８は、圧縮モードのために現在のＵＭＴＳ仕様において使用されるＤＬ  ＤＰＤＣＨ＋ＤＰＣＣＨにおけるスロットフォーマット８Ｂに対応し得る。Ｎ＝２または１／２ＢＷのＦ−ＵＭＴＳシステムの場合、帯域幅がより少ないことがあり、１３．６ｋｂｐｓのＳＲＢのタイミングおよびビット要件が同じであり得るので、拡散ファクタは、ビット／スロットしたがってビット／フレームを増加させるために低減され得る。しかしながら、Ｎ＝２または１／２ＢＷのＦ−ＵＭＴＳでは時間が拡張されるので、チャネルビットレートまたはチャネルシンボルレートは不変のままであり得る。通常ＵＭＴＳ（すなわち、Ｎ＝１のＵＭＴＳ）と比較して、Ｎ＝２または１／２ＢＷのＦ−ＵＭＴＳでは、レートマッチング調整方法も、不変のままにとどまり得る。表２２におけるＤＬ  ＤＰＣＨスロットフォーマット８は、Ｎ＝２または１／２ＢＷのＦ−ＵＭＴＳの通常モードのための１２．２ｋｂｐｓのＡＭＲに使用されるＤＬ  ＤＰＣＨスロットフォーマットと同じであり得る。
【０１２９】
[0151]ＵＭＴＳ（Ｎ＝１）では、ダウンリンクでトランスポートフォーマット組合せインジケータ（ＴＦＣＩ：Transport Format Combination Indicator）が送られないことがあるので、ＤＬ：１３．６ｋｂｐｓのＳＲＢにブラインドトランスポートフォーマット検出（ＢＴＦＤ：Blind Transport Format Detection）が使用され得る。表２３に示すスロットフォーマット８（ＳＦ１２８）は、ＤＬスロットフォーマット（ＤＰＤＣＨフィールドおよびＤＰＣＣＨフィールド）を示しており、ＤＬ参照構成で使用されることがあり、ＴＦＣＩを有しないことがある。場合によっては、ＴＦＣＩの存在は、ダウンリンクでは偽に設定され得る。
【表２３】
0005932160.tif 000025
【０１３０】
[0152]Ｎ＝２の場合、表２３に示す再解釈されたスロットフォーマット８は、ＴＦＣＩを有しないこともある。場合によっては、いくつかの制限が、ＢＴＦＤのために利用され、適合され得る。Ｎ＝２または１／２ＢＷのＦ−ＵＭＴＳのためのＤＬ１３．６ｋｂｐｓにＢＴＦＤが対応できるように、以下の制限が変更される必要があり得る。  
・無線フレーム当たりで受信されるＣＣＴｒＣＨビットの数は、６００ ｘ Ｄｃｒ以下である。
【０１３１】
[0153]この制限は、ＤＬ  ＢＴＦＤ動作のためのＮ＝２または１／２ＢＷ  のＦ−ＵＭＴＳにわたる１２．２ｋｂｐｓのＡＭＲの場合と同様であり得る。いくつかの実装形態は、無線フレーム当たりで受信されるより多くのＣＣＴｒＣＨビットに伴うＢＴＦＤを実行する問題を有しないことが予想され得る。
【０１３２】
[0154]ＴＦＣの数は、１０×２＝４０ｍｓの無線フレーム当たりで２つのトランスポートチャネルブロックが連結されることにより、（Ｎ＝１の場合の）２からＮ＝２の場合の４に増加していてよい。しかしながら、ＢＴＦＤでは、ＴＦＣＳのサイズは６４に制限されてよく、したがって制限は変更されないことがある。  
・ＣＣＴｒＣＨのトランスポートフォーマット組合せの数は６４以下である。
【０１３３】
[0155]いくつかの実施形態は、以下のような制限を利用し得る。  
・すべての明示的に検出可能なＴｒＣＨのトランスポートフォーマットセットサイズの合計は、１６以下である。トランスポートフォーマットセットサイズは、トランスポートフォーマットセット内のトランスポートフォーマットの数として定義される。
【０１３４】
[0156]Ｎ＝２または１／２ＢＷのＦ−ＵＭＴＳの場合、ＴＦＳサイズは４であってよく、ＴｒＣＨは、ゼロでない長さをもつＣＲＣがこのＴｒＣＨ上のすべてのトランスポートブロックに付加され得るので、明示的に検出可能であり得る。そのため、この制限も変更されなくてよい。
【表２４】
0005932160.tif 000026
【０１３５】
[0157]表２４に、様々な実施形態による、ＤＬスロットフォーマット（ＤＰＤＣＨフィールドおよびＤＰＣＣＨフィールド）を与える。表２４において使用されるスロットフォーマットが、現在のＵＭＴＳシステムのＵＬ  ＤＰＤＣＨにおいて使用されるスロットフォーマット３に対応し得ることに留意されたい。Ｎ＝２または１／２ＢＷのＦ−ＵＭＴＳシステムの場合、帯域幅がより少ないことがあり、１３．６ｋｂｐｓのＳＲＢのタイミングおよびビット要件が同じであり得るので、拡散ファクタは、ビット／スロットしたがってビット／フレームを増加させるために低減され得る。しかしながら、Ｎ＝２または１／２ＢＷのＦ−ＵＭＴＳでは時間が拡張されるので、チャネルビットレートまたはチャネルシンボルレートは不変のままとどまり得る。通常ＵＭＴＳ、すなわち、Ｎ＝１のＵＭＴＳと比較して、Ｎ＝２または１／２ＢＷのＦ−ＵＭＴＳでは、レートマッチング調整方法は、不変のままとどまり得る。表２５におけるＵＬ  ＤＰＤＣＨスロットフォーマット２は、Ｎ＝２または１／２ＢＷのＦ−ＵＭＴＳの通常モードのための１２．２ｋｂｐｓのＡＭＲに使用されるＵＬ  ＤＰＤＣＨスロットフォーマットと同じであり得る。
【０１３６】
[0158]いくつかの実施形態は、Ｎ＝２または１／２ＢＷのＦ−ＵＭＴＳにわたる１３．６ｋｂｐｓのＳＲＢのための異なるＲＬＣ  ＰＤＵサイズを提供する。たとえば、ＵＭＴＳにおける１３．６ｋｂｐｓのＳＲＢの場合に、ＲＬＣ  ＳＤＵサイズは、ＲＬＣ  ＵＭでは１３６ビット、ＲＬＣ  ＡＭ動作では１２８ビットであり得る（どちらの場合も、ＲＬＣ  ＰＤＵサイズは１４４ビットである）。ベースライン解は、Ｎ＝２または１／２ＢＷのＦ−ＵＭＴＳのためのＲＬＣ  ＳＤＵおよびＰＤＵのサイズを、通常ＵＭＴＳの場合と同じに保つことができる。しかしながら、Ｎ＝２または１／２ＢＷのＦ−ＵＭＴＳにわたる１３．６ｋｂｐｓのＳＲＢは、より大きいＲＬＣ  ＳＤＵ、たとえば３２０ビットを使用することができる。その場合、トランスポートブロック連結は使用されない場合があり、ＳＤＵサイズを３２０ビットにするためにパディングが使用され得る。
【０１３７】
[0159]いくつかの実施形態は、送信電力調整を利用する。たとえば、ＳＦはＵＬおよびＤＬにおいて、ＳＲＢレートを維持するためにＤｃｒで低減され得るので、ＳＦの低減を補償するために、送信電力は、Ｎ＝２または１／２ＢＷのＦ−ＵＭＴＳのためにおおよそファクタｌｏｇ２（Ｄｃｒ） ｘ ３ｄＢ、すなわち３ｄＢで増加し得る。これは、ユーザ機器１１５および／または基地局１０５の両方で行われ得る。しかしながら、送信電力のこの増加は、同じ電力スペクトル密度に必要とされるレベルに対するものであることがあり、そのため、通常ＵＭＴＳに対して絶対的には増加がない。
【０１３８】
[0160]いくつかの実施形態は、レイテンシに影響を及ぼすこと、または及ぼさないことがある。たとえば、ＴＴＩごとに、２つの連結されたトランスポートブロックがＰＨＹに配信され得る。（処理時間がＤｃｒでスケーリングされないと仮定すると）何らかのＰＨＹレイヤ処理の後に、オーバージエア送信は、現在の仕様制限により次の無線フレーム境界においてのみ開始することが許可され得る。しかしながら、Ｎ＝２または１／２ＢＷのＦ−ＵＭＴＳシステムの場合、ＴＴＩは１０ ｘ Ｄｃｒ＝２０ｍｓであり、無線フレームはまた１０ ｘ Ｄｃｒ＝２０ｍｓであり得るので、通常ＵＭＴＳシステムと比較して追加のレイテンシがあり得る。
【０１３９】
[0161]いくつかの実施形態は、Ｎ＝４または１／４ＢＷのＦ−ＵＭＴＳにおけるＤＣＣＨのためのＵＬ：１３．６およびＤＬ：１３．６ｋｂｐｓのスタンドアロンＳＲＢをサポートするためのツールと技法とを提供する。たとえば、トランスポートチャネルのＴＴＩは、１０ｍｓからＮ＝４または１／４ＢＷのＦ−ＵＭＴＳのための１０ ｘ Ｄｃｒ＝４０ｍｓに変更され得る。  
・４ＳＲＢ→４ＤＣＣＨ→１０ ｘ Ｄｃｒを使用する１ＤＣＨ、つまり、１０ ｘ ４ｍｓ＝４０ｍｓ  ＴＴＩ  
このスキームは、ユーザ機器１１５および／または基地局１０５の両方で適用され得る。
【０１４０】
[0162]ＴＴＩがＵＭＴＳにおける１０ｍｓからＮ＝４または１／４ＢＷのＦ−ＵＭＴＳにおける４０ｍｓに増加するのに伴って、ＳＲＢレートを維持するために、４つのトランスポートブロックが連結され得る。場合によっては、無線フレーム当たりの追加の符号化ビットに対応するために、ＳＦはファクタＤｃｒ（すなわちＮ）で低減され得る。ＴＴＩおよび無線フレームはいずれも１０×Ｄｃｒ＝１０×４＝４０ｍｓであり得るので、無線フレームセグメンテーションがなくてよく、ＵＭＴＳの場合のように、第１のインターリービングは識別情報（出力＝入力）であり得る。図７Ａに、様々な実施形態による、Ｎ＝４または１／４ＢＷのＦ−ＵＭＴＳにおけるＤＬ：１３．６ｋｂｐｓのＳＲＢのためのＴｒＣＨプロシージャの一例７００を示す。比較のために、図７Ｂに、様々な実施形態による、Ｎ＝４または１／４ＢＷのＦ−ＵＭＴＳにおけるＤＬ：３．４ｋｂｐｓのＳＲＢのためのＴｒＣＨプロシージャ７５０の一例を示す。
【０１４１】
[0163]ＴＴＩにおけるトランスポートブロックが直列に連結され得る。ＴＴＩにおけるビット数が当該のコードブロックの最大サイズよりも大きい場合、トランスポートブロックの連結後、コードブロックセグメンテーションが実行され得る。畳み込みコーディングのためのコードブロックの最大サイズは、５０４であり得る。Ｎ＝４または１／４ＢＷのＦ−ＵＭＴＳの場合、コードブロックサイズは５０４を上回ることがあり、コードブロックセグメンテーションが利用され得る。各コードブロックのためのチャネルコーディングの後、符号化ブロックが直列に連結され得る。
【０１４２】
[0164]ＳＲＢレートを１３．６ｂｐｓに維持するＳＦスケーリングにより、通常ＵＭＴＳの場合のように、同じ絶対時間に同じビット数があり得る。しかしながら、ＴＴＩが絶対時間で増加し得るのに伴って、ＡＣＫを得ることなく送られるＲＬＣ  ＰＤＵが多くなるので、ＲＬＣ  ＡＭのための送信ウィンドウサイズは拡大し得る。仕様による送信ウィンドウサイズの最大値は４Ｋであることがあり、これは、Ｎ＝４または１／４ＢＷのＦ−ＵＭＴＳにわたる１３．６ｋｂｐｓのＳＲＢにとって十分すぎるものであり得ることに留意されたい。図８に、様々な実施形態による、Ｎ＝４または１／４ＢＷのＵＭＴＳにおける１３．６ｋｂｐｓのＳＲＢのためのトランスポートブロックの連結の一例８００を示す。
【０１４３】
[0165]同じ論理チャネルからのトランスポートブロックならびに異なる論理チャネルからのトランスポートブロックが連結され得ることに留意されよう。その理由は、各トランスポートブロックのＭＡＣヘッダ（４ビット）が、Ｃ／Ｔフィールド（すなわち、ＲＬＣ  ＰＤＵがどの論理チャネルに属するか）を伝達し得ることである。したがって、連結された４つのトランスポートブロックは、同じ論理チャネルからのもの、または異なる論理チャネルからのものであり得る。２つ以上のチャネルがデータを有する場合、ＭＡＣは、設定された論理チャネル優先度を使用して、どのＲＬＣ  ＰＤＵを送るべきかを判定することができる。
【０１４４】
[0166]表２６および表２７に、様々な実施形態によるアップリンク構成を与える。後者は、いかなる不利点もなく低減されたＴＦＣＳサイズをもたらすので、推奨される構成は後者である。たとえば、表２６に、様々な実施形態による、Ｎ＝４または１／４ＢＷのＦ−ＵＭＴＳにおけるＤＣＣＨのためのＵＬ：１３．６ｋｂｐｓのＳＲＢのためのトランスポートチャネルパラメータを与える。
【表２５】
0005932160.tif 000027
【０１４５】
[0167]表２５におけるＴＦＳは、様々な可能性の順列であり得る。表２６に示す代替構成では、ＴＦＳは、様々な可能性の組合せであり得る。たとえば、表２６に、様々な実施形態による、Ｎ＝４または１／４ＢＷのＦ−ＵＭＴＳにおけるＤＣＣＨのためのＵＬ：１３．６ｋｂｐｓのＳＲＢのための代替トランスポートチャネルパラメータを与える。
【表２６】
0005932160.tif 000028
【０１４６】
[0168]表２６の場合、ＴＦＣＳサイズは５であってよく、ＴＦＣＳエントリはＴＦ０、ＴＦ１、ＴＦ２、ＴＦ３またはＴＦ４であり得る。しかしながら、これはＴＦＣＳの表２７に再び示されてはおらず、ＴＦＣＳの表２７は前に検討された構成のために示されている。
【表２７】
0005932160.tif 000029
【０１４７】
[0169]表２８に、様々な実施形態による、アップリンク物理チャネルパラメータを与える。
【表２８】
0005932160.tif 000030
【０１４８】
[0170]表２９および表３０に、様々な実施形態による、Ｎ＝４または１／４ＢＷのＦ−ＵＭＴＳにおけるＤＣＣＨのためのＤＬ：１３．６ｋｂｐｓのＳＲＢのためのトランスポートチャネルパラメータのための構成を与える。表３０のための構成は、いかなる不利点もなくＴＦＣＳサイズを低減し得る。
【表２９】
0005932160.tif 000031
【０１４９】
[0171]表３０におけるＴＦＳは、様々な可能性の順列であり得る。表３１では、ＴＦＳは、様々な可能性の組合せであり得る。
【表３０】
0005932160.tif 000032
【０１５０】
[0172]表３０の構成の場合、ＴＦＣＳサイズは５であってよく、ＴＦＣＳエントリはＴＦ０、ＴＦ１、ＴＦ２、ＴＦ３またはＴＦ４であり得る。これはＴＦＣＳの表３１に再び示されなくてもよく、ＴＦＣＳの表３１は前に検討された構成のために示されている。
【表３１】
0005932160.tif 000033
【０１５１】
[0173]表３２に、様々な実施形態による、ダウンリンク物理チャネルパラメータを与える。
【表３２】
0005932160.tif 000034
【０１５２】
[0174]表３３に、様々な実施形態による、ＤＬスロットフォーマット（ＤＰＤＣＨフィールドおよびＤＰＣＣＨフィールド）を与える。
【表３３】
0005932160.tif 000035
【０１５３】
[0175]上記の表３３において使用されるスロットフォーマット８が、現在のＵＭＴＳ仕様において使用されるＤＬ  ＤＰＤＣＨ＋ＤＰＣＣＨにおける任意のスロットフォーマットに対応し得ることに留意されよう。ただし、それはいくつかの実施形態では、圧縮モードにおけるＮ＝２または１／２ＢＷのＦ−ＵＭＴＳにわたる１２．２ｋｂｐｓのＡＭＲのためのＤＬ  ＤＰＤＣＨ＋ＤＰＣＣＨにおけるスロットフォーマット８Ｂ、および通常モードにおけるＮ＝４または１／４ＢＷのＦ−ＵＭＴＳにわたる１２．２ｋｂｐｓのＡＭＲのためのスロットフォーマットに対応し得る。Ｎ＝４または１／４ＢＷのＦ−ＵＭＴＳのシステムの場合、帯域幅がより少なくてよく、１３．６ｋｂｐｓのＳＢＲのタイミングおよびビット要件が同じであり得るので、拡散ファクタは、ビット／スロットしたがってビット／フレームを増加させるために低減され得る。Ｎ＝４または１／４ＢＷのＦ−ＵＭＴＳでは時間が拡張されてよいので、チャネルビットレートまたはチャネルシンボルレートは不変のままとどまり得る。レートマッチング調整方法は、通常のＵＭＴＳ（すなわち、Ｎ＝１のＵＭＴＳまたはＮ＝２または１／２ＢＷのＦ−ＵＭＴＳ）と比較してＮ＝４または１／４ＢＷのＦ−ＵＭＴＳでは不変ままとどまり得る。
【０１５４】
[0176]ＵＭＴＳ（Ｎ＝１）では、ダウンリンクでトランスポートフォーマット組合せインジケータ（ＴＦＣＩ）が送られないことがあるので、ＤＬ：１３．６ｋｂｐｓのＳＲＢにブラインドトランスポートフォーマット検出（ＢＴＦＤ）が使用され得る。いくつかの実施形態では、表３３に示すスロットフォーマット８（ＳＦ８）は、ＤＬ参照構成で使用されることがあり、ＴＦＣＩを有しないことがある。場合によっては、ＴＦＣＩの存在は、ダウンリンクでは偽に設定され得る。
【０１５５】
[0177]Ｎ＝４の場合、表３３に示す再解釈されたスロットフォーマット８は、ＴＦＣＩを有しないこともある。いくつかの実施形態は、ＢＴＦＤのために適合される必要のあるいくつかの制限を課し得る。いくつかの実施形態では、Ｎ＝４または１／４ＢＷのＦ−ＵＭＴＳのための１３．６ｋｂｐｓのＳＲＢにＢＴＦＤが対応できるように、以下の制限が変更され得る。  
・無線フレーム当たりで受信されるＣＣＴｒＣＨビットの数は、６００ ｘ Ｄｃｒ以下である。  
この制限は、いくつかの実施形態では、ＤＬ  ＢＴＦＤ動作のためのＮ＝４または１／４ＢＷのＦ−ＵＭＴＳにわたる１２．２ｋｂｐｓのＡＭＲの場合と同様であり得る。いくつかの実施形態は、無線フレーム当たりで受信されるより多くのＣＣＴｒＣＨビットに伴うＢＴＦＤを実行する問題を有しないことがある。
【０１５６】
[0178]ＴＦＣの数は、１０×４＝４０ｍｓの無線フレーム当たりで４つのトランスポートチャネルブロックが連結されることにより、（Ｎ＝１の場合の）２からＮ＝４の場合の１６に増加し得る。いくつかの実施形態は、ＢＴＦＤでは、ＴＦＣＳのサイズ制限を６４とし、制限は変更されないことがある。  
・ＣＣＴｒＣＨのトランスポートフォーマット組合せの数は６４以下である。  
いくつかの実施形態は、以下の制限を利用し得る。  
・すべての明示的に検出可能なＴｒＣＨのトランスポートフォーマットセットサイズの合計は、１６以下であり得る。トランスポートフォーマットセットサイズは、トランスポートフォーマットセット内のトランスポートフォーマットの数として定義され得る：。Ｎ＝４または１／４ＢＷのＦ−ＵＭＴＳの場合、ＴＦＳサイズは１６であってよく、ＴｒＣＨは、ゼロでない長さをもつＣＲＣがこのＴｒＣＨ上のすべてのトランスポートブロックに付加されるので、明示的に検出可能であり得る。そのため、この制限も変更される必要がない。
【０１５７】
[0179]Ｎ＝２または１／２ＢＷのＦ−ＵＭＴＳにわたる１２．２ｋｂｐｓのＡＭＲのための代替スロットフォーマットとして、他のスロットフォーマットが利用され得る。表３４に、様々な実施形態による、ＵＬスロットフォーマット（ＤＰＤＣＨフィールド）を与える。
【表３４】
0005932160.tif 000036
【０１５８】
表３４において使用されるスロットフォーマットが、現在のＵＭＴＳシステムのＵＬ  ＤＰＤＣＨにおいて使用されるスロットフォーマット４に対応し得ることに留意されよう。Ｎ＝４または１／４ＢＷのＦ−ＵＭＴＳシステムの場合、帯域幅がより少なくてよく、１３．６ｋｂｐｓのＳＲＢのタイミングおよびビット要件が同じであり得るので、拡散ファクタは、ビット／スロットしたがってビット／フレームを増加させるために低減され得る。Ｎ＝４または１／４ＢＷのＦ−ＵＭＴＳでは時間が拡張されるので、チャネルビットレートまたはチャネルシンボルレートは不変のままとどまり得る。レートマッチング調整方法は、Ｎ＝４または１／４ＢＷのＦ−ＵＭＴＳでは、通常のＵＭＴＳ、すなわち、Ｎ＝１のＵＭＴＳまたはＮ＝２または１／２ＢＷのＦ−ＵＭＴＳと比較して、不変のままとどまり得る。
【０１５９】
[0180]いくつかの実施形態は、Ｎ＝２または１／２ＢＷのＦ−ＵＭＴＳにわたる１３．６ｋｂｐｓのＳＲＢのための異なるＲＬＣ  ＰＤＵサイズを利用し得る。たとえば、ＵＭＴＳにおける１３．６ｋｂｐｓのＳＲＢの場合に、ＲＬＣ  ＳＤＵサイズは、ＲＬＣ  ＵＭでは１３６ビット、ＲＬＣ  ＡＭ動作では１２８ビットであり得る（どちらの場合も、ＲＬＣ  ＰＤＵサイズは１４４ビットである）。いくつかの実施形態は、Ｎ＝２または１／２ＢＷのＦ−ＵＭＴＳのためのＲＬＣ  ＳＤＵおよびＰＤＵのサイズを、通常ＵＭＴＳの場合と同じに保つ。Ｎ＝４または１／４ＢＷのＦ−ＵＭＴＳにわたる１３．６ｋｂｐｓのＳＲＢは、より大きいＲＬＣ  ＳＤＵサイズ、たとえば３２０ビット、６４０ビットを使用することができる。３２０ビットのＲＬＣ  ＳＤＵサイズの場合、トランスポートブロック連結は依然として必要とされることがあり、ＳＤＵサイズを３２０ビットにするためにパディングが使用されなければならない。６４０ビットのＲＬＣ  ＳＤＵサイズの場合、トランスポートブロック連結は使用されない場合があり、ＳＤＵサイズを６４０ビットにするためにパディングが使用され得る。
【０１６０】
[0181]いくつかの実施形態は、送信電力調整を利用する。たとえば、ＳＦはＵＬおよびＤＬにおいて、ＳＲＢレートを維持するためにＤｃｒで低減され得るので、送信電力は、たとえば、Ｎ＝４または１／４ＢＷのＦ−ＵＭＴＳのためにおおよそファクタｌｏｇ２（Ｄｃｒ） ｘ ３ｄＢ、すなわち６ｄＢで増加することができ、これは、たとえばＳＦの低減を補償し得る。電力調整は、ユーザ機器１１５および／または基地局１０５の両方で行われ得る。送信電力のこの増加は、同じ電力スペクトル密度に必要とされるレベルに対するものであることがあり、通常ＵＭＴＳに対して絶対的には増加がないことがある。
【０１６１】
[0182]いくつかの実施形態は、レイテンシに影響を及ぼすこと、または及ぼさないことがある。たとえば、ＴＴＩでは、４つの連結されたトランスポートブロックがＰＨＹに配信され得る。（処理時間がＤｃｒでスケーリングされないと仮定すると）何らかのＰＨＹレイヤ処理の後に、オーバージエア送信は、現在の仕様制限により次の無線フレーム境界においてのみ開始することが許可され得る。しかしながら、Ｎ＝４または１／４ＢＷのＦ−ＵＭＴＳシステムの場合、ＴＴＩは１０ ｘ Ｄｃｒ＝４０ｍｓであってもよく、無線フレームはまた１０ ｘ Ｄｃｒ＝４０ｍｓであり得るので、通常ＵＭＴＳシステムと比較して追加のレイテンシがあり得る。追加のレイテンシＵＭＴＳを計算する際、処理遅延は、通常のＵＭＴＳの場合のように一定のままであると仮定され得ることに留意されよう。
【０１６２】
[0183]いくつかの実施形態は、Ｎ＝４または１／４ＢＷのＦ−ＵＭＴＳにおけるＤＣＣＨのためのＵＬ：１３．６／２およびＤＬ：１３．６／２ｋｂｐｓのスタンドアロンＳＲＢのためのサポートを提供する。たとえば、トランスポートチャネルのＴＴＩは、１０ｍｓからＮ＝４または１／４ＢＷのＦ−ＵＭＴＳのための１０ ｘ Ｄｃｒ  ｍｓに変更され得る。  
・４ＳＲＢ→４  ＤＣＣＨ→１０ ｘ Ｄｃｒを使用する１ＤＣＨ、つまり、１０ ｘ ４ｍｓ＝４０ｍｓ  ＴＴＩ  
このスキームは、ユーザ機器１１４および／または基地局１０５の両方で適用され得る。
【０１６３】
[0184]ＴＴＩがＵＭＴＳにおける１０ｍｓからＮ＝４または１／４ＢＷのＦ−ＵＭＴＳにおける４０ｍｓに増加し得るのに伴って、ＳＲＢレートを１３．６／２ｂｐｓに維持するために、１３．６ｋｂｐｓを維持するために４つのトランスコードブロックが連結されるのとは対照的に、２つのトランスコードブロックが連結され得る。無線フレーム当たりの追加の符号化ビットに対応するために、ＳＦはファクタＤｃｒ／２（すなわちＮ）で低減され得る。ＴＴＩおよび無線フレームはいずれも１０×Ｄｃｒ＝１０×４＝４０ｍｓであるので、無線フレームセグメンテーションがなくてよく、ＵＭＴＳの場合のように、第１のインターリービングは識別情報（出力＝入力）であり得る。
【０１６４】
[0185]図９に、様々な実施形態による、Ｎ＝４または１／４ＢＷのＦ−ＵＭＴＳにおけるＤＬ：１３．６／２ｋｂｐｓのＳＲＢのためのＴｒＣＨプロシージャの一例９００を示す。ＴＴＩにおけるブロックが直列に連結され得る。ＴＴＩにおけるビット数が当該のコードブロックの最大サイズよりも大きくなり得る場合、トランスポートブロックの連結後、コードブロックセグメンテーションが実行され得る。畳み込みコーディングのためのコードブロックの最大サイズは、５０４であり得る。Ｎ＝４または１／４ＢＷのＦ−ＵＭＴＳ、かつ１３．６／２ｋｂｐｓのＳＲＢの場合、コードブロックサイズは５０４未満であることがあり、そのためコードブロックセグメンテーションの必要がないことがある。図９は図５Ａと同じであり得ることに留意されよう。
【０１６５】
[0186]ＳＲＢレートを１３．６／２ｂｐｓに維持するＳＦスケーリングにより、１３．６ｋｂｐｓのＳＲＢと比較して、同じ絶対時間に半分のビット数があり得る。ＴＴＩが絶対時間で増加し得るのに伴って、ＡＣＫを得ることなく送られるＲＬＣ  ＰＤＵが多くなるので、ＲＬＣ  ＡＭのための送信ウィンドウサイズは拡大し得る。仕様による送信ウィンドウサイズの最大値は４Ｋであることがあり、これは、Ｎ＝４または１／４ＢＷのＦ−ＵＭＴＳにわたる１３．６／２ｋｂｐｓのＳＲＢにとって十分すぎるものであり得ることに留意されよう。
【０１６６】
[0187]図１０に、様々な実施形態による、Ｎ＝４または１／４ＢＷのＵＭＴＳにおける１３．６／２ｋｂｐｓのＳＲＢのためのトランスポートブロックの連結の一例１０００を示す。同じ論理チャネルからのトランスポートブロックならびに異なる論理チャネルからのトランスポートブロックが連結され得ることに留意されよう。その理由は、各トランスポートブロックのＭＡＣヘッダ（４ビット）が、Ｃ／Ｔフィールド（すなわち、ＲＬＣ  ＰＤＵがどの論理チャネルに属するか）を伝達し得ることである。たとえば、連結された２つのトランスポートブロックは、同じ論理チャネルからのもの、または異なる論理チャネルからのものであり得る。２つ以上のチャネルがデータを有する場合、ＭＡＣは、設定された論理チャネル優先度を使用して、どのＲＬＣ  ＰＤＵを送るべきかを判定することができる。図１０は図６と同じであり得ることに留意されよう。
【０１６７】
[0188]表３５および表３６に、様々な実施形態による、代替アップリンク構成を与える。表３６は、いかなる不利点もなく低減されたＴＦＣＳサイズをもたらし得る構成を与え得る。表３５に、様々な実施形態による、Ｎ＝２または１／２ＢＷのＦ−ＵＭＴＳにおけるＤＣＣＨのためのＵＬ：１３．６／２ｋｂｐｓのＳＲＢのためのトランスポートチャネルパラメータを与える。
【表３５】
0005932160.tif 000037
【０１６８】
[0189]表３５におけるＴＦＳは、様々な可能性の順列であり得る。表３６における代替構成では、ＴＦＳは、様々な可能性の組合せであり得る。表３６に、様々な実施形態による、Ｎ＝２または１／２ＢＷのＦ−ＵＭＴＳにおけるＤＣＣＨのためのＵＬ：１３．６／２ｋｂｐｓ（すなわち、６．８ｋｂｐｓ）のＳＲＢのための代替トランスポートチャネルパラメータを与える。
【表３６】
0005932160.tif 000038
【０１６９】
[0190]表３６の構成の場合、ＴＦＣＳサイズは３であってよく、ＴＦＣＳエントリはＴＦ０、ＴＦ１またはＴＦ２であり得る。しかしながら、これはＴＦＣＳの表３７に再び示されなくてもよく、ＴＦＣＳの表３７は前に検討された構成のために示されている。
【表３７】
0005932160.tif 000039
【０１７０】
[0191]表３８に、様々な実施形態による、アップリンク物理チャネルパラメータを与える。
【表３８】
0005932160.tif 000040
【０１７１】
[0192]表３９および表４０に、様々な実施形態によるダウンリンク構成を与える。表４０の構成は、いかなる不利点もなく低減されたＴＦＣＳサイズをもたらし得る。表３９に、様々な実施形態による、Ｎ＝２または１／２ＢＷのＦ−ＵＭＴＳにおけるＤＣＣＨのためのＤＬ：１３．６／２ｋｂｐｓのＳＲＢのためのトランスポートチャネルパラメータを与える。
【表３９】
0005932160.tif 000041
【０１７２】
[0193]表３９におけるＴＦＳは、様々な可能性の順列であり得る。表４０に示す代替構成では、ＴＦＳは、様々な可能性の組合せであり得る。表４０に、様々な実施形態による、Ｎ＝２または１／２ＢＷのＦ−ＵＭＴＳにおけるＤＣＣＨのためのＤＬ：１３．６／２ｋｂｐｓのＳＲＢのための代替トランスポートチャネルパラメータを与える。
【表４０】
0005932160.tif 000042
【０１７３】
[0194]表４０の構成の場合、ＴＦＣＳサイズは３であってよく、ＴＦＣＳエントリはＴＦ０、ＴＦ１またはＴＦ２であり得る。これはＴＦＣＳの表４１に再び示されなくてもよく、ＴＦＣＳの表４１は前に検討された構成のために示され得る。
【表４１】
0005932160.tif 000043
【０１７４】
[0195]表４２に、様々な実施形態による、ダウンリンク物理チャネルパラメータを与える。
【表４２】
0005932160.tif 000044
【０１７５】
[0196]表４３に、様々な実施形態による、ＤＬスロットフォーマット（ＤＰＤＣＨフィールドおよびＤＰＣＣＨフィールド）を与える。
【表４３】
0005932160.tif 000045
【０１７６】
[0197]表４３において使用されるスロットフォーマット８は、Ｎ＝２または１／２ＢＷのＦ−ＵＭＴＳのための１３．６ｋｂｐｓのＳＲＢに使用されるスロットフォーマットと同様のものであり得る。それはまた、圧縮モードにおけるＵＭＴＳにわたる１２．２ｋｂｐｓのＡＭＲ、および通常モードにおけるＮ＝２または１／２ＢＷのＦ−ＵＭＴＳにわたる１２．２ｋｂｐｓのＡＭＲに使用されるＤＬ  ＤＰＤＣＨ＋ＤＰＣＣＨにおけるスロットフォーマット８Ｂと同様のものであり得る。上記のスロットフォーマットすべてによる差異は、Ｎ＝４におけるより高いＤｃｒに起因するより大きい時間拡張のために、２のファクタでチャネルビットレート（ｋｂｐｓ）およびチャネルシンボルレート（ｋｂｐｓ）が減速され得ることであり得る。
【０１７７】
[0198]ＵＭＴＳ（Ｎ＝１）では、ダウンリンクでトランスポートフォーマット組合せインジケータ（ＴＦＣＩ）が送られないことがあるので、「ＤＬ：１３．６ｋｂｐｓのＳＲＢ」にブラインドトランスポートフォーマット検出（ＢＴＦＤ）が使用され得る。スロットフォーマット８（ＳＦ１２８）は、いくつかの実施形態では、ＤＬ参照構成で使用されることがあり、ＴＦＣＩを有しないことがある。場合によっては、ＴＦＣＩの存在は、ダウンリンクでは偽に設定され得る。
【０１７８】
[0199]Ｎ＝４の場合、再解釈されたスロットフォーマット８は、ＴＦＣＩを有しないこともある。いくつかの制限が、ＢＴＦＤのために適合され得る。いくつかの実施形態では、Ｎ＝４または１／４ＢＷのＦ−ＵＭＴＳのためのＤＬ１３．６ｋｂｐｓ／２にＢＴＦＤが対応できるように、以下の制限が変更され得る。  
・無線フレーム当たりで受信されるＣＣＴｒＣＨビットの数は、６００ ｘ Ｄｃｒ以下である。  
制限は、無線フレーム当たりで受信されるＣＣＴｒＣＨビットの数が６００ ｘ Ｄｃｒ／２以下であり得ることであってよい。Ｎ＝４または１／４ＢＷのＦ−ＵＭＴＳにわたる１３．６ｋｂｐｓのＳＲＢを維持するために、いくつかの実施形態では、上記の制限が維持され得る。いくつかの実施形態は、無線フレーム当たりで受信されるより多くのＣＣＴｒＣＨビットに伴うＢＴＦＤを実行する問題を有しないことがある。
【０１７９】
[0200]Ｎ＝４または１／４ＢＷのＦ−ＵＭＴＳによる１３．６／２ｋｂｐｓのＳＲＢの場合、１０×４＝４０ｍｓの無線フレーム当たりで２つのトランスポートチャネルブロックが連結されることにより、ＴＦＣの数は（Ｎ＝１の場合の）２から４に増加していてよい。いくつかの実施形態では、ＢＴＦＤでは、ＴＦＣＳサイズは６４に制限され、制限は変更される必要がないことがある。  
・ＣＣＴｒＣＨのトランスポートフォーマット組合せの数は６４以下である。
【０１８０】
[0201]いくつかの実施形態は、別の制限を利用し得る。  
・すべての明示的に検出可能なＴｒＣＨのトランスポートフォーマットセットサイズの合計は、１６以下である。トランスポートフォーマットセットサイズは、トランスポートフォーマットセット内のトランスポートフォーマットの数として定義される。  
Ｎ＝４または１／４ＢＷのＦ−ＵＭＴＳによる１３．６／２ｋｂｐｓのＳＲＢの場合、ＴＦＳサイズは４であってよく、ＴｒＣＨは、ゼロでない長さをもつＣＲＣがこのＴｒＣＨ上のすべてのトランスポートブロックに付加され得るので、明示的に検出可能であり得る。この制限も変更されなくてよい。
【０１８１】
[0202]表４４に、様々な実施形態による、ＵＬスロットフォーマット（ＤＰＤＣＨフィールド）を与える。
【表４４】
0005932160.tif 000046
【０１８２】
[0203]Ｎ＝４におけるより高いＤｃｒに起因するより大きい時間拡張のために、２のファクタでチャネルビットレート（ｋｂｐｓ）およびチャネルシンボルレート（ｋｂｐｓ）が減速され得ることを除いて、表４４において使用されるスロットフォーマットが、現在のＵＭＴＳシステムのＵＬ  ＤＰＤＣＨにおいて使用されるスロットフォーマット３に対応し得ることに留意されよう。
【０１８３】
[0204]２のファクタでチャネルビットレート（ｋｂｐｓ）およびチャネルシンボルレート（ｋｂｐｓ）が減速され得ることを除いて、ＵＬ  ＤＰＤＣＨスロットフォーマット２は、Ｎ＝２または１／２ＢＷのＦ−ＵＭＴＳの通常モードのための１２．２ｋｂｐｓのＡＭＲに使用されるＵＬ  ＤＰＤＣＨスロットフォーマットと同様のものであり得る。
【０１８４】
[0205]いくつかの実施形態は、Ｎ＝４または１／４ＢＷのＦ−ＵＭＴＳにわたる１３．６／２ｋｂｐｓのＳＲＢのための異なるＲＬＣ  ＰＤＵサイズを利用し得る。たとえば、ＵＭＴＳにおける１３．６ｋｂｐｓのＳＲＢの場合に、ＲＬＣ  ＳＤＵサイズは、ＲＬＣ  ＵＭでは１３６ビット、ＲＬＣ  ＡＭ動作では１２８ビットであり得る（どちらの場合も、ＲＬＣ  ＰＤＵサイズは１４４ビットであり得る）。いくつかの実施形態は、Ｎ＝２または１／２ＢＷのＦ−ＵＭＴＳのためのＲＬＣ  ＳＤＵおよびＰＤＵのサイズを、通常ＵＭＴＳの場合と同じに保つことができる。Ｎ＝４または１／４ＢＷのＦ−ＵＭＴＳにわたる１３．６／２ｋｂｐｓのＳＲＢは、より大きいＲＬＣ  ＳＤＵサイズ、たとえば３２０ビットを使用することができる。その場合、トランスポートブロック連結は利用されないことがあり、ＳＤＵサイズを３２０ビットにするためにパディングが使用され得る。
【０１８５】
[0206]いくつかの実施形態は、送信電力調整を利用する。ＳＦはＵＬおよびＤＬにおいて、ＳＲＢレートを１３．６ｋｂｐｓにするためにＤｃｒ／２で低減され得るので、送信電力は、Ｎ＝４または１／４ＢＷのＦ−ＵＭＴＳのためにおおよそファクタｌｏｇ２（Ｄｃｒ／２） ｘ ３ｄＢ、すなわち３ｄＢで増加することができ、これは、ＳＦの低減を補償し得る。これは、ユーザ機器１１５および／または基地局１０４の両方で行われ得る。送信電力のこの増加は、同じ電力スペクトル密度に必要とされるレベルに対するものであることがあり、通常ＵＭＴＳにおける１３．６ｋｂｐｓのＳＲＢに必要とされるレベルに対して絶対的には減少があり得る。いくつかの実施形態は、通常帯域幅キャリアにわたる場合と同じＳＲＢレートを達成し、Ｄｃｒしたがって送信電力増加によるＳＦの低減を利用することができる。いくつかの他の実施形態は、スケーリングされたＳＲＢレート（たとえば、ファクタで除算された通常ＢＷキャリアにわたるＳＲＢレート）を達成する。ＳＦの低減は、Ｄｃｒ／ファクタしたがって送信電力によるものであり得る。
【０１８６】
[0207]いくつかの実施形態は、レイテンシに影響を及ぼすことがある。たとえば、ＴＴＩでは、２つの連結されたトランスポートチャネルブロックがＰＨＹに配信され得る。（処理時間がＤｃｒでスケーリングされないと仮定すると）何らかのＰＨＹレイヤ処理の後に、オーバージエア送信は、現在の仕様制限により次の無線フレーム境界においてのみ開始することが許可され得る。Ｎ＝４または１／４ＢＷのＦ−ＵＭＴＳシステムの場合、ＴＴＩは１０ ｘ Ｄｃｒ＝４０ｍｓであり得、無線フレームはまた１０ ｘ Ｄｃｒ＝４０ｍｓであり得るので、通常ＵＭＴＳシステムと比較して追加のレイテンシがあり得る。ＵＭＴＳの追加のレイテンシを計算する際、処理遅延は、通常ＵＭＴＳの場合のように一定のままであると仮定され得ることに留意されよう。
【０１８７】
[0208]いくつかの実施形態では、上記で説明したように、Ｆ−ＵＭＴＳでは起動時に、１３．６／Ｄｃｒ（すなわち、Ｎ＝２または１／２ＢＷのＦ−ＵＭＴＳのための１３．６／２ｋｂｐｓ）の代わりに１３．６ｋｂｐｓのスタンドアロンＳＲＢレートが維持され得る。これは、たとえば、Ｄｃｒで低下したスタンドアロンＳＲＢレートが、呼セットアップ時間と他のシグナリングプロシージャとを増加させ得るからであり得る。Ｎ＝４または１／４ＢＷのＦ−ＵＭＴＳの場合、起動時に、１３．６／／Ｄｃｒ（すなわち、同様の理由で１３．６／４ｋｂｐｓ）の代わりに、１３．６ｋｂｐｓのスタンドアロンＳＲＢならびに１３．６／２ｋｂｐｓのスタンドアロンＳＲＢが利用され得る。
【０１８８】
[0209]いくつかの実施形態は、Ｎ＝２または１／２ＢＷのＦ−ＵＭＴＳにおけるＤＣＣＨのためのＵＬ：１３．６およびＤＬ：１３．６ｋｂｐＤｓのスタンドアロンＳＲＢのためのサポートを提供する。たとえば、通常ＵＭＴＳのためのＤＣＣＨのためのＵＬ：１３．６およびＤＬ：１３．６ｋｂｐｓのスタンドアロンＳＲＢは、ＴＴＩ拡張に起因して、Ｎ＝２または１／２ＢＷのＦ−ＵＭＴＳのためのＤＣＣＨのためのＵＬ：１３．６およびＤＬ：１３．６ｋｂｐＤｓ（１３．６／２ｋｂｐｓ）のスタンドアロンＳＲＢになり得る。以下に、様々な実施形態による、Ｎ＝２または１／２ＢＷのＦ−ＵＭＴＳのための１３．６ｋｂｐＤｓのＳＲＢのためのＵＬとＤＬの両方におけるトランスポートチャネルパラメータと、ＴＦＣと、物理チャネルパラメータとを示す。
【０１８９】
[0210]たとえば、表４５は、様々な実施形態による、ＤＣＣＨのためのＵＬ：１３．６ｋｂｐｓのＳＲＢのためのアップリンクトランスポートチャネルパラメータを与える。
【表４５】
0005932160.tif 000047
【０１９０】
[0211]表４６に、様々な実施形態による、ＴＦＣＳパラメータを与える。
【表４６】
0005932160.tif 000048
【０１９１】
[0212]表４７に、様々な実施形態による、アップリンク物理チャネルパラメータを与える。
【表４７】
0005932160.tif 000049
【０１９２】
[0213]表４８に、様々な実施形態による、ＤＣＣＨのためのＤＬ：１３．６ｋｂｐｓのＳＲＢのためのダウンリンクトランスポートチャネルパラメータを与える。
【表４８】
0005932160.tif 000050
【０１９３】
[0214]表４９に、様々な実施形態による、ダウンリンクＴＦＣＳパラメータを与える。
【表４９】
0005932160.tif 000051
【０１９４】
[0215]表５０に、様々な実施形態による、ダウンリンク物理チャネルパラメータを与える。
【表５０】
0005932160.tif 000052
【０１９５】
[0216]いくつかの実施形態は、Ｎ＝４または１／４ＢＷのＦ−ＵＭＴＳにおけるＤＣＣＨのためのＵＬ：１３．６およびＤＬ：１３．６ｋｂｐＤｓのスタンドアロンＳＲＢをサポートするためのツールと技法とを提供する。通常ＵＭＴＳのためのＤＣＣＨのためのＵＬ：１３．６およびＤＬ：１３．６ｋｂｐｓのスタンドアロンＳＲＢは、ＴＴＩ拡張に起因して、Ｎ＝４または１／４ＢＷのＦ−ＵＭＴＳのためのＤＣＣＨのためのＵＬ：１３．６およびＤＬ：１３．６ｋｂｐＤｓ（１３．６／４ｋｂｐｓ）のスタンドアロンＳＲＢになり得る。以下に、様々な実施形態による、Ｎ＝４または１／４ＢＷのＦ−ＵＭＴＳのための１３．６ｋｂｐＤｓのＳＲＢのためのＵＬとＤＬの両方におけるトランスポートチャネルパラメータと、ＴＦＣと、物理チャネルパラメータとを示す。
【０１９６】
[0217]表５１に、様々な実施形態による、ＤＣＣＨのためのＵＬ：１３．６ｋｂｐｓのＳＲＢのためのアップリンクトランスポートチャネルパラメータを与える。
【表５１】
0005932160.tif 000053
【０１９７】
[0218]表５２に、様々な実施形態による、アップリンクＴＦＣＳパラメータを与える。
【表５２】
0005932160.tif 000054
【０１９８】
[0219]表５３に、様々な実施形態による、アップリンク物理チャネルパラメータを与える。
【表５３】
0005932160.tif 000055
【０１９９】
[0220]表５４に、様々な実施形態による、ＤＣＣＨのためのＤＬ：１３．６ｋｂｐｓのＳＲＢのためのダウンリンクトランスポートチャネルパラメータを与える。
【表５４】
0005932160.tif 000056
【０２００】
[0221]表５５に、様々な実施形態による、ダウンリンクＴＦＣＳパラメータを与える。
【表５５】
0005932160.tif 000057
【０２０１】
[0222]表５６に、様々な実施形態による、ダウンリンク物理チャネルパラメータを与える。
【表５６】
0005932160.tif 000058
【０２０２】
[0223]図１１に、様々な実施形態による、フレキシブル帯域幅キャリアにわたるシグナリングをサポートするように構成され得る通信システム１１００のブロック図を示す。このシステム１１００は、図１に示したシステム１００、図２のシステム２００、図３のシステム３００、および／または図１３のシステム１３００の態様の一例であり得る。基地局１０５−ｅは、アンテナ１１４５と、トランシーバモジュール１１５０と、メモリ１１７０と、プロセッサモジュール１１６５とを含み得、その各々は、（たとえば、１つまたは複数のバスにわたって）互いに直接または間接的に通信していることがある。トランシーバモジュール１１５０は、アンテナ１１４５を介して、マルチモードユーザ機器であり得るユーザ機器１１５−ｅと双方向に通信するように構成され得る。トランシーバモジュール１１５０（および／または基地局１０５−ｅの他の構成要素）はまた、１つまたは複数のネットワークと双方向に通信するように構成され得る。場合によっては、基地局１０５−ｅは、ネットワーク通信モジュール１１７５を通じてネットワーク１３０−ａおよび／またはコントローラ１２０−ａと通信し得る。基地局１０５−ｅは、ｅノードＢ基地局、ホームｅノードＢ基地局、ノードＢ基地局、および／またはホームノードＢ基地局の一例であり得る。コントローラ１２０−ｂは、ｅノードＢ基地局となど、場合によっては基地局１０５−ｅに統合され得る。
【０２０３】
[0224]基地局１０５−ｅはまた、基地局１０５−ｍおよび基地局１０５−ｎなど、他の基地局１０５と通信し得る。基地局１０５の各々は、異なる無線アクセス技術など、異なるワイヤレス通信技術を使用してユーザ機器１１５−ｅと通信し得る。場合によっては、基地局１０５−ｅは、基地局通信モジュール１１１５を利用して１０５−ｍおよび／または１０５−ｎなどの他の基地局と通信し得る。いくつかの実施形態では、基地局通信モジュール１１１５は、基地局１０５のいくつかの間の通信を行うために、ＬＴＥワイヤレス通信技術内のＸ２インターフェースを与え得る。いくつかの実施形態では、基地局１０５−ｅは、コントローラ１２０−ｂおよび／またはネットワーク１３０−ａを通じて他の基地局と通信し得る。
【０２０４】
[0225]メモリ１１７０は、ランダムアクセスメモリ（ＲＡＭ）と読取り専用メモリ（ＲＯＭ）とを含み得る。メモリ１１７０はまた、実行されるとプロセッサモジュール１１６５に本明細書で説明する様々な機能（たとえば、呼処理、データベース管理、メッセージルーティングなど）を実行させるように構成された命令を含んでいるコンピュータ可読、コンピュータ実行可能ソフトウェアコード１１７１を記憶し得る。代替的に、ソフトウェアコード１１７１は、プロセッサモジュール１１６５によって直接的に実行可能でないことがあるが、たとえば、コンパイルされ実行されるとき、コンピュータに本明細書で説明する機能を実行させるように構成され得る。
【０２０５】
[0226]プロセッサモジュール１１６５は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理装置（ＣＰＵ）、マイクロコントローラ、特定用途向け集積回路（ＡＳＩＣ）などを含み得る。プロセッサモジュール１１６５は、マイクロフォンを介してオーディオを受信し、そのオーディオを、受信したオーディオを表す（たとえば、長さ２０ｍｓの）パケットに変換し、そのオーディオパケットをトランシーバモジュール１１５０に供給し、ユーザが話しているかどうかの指示を与えるように構成された音声エンコーダ（図示せず）を含み得る。代替的に、エンコーダはパケットのみをトランシーバモジュール１１５０に供給し、パケット自体の供給または抑制／抑圧が、ユーザが話しているかどうかの指示を与え得る。
【０２０６】
[0227]トランシーバモジュール１１５０は、パケットを変調し、変調されたパケットを送信のためにアンテナ１１４５に供給し、アンテナ１１４５から受信されたパケットを復調するように構成されたモデムを含み得る。基地局１１５−ｅのいくつかの例は単一のアンテナ１１４５を含み得るが、基地局１０５−ｅは、好ましくは、キャリアアグリゲーションをサポートし得る複数のリンクのための複数のアンテナ１１４５を含む。たとえば、ユーザ機器１１５−ｅとのマクロ通信をサポートするために１つまたは複数のリンクが使用され得る。
【０２０７】
[0228]図１１のアーキテクチャによれば、基地局１０５−ｅは通信管理モジュール１１３０をさらに含み得る。通信管理モジュール１１３０は、他の基地局１０５との通信を管理し得る。例として、通信管理モジュール１１３０は、バスを介して基地局１０５−ｅの他の構成要素の一部または全部と通信している基地局１０５−ｅの構成要素であり得る。代替的に、通信管理モジュール１１３０の機能は、トランシーバモジュール１１５０の構成要素として、コンピュータプログラム製品として、および／またはプロセッサモジュール１１６５の１つまたは複数のコントローラ要素として実装され得る。
【０２０８】
[0229]基地局１０５−ｅのための構成要素は、図４Ａのデバイス４００−ａおよび／または図４Ｂのデバイス４００−ｂに関して上記で説明した態様を実装するように構成され得、簡潔のためにここで繰り返さないことがある。たとえば、基地局１０５−ｅは、フレキシブル帯域幅キャリアシグナリングモジュール４１５−ｂを含み得、これは図４Ａのフレキシブル帯域幅キャリアシグナリングモジュール４１５または図４Ｂのフレキシブル帯域幅キャリアＳＲＢモジュール４１５−ａの一例であり得る。さらに、送信時間間隔モジュール４２５−ａは、図４Ｂの送信時間間隔モジュール４２５の一例であり得、拡散ファクタモジュール４３０−ａは、図４Ｂの拡散ファクタモジュール４３０の一例であり得、かつ／または送信電力モジュール４３５−ａは、図４Ｂの送信電力モジュール４３５の一例であり得る。連結モジュール１１９０は、図４Ａのデバイス４００−ａおよび／または図４Ｂのデバイス４００−ｂに関して説明した多数の機能を与え得る。
【０２０９】
[0230]基地局１０５−ｅはまた、スペクトル識別モジュール１１２０を含み得る。スペクトル識別モジュール１１２０は、フレキシブル波形のために利用可能なスペクトルを識別するために利用され得る。いくつかの実施形態では、ハンドオーバモジュール１１２５は、ユーザ機器１１５−ｅの１つの基地局１０５から別の基地局へのハンドオーバプロシージャを実行するために利用され得る。たとえば、ハンドオーバモジュール１１２５は、ユーザ機器１１５−ｅの基地局１０５−ｅから別の基地局へのハンドオーバプロシージャを実行し得、通常波形がユーザ機器１１５−ｅと基地局のうちの１つとの間で利用され、フレキシブル波形がそのユーザ機器と別の基地局との間で利用される。スケーリングモジュール１１１０は、フレキシブル波形を生成するためにチップレートをスケーリングおよび／または改変するために利用され得る。いくつかの実施形態では、コントローラ１２０−ｂは、ハンドオーバモジュール１１２５に関して上記で説明した態様を実装するように構成され得、簡潔のためにここで繰り返さないことがある。基地局１０５−ｅおよびコントローラ１２０−ｂは、別個のエンティティとして、または結合されたエンティティとして配備され得る。
【０２１０】
[0231]いくつかの実施形態では、基地局１０５−ｅの他の可能な構成要素とともにアンテナ１１４５に結合したトランシーバモジュール１１５０は、フレキシブル波形および／またはスケーリングファクタに関する情報を、基地局１０５−ｅからユーザ機器１１５−ｅに、他の基地局１０５−ｍ／１０５−ｎに、またはコアネットワーク１３０−ａに送信し得る。いくつかの実施形態では、基地局１０５−ｅの他の可能な構成要素とともにアンテナ１１４５に結合したトランシーバモジュール１１５０は、フレキシブル波形および／またはスケーリングファクタなどの情報をユーザ機器１１５−ｅに、他の基地局１０５−ｍ／１０５−ｎに、またはコアネットワーク１３０−ａに送信し得、それにより、これらのデバイスまたはシステムはフレキシブル波形を利用し得る。
【０２１１】
[0232]デバイス１１００のこれらの構成要素は、個別にまたは集合的に、ハードウェア中の適用可能な機能の一部または全部を実行するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実行され得る。他の実施形態では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【０２１２】
[0233]受信機モジュール１１０５は、パケット、データ、および／またはデバイス１１００が受信または送信したものに関するシグナリング情報などの情報を受信し得る。受信された情報は、様々な目的で支援情報利用モジュール１１１５によって利用され得る。たとえば、支援情報利用モジュール１１１５および／または受信機モジュール１１０５は、モビリティ管理を容易にするための第１のフレキシブル帯域幅キャリアに関する支援情報を受信するように構成され得る。帯域幅スケーリングファクタが、第１のフレキシブル帯域幅キャリアに対する第１のフレキシブル帯域幅を生成するために利用され得る。支援情報利用モジュール１１１５は、モビリティ管理を容易にするための第１のフレキシブル帯域幅キャリアに関する支援情報を利用するように構成され得る。
【０２１３】
[0234]図１２は、様々な実施形態による、フレキシブル帯域幅キャリアにわたるシグナリングをサポートするように構成されたユーザ機器１１５−ｆのブロック図１２００である。ユーザ機器１１５−ｆは、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネットアプライアンス、ゲームコンソール、電子リーダーなど、様々な構成のいずれかを有し得る。ユーザ機器１１５−ｆは、モバイル動作を容易にするために、小型バッテリーなどの内部電源（図示せず）を有し得る。いくつかの実施形態では、ユーザ機器１１５−ｆは、図１、図２、図３、図１１、および／または図１３のユーザ機器１１５、ならびに／あるいは図４Ａのデバイス４００−ａおよび／または図４Ｂのデバイス４００−ｂであり得る。ユーザ機器１１５−ｆはマルチモードユーザ機器であり得る。ユーザ機器１１５−ｆは、場合によってはワイヤレス通信デバイスと呼ばれることがある。
【０２１４】
[0235]ユーザ機器１１５−ｆは、アンテナ１２４０と、トランシーバモジュール１２５０と、メモリ１２８０と、プロセッサモジュール１２７０とを含み得、その各々は、（たとえば、１つまたは複数のバスを介して）互いに直接または間接的に通信していることがある。トランシーバモジュール１２５０は、上記で説明したように、アンテナ１２４０ならびに／あるいは１つまたは複数のワイヤードもしくはワイヤレスリンクを介して、１つまたは複数のネットワークと双方向に通信するように構成される。たとえば、トランシーバモジュール１２５０は、図１、図２、図３、図１１、および／または図１３の基地局１０５と双方向に通信するように構成され得る。トランシーバモジュール１２５０は、パケットを変調し、変調されたパケットを送信のためにアンテナ１２４０に供給し、アンテナ１２４０から受信されたパケットを復調するように構成されたモデムを含み得る。ユーザ機器１１５−ｆは単一のアンテナを含み得るが、ユーザ機器１１５−ｆは通常、複数のリンクのための複数のアンテナ１２４０を含む。
【０２１５】
[0236]メモリ１２８０は、ランダムアクセスメモリ（ＲＡＭ）と読取り専用メモリ（ＲＯＭ）とを含み得る。メモリ１２８０は、実行されるとプロセッサモジュール１２７０に本明細書で説明する様々な機能（たとえば、呼処理、データベース管理、メッセージルーティングなど）を実行させるように構成された命令を含んでいるコンピュータ可読、コンピュータ実行可能ソフトウェアコード１２８５を記憶し得る。代替的に、ソフトウェア１２８５は、プロセッサモジュール１２７０によって直接的に実行可能でないことがあるが、（たとえば、コンパイルされ実行されると）コンピュータに本明細書で説明する機能を実行させるように構成され得る。
【０２１６】
[0237]プロセッサモジュール１２７０は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理装置（ＣＰＵ）、マイクロコントローラ、特定用途向け集積回路（ＡＳＩＣ）などを含み得る。プロセッサモジュール１２７０は、マイクロフォンを介してオーディオを受信し、そのオーディオを、受信したオーディオを表す（たとえば、長さ２０ｍｓの）パケットに変換し、そのオーディオパケットをトランシーバモジュール１２５０に供給し、ユーザが話しているかどうかの指示を与えるように構成された音声エンコーダ（図示せず）を含み得る。代替的に、エンコーダはパケットのみをトランシーバモジュール１２５０に供給し、パケット自体の供給または抑制／抑圧が、ユーザが話しているかどうかの指示を与え得る。
【０２１７】
[0238]図１２のアーキテクチャによれば、ユーザ機器１１５−ｆは通信管理モジュール１２６０をさらに含み得る。通信管理モジュール１２６０は、他のユーザ機器１１５との通信を管理し得る。例として、通信管理モジュール１２６０は、バスを介してユーザ機器１１５−ｆの他の構成要素の一部または全部と通信しているユーザ機器１１５−ｆの構成要素であり得る。代替的に、通信管理モジュール１２６０の機能は、トランシーバモジュール１２５０の構成要素として、コンピュータプログラム製品として、および／またはプロセッサモジュール１２７０の１つまたは複数のコントローラ要素として実装され得る。
【０２１８】
[0239]ユーザ機器１１５−ｆのための構成要素は、図４Ａのデバイス４００−ａおよび／または図４Ｂのデバイス４００−ｂに関して上記で説明した態様を実装するように構成され得、簡潔のためにここで繰り返さないことがある。たとえば、ユーザ機器１１５−ｆは、フレキシブル帯域幅キャリアシグナリングモジュール４１５−ｃを含み得、これは図４Ａのフレキシブル帯域幅キャリアシグナリングモジュール４１５または図４Ｂのフレキシブル帯域幅キャリアＳＲＢモジュール４１５−ａの一例であり得る。さらに、送信時間間隔モジュール４２５−ａは、図４Ｂの送信時間間隔モジュール４２５の一例であり得、拡散ファクタモジュール４３０−ａは、図４Ｂの拡散ファクタモジュール４３０の一例であり得、かつ／または送信電力モジュール４３５−ａは、図４Ｂの送信電力モジュール４３５の一例であり得る。連結モジュール１１９０は、図４Ａのデバイス４００−ａおよび／または図４Ｂのデバイス４００−ｂに関して説明した多数の機能を与え得る。
【０２１９】
[0240]ユーザ機器１１５−ｆはまた、スペクトル識別モジュール１２１５を含み得る。スペクトル識別モジュール１２１５は、フレキシブル波形のために利用可能なスペクトルを識別するために利用され得る。いくつかの実施形態では、ハンドオーバモジュール１２２５は、ユーザ機器１１５−ｆの１つの基地局から別の基地局へのハンドオーバプロシージャを実行するために利用され得る。たとえば、ハンドオーバモジュール１２２５は、ユーザ機器１１５−ｆの１つの基地局から別の基地局へのハンドオーバプロシージャを実行し得、通常波形および／またはフレキシブル波形がユーザ機器１１５−ｆと基地局のうちの１つとの間で利用され、通常波形および／またはフレキシブル波形がそのユーザ機器と別の基地局との間で利用される。スケーリングモジュール１２１０は、フレキシブル波形を生成するためにチップレートをスケーリングおよび／または改変するために利用され得る。
【０２２０】
[0241]いくつかの実施形態では、ユーザ機器１１５−ｆの他の可能な構成要素とともにアンテナ１２４０に結合したトランシーバモジュール１２５０は、フレキシブル波形および／またはスケーリングファクタに関する情報をユーザ機器１１５−ｆから基地局またはコアネットワークに送信し得る。いくつかの実施形態では、ユーザ機器１１５−ｆの他の可能な構成要素とともにアンテナ１２４０に結合したトランシーバモジュール１２５０は、フレキシブル波形および／またはスケーリングファクタなどの情報を基地局またはコアネットワークに送信し得、それにより、これらのデバイスまたはシステムはフレキシブル波形を利用し得る。
【０２２１】
[0242]図１３は、様々な実施形態による、基地局１０５−ｅとユーザ機器１１５−ｇとを含むシステム１３００のブロック図である。このシステム１３００は、図１のシステム１００、図２のシステム２００、図３のシステム３００、および／または図１１のシステム１１００の一例であり得る。基地局１０５−ｆはアンテナ１３３４−ａ〜１３３４−ｘを装備し得、ユーザ機器１１５−ｇはアンテナ１３５２−ａ〜１３５２−ｎを装備し得る。基地局１０５−ｆにおいて、送信プロセッサ１３２０がデータソースからデータを受信し得る。
【０２２２】
[0243]送信機プロセッサ１３２０はデータを処理し得る。送信機プロセッサ１３２０はまた、基準シンボルとセル固有基準信号とを生成し得る。送信（ＴＸ）ＭＩＭＯプロセッサ１３３０が、適用可能な場合、データシンボル、制御シンボル、および／または基準シンボルに対して空間処理（たとえば、プリコーディング）を実行し得、出力シンボルストリームを送信変調器１３３２−ａ〜１３３２−ｘに与え得る。各変調器１３３２は、（たとえば、ＯＦＤＭなどのために）それぞれの出力シンボルストリームを処理して、出力サンプルストリームを取得し得る。各変調器１３３２はさらに、出力サンプルストリームを処理（たとえば、アナログへの変換、増幅、フィルタ処理、およびアップコンバート）して、ダウンリンク信号（ＤＬ）を取得し得る。一例では、変調器１３３２−ａ〜１３３２−ｘからのＤＬ信号は、それぞれアンテナ１３３４−ａ〜１３３４−ｘを介して送信され得る。送信機プロセッサ１３２０は、プロセッサ１３４０から情報を受信し得る。プロセッサ１３４０は、チップレートを改変することおよび／またはスケーリングファクタを利用することを通じてフレキシブル波形を生成するように構成され得、これは、場合によっては動的に行われ得る。プロセッサ１３４０はまた、異なる整合および／またはオフセットプロシージャを提供し得る。プロセッサ１３４０はまた、他のサブシステム上で測定を実行すること、他のサブシステムへのハンドオフを実行すること、再選択を実行することなどを行うために、スケーリングおよび／またはチップレート情報を利用し得る。プロセッサ１３４０は、パラメータスケーリングを通じてフレキシブルな帯域幅の使用に関連するタイムストレッチングの影響を反転させ得る。いくつかの実施形態では、プロセッサ１３４０は、一般的なプロセッサ、送信機プロセッサ１３２０、および／または受信機プロセッサ１３３８の一部として実装され得る。
【０２２３】
[0244]プロセッサ１３４０および／または基地局１０５−ｆの他の構成要素は、様々な実施形態によれば、フレキシブル帯域幅キャリアにわたるシグナリングをサポートするように構成され得る。たとえば、プロセッサ１３４０および／または基地局１０５−ｆの他の構成要素は、識別され得る通常帯域幅キャリアにわたるシグナリングのためのシグナリングレートを識別し得る。プロセッサ１３４０および／または基地局１０５−ｆの他の構成要素によって、少なくとも通常帯域幅キャリアにわたるシグナリングのためのシグナリングレートまたは通常帯域幅キャリアにわたるシグナリングのためのシグナリングレートの一部分を維持するフレキシブル帯域幅キャリアにわたるシグナリングのシグナリングレートを容易にするために、フレキシブル帯域幅キャリアにわたるシグナリングのための時間ユニットが決定され得る。通常帯域幅キャリアにわたるシグナリングのためのシグナリングレートの一部分は、フレキシブル帯域幅キャリアシステムのための帯域幅スケーリングファクタまたはチップレートディバイダに基づく拡張されたレートを上回ることがある。決定された時間ユニットは、プロセッサ１３４０および／または基地局１０５−ｆの他の構成要素によって、フレキシブル帯域幅キャリアにわたるシグナリングに利用され得る。同様の技法が一般に制御チャネルおよび／またはブロードキャストチャネルで適用され得る。
【０２２４】
[0245]いくつかの実施形態では、プロセッサ１３４０および／または基地局１０５−ｆの他の構成要素は、フレキシブル帯域幅キャリアにわたるＳＲＢレートなどのシグナリング、レートをサポートするように構成される。プロセッサ１３４０および／または基地局１０５−ｆの他の構成要素は、通常帯域幅キャリアにわたるＳＲＢのためのＳＲＢレートを識別し、少なくとも通常帯域幅キャリアにわたるＳＲＢのためのＳＲＢレートを維持するフレキシブル帯域幅キャリアにわたるＳＲＢのＳＲＢレートを容易にする、フレキシブル帯域幅キャリアにわたるＳＲＢのためのＴＴＩを決定し、かつ／またはフレキシブル帯域幅キャリアにわたるＳＲＢのための決定されたＴＴＩを利用するように構成され得る。プロセッサ１３４０および／または基地局１０５−ｆの他の構成要素は、少なくともフレキシブル帯域幅キャリアのための帯域幅スケーリングファクタもしくはチップレートディバイダを識別し、かつ／またはフレキシブル帯域幅キャリアにわたるＳＲＢのためのＴＴＩを決定するために、少なくとも帯域幅スケーリングファクタもしくはチップレートディバイダを利用するようにさらに構成され得る。プロセッサ１３４０および／または基地局１０５−ｆの他の構成要素は、場合によっては、通常帯域幅キャリアにわたるＳＲＢのためのＴＴＩを識別し、かつ／または通常帯域幅キャリアにわたるＳＲＢのためのＴＴＩに基づいて、フレキシブル帯域幅キャリアにわたるＳＲＢのためのＴＴＩを決定するために、少なくとも帯域幅スケーリングファクタもしくはチップレートディバイダを利用するように構成され得る。
【０２２５】
[0246]プロセッサ１３４０および／または基地局１０５−ｆの他の構成要素は、フレキシブル帯域幅キャリアにわたるＳＲＢを搬送する物理チャネルの拡散ファクタを低減するようにさらに構成され得る。フレキシブル帯域幅キャリアにわたるＳＲＢを搬送する物理チャネルの拡散ファクタを低減することは、少なくともフレキシブル帯域幅キャリアのための帯域幅スケーリングファクタまたはチップレートディバイダで通常帯域幅キャリアにわたるＳＲＢのための物理チャネルのための拡散ファクタを除算することを含み得る。プロセッサ１３４０および／または基地局１０５−ｆの他の構成要素は、フレキシブル帯域幅キャリアにわたるＳＲＢのための送信電力を増加させるようにさらに構成され得る。これは、少なくとも低減された拡散ファクタを補償することができる。プロセッサ１３４０および／または基地局１０５−ｆの他の構成要素は、フレキシブル帯域幅キャリアにわたるＳＲＢのためのＳＲＢレートを維持するのを支援するために、複数のトランスポートブロックを連結するようにさらに構成され得る。複数の連結されたトランスポートブロックは、同じ論理チャネルからの２つ以上のトランスポートブロックを含むことができる。複数の連結されたトランスポートブロックは、異なる論理チャネルからの少なくとも２つのトランスポートブロックを含むことができる。
【０２２６】
[0247]プロセッサ１３４０および／または基地局１０５−ｆの他の構成要素は、限定はしないが、１３．６ｋｂｐｓ、１３．６／２ｋｂｐｓ、３．４ｋｂｐｓ、および／または１．７ｋｂｐｓのＳＲＢレート用に構成され得る。プロセッサ１３４０および／または基地局１０５−ｆの他の構成要素は、限定はしないが、２および／または４を含む異なる帯域幅スケーリングファクタおよび／またはチップレートディバイダを利用するように構成され得る。
【０２２７】
[0248]ユーザ機器１１５−ｇにおいて、ユーザ機器アンテナ１３５２−ａ〜１３５２−ｎは、基地局１０５−ｆからＤＬ信号を受信し得、受信した信号をそれぞれ復調器１３５４−ａ〜１３５４−ｎに与え得る。各復調器１３５４は、それぞれの受信信号を調整（たとえば、フィルタ処理、増幅、ダウンコンバート、およびデジタル化）して、入力サンプルを取得し得る。各復調器１３５４はさらに、（たとえば、ＯＦＤＭなどの）入力サンプルを処理して受信シンボルを取得し得る。ＭＩＭＯ検出器１３５６は、すべての復調器１３５４−ａ〜１３５４−ｎから受信シンボルを取得し、適用可能な場合は受信シンボルに対してＭＩＭＯ検出を実行し、検出シンボルを与え得る。受信（Ｒｘ）プロセッサ１３５８は、検出されたシンボルを処理（たとえば、復調、デインターリーブ、および復号）し、ユーザ機器１１５−ｇの復号されたデータをデータ出力に与え、復号された制御情報をプロセッサ１３８０、またはメモリ１３８２に与え得る。
【０２２８】
[0249]アップリンク（ＵＬ）上で、ユーザ機器１１５−ｇにおいて、送信機プロセッサ１３６４は、データソースからデータを受信し、処理し得る。送信機プロセッサ１３６４はまた、基準信号のための基準シンボルを生成し得る。送信機プロセッサ１３６４からのシンボルは、適用可能な場合、送信ＭＩＭＯプロセッサ１３６６によってプリコーディングされ、さらに、（たとえば、ＳＣ−ＦＤＭＡなどのための）復調器１３５４−ａ〜１３５４−ｎによって処理され、基地局１０５−ｆから受信された送信パラメータに従って基地局１０５−ｆに送信され得る。送信機プロセッサ１３６４はまた、チップレートを改変することおよび／またはスケーリングファクタを利用することを通じてフレキシブル波形を生成するように構成され得、これは、場合によっては動的に行われ得る。送信機プロセッサ１３６４は、プロセッサ１３８０から情報を受信し得る。プロセッサ１３８０は、異なる整合および／またはオフセットプロシージャを提供し得る。プロセッサ１３８０はまた、他のサブシステム上で測定を実行すること、他のサブシステムへのハンドオフを実行すること、再選択を実行することなどを行うために、スケーリングおよび／またはチップレート情報を利用し得る。プロセッサ１３８０は、パラメータスケーリングを通じてフレキシブルな帯域幅の使用に関連するタイムストレッチングの影響を反転させ得る。基地局１０５−ｆにおいて、ユーザ機器１１５−ｇからのＵＬ信号は、アンテナ１３３４によって受信され、復調器１３３２によって処理され、適用可能な場合はＭＩＭＯ検出器１３３６によって検出され、さらに受信プロセッサによって処理され得る。受信プロセッサ１３３８は、復号されたデータをデータ出力とプロセッサ１３８０とに与え得る。いくつかの実施形態では、プロセッサ１３８０は、一般的なプロセッサ、送信機プロセッサ１３６４、および／または受信機プロセッサ１３５８の一部として実装され得る。
【０２２９】
[0250]プロセッサ１３８０および／またはユーザ機器１１５−ｇの他の構成要素は、様々な実施形態によれば、フレキシブル帯域幅キャリアにわたるシグナリングをサポートするように構成され得る。プロセッサ１３８０および／またはユーザ機器１１５−ｇの他の構成要素によって、通常帯域幅キャリアにわたるシグナリングのためのシグナリングレートが識別され得る。プロセッサ１３８０および／またはユーザ機器１１５−ｇの他の構成要素によって、少なくとも通常帯域幅キャリアにわたるシグナリングのためのシグナリングレートまたは通常帯域幅キャリアにわたるシグナリングのためのシグナリングレートの一部分を維持するフレキシブル帯域幅キャリアにわたるシグナリングのシグナリングレートを容易にするために、フレキシブル帯域幅キャリアにわたるシグナリングのための時間ユニットが決定され得る。通常帯域幅キャリアにわたるシグナリングのためのシグナリングレートの一部分は、フレキシブル帯域幅キャリアシステムのための帯域幅スケーリングファクタまたはチップレートディバイダに基づく拡張されたレートを上回ることがある。決定された時間ユニットは、プロセッサ１３８０および／またはユーザ機器１１５−ｇの他の構成要素によって、フレキシブル帯域幅キャリアにわたるシグナリングに利用され得る。同様の技法が一般に制御チャネルおよび／またはブロードキャストチャネルで適用され得る。
【０２３０】
[0251]いくつかの実施形態では、プロセッサ１３８０および／またはユーザ機器１１５−ｇの他の構成要素は、フレキシブル帯域幅キャリアにわたるＳＲＢレートをサポートするように構成される。プロセッサ１３８０および／またはユーザ機器１１５−ｇの他の構成要素は、通常帯域幅キャリアにわたるＳＲＢのためのＳＲＢレートを識別し、少なくとも通常帯域幅キャリアにわたるＳＲＢのためのＳＲＢレートを維持するフレキシブル帯域幅キャリアにわたるＳＲＢのＳＲＢレートを容易にする、フレキシブル帯域幅キャリアにわたるＳＲＢのためのＴＴＩを決定し、かつ／またはフレキシブル帯域幅キャリアにわたるＳＲＢのための決定されたＴＴＩを利用するように構成され得る。プロセッサ１３８０および／またはユーザ機器１１５−ｇの他の構成要素は、少なくともフレキシブル帯域幅キャリアのための帯域幅スケーリングファクタもしくはチップレートディバイダを識別し、かつ／またはフレキシブル帯域幅キャリアにわたるＳＲＢのためのＴＴＩを決定するために、少なくとも帯域幅スケーリングファクタもしくはチップレートディバイダを利用するようにさらに構成され得る。プロセッサ１３８０および／またはユーザ機器１１５−ｇの他の構成要素は、場合によっては、通常帯域幅キャリアにわたるＳＲＢのためのＴＴＩを識別し、かつ／または通常帯域幅キャリアにわたるＳＲＢのためのＴＴＩに基づいて、フレキシブル帯域幅キャリアにわたるＳＲＢのためのＴＴＩを決定するために、少なくとも帯域幅スケーリングファクタもしくはチップレートディバイダを利用するように構成され得る。
【０２３１】
[0252]プロセッサ１３８０および／またはユーザ機器１１５−ｇの他の構成要素は、フレキシブル帯域幅キャリアにわたるＳＲＢを搬送する物理チャネルの拡散ファクタを低減するようにさらに構成され得る。フレキシブル帯域幅キャリアにわたるＳＲＢを搬送する物理チャネルの拡散ファクタを低減することは、少なくともフレキシブル帯域幅キャリアのための帯域幅スケーリングファクタまたはチップレートディバイダで通常帯域幅キャリアにわたるＳＲＢのための物理チャネルのための拡散ファクタを除算することを含み得る。プロセッサ１３８０および／またはユーザ機器１１５−ｇの他の構成要素は、フレキシブル帯域幅キャリアにわたるＳＲＢのための送信電力を増加させるようにさらに構成され得る。これは、少なくとも低減された拡散ファクタを補償することができる。プロセッサ１３８０および／またはユーザ機器１１５−ｇの他の構成要素は、フレキシブル帯域幅キャリアにわたるＳＲＢのためのＳＲＢレートを維持するために、複数のトランスポートブロックを連結するようにさらに構成され得る。複数の連結されたトランスポートブロックは、同じ論理チャネルからの２つ以上のトランスポートブロックを含むことができる。複数の連結されたトランスポートブロックは、異なる論理チャネルからの少なくとも２つのトランスポートブロックを含むことができる。
【０２３２】
[0253]プロセッサ１３８０および／またはユーザ機器１１５−ｇの他の構成要素は、限定はしないが、１３．６ｋｂｐｓ、１３．６／２ｋｂｐｓ、３．４ｋｂｐｓ、および／または１．７ｋｂｐｓのＳＲＢレート用に構成され得る。プロセッサ１３８０および／またはユーザ機器１１５−ｇの他の構成要素は、限定はしないが、２および／または４を含む異なる帯域幅スケーリングファクタおよび／またはチップレートディバイダを利用するように構成され得る。
【０２３３】
[0254]図１４Ａを参照すると、様々な実施形態による、ワイヤレス通信システムのためのフレキシブル帯域幅キャリアにわたるシグナリングをサポートするための方法１４００−ａのフローチャート。方法１４００−ａは、限定はしないが、図１、図２、図３、図１１、図１１、および／または図１３に示されているような基地局１０５、ならびに／あるいは図４に示されているようなデバイス４００、ならびに／あるいは図１、図２、図３、図１１、図１２、および／または図１３に示されているようなＵＥ１１５を含む、様々なワイヤレス通信デバイスを利用して実装され得る。
【０２３４】
[0255]ブロック１４０５において、通常帯域幅キャリアにわたるシグナリングのためのシグナリングレートが識別され得る。ブロック１４１０において、少なくとも通常帯域幅キャリアにわたるシグナリングのシグナリングレートまたは通常帯域幅キャリアにわたるシグナリングのためのシグナリングレートの一部分を維持するフレキシブル帯域幅キャリアにわたるシグナリングのシグナリングレートを容易にする、フレキシブル帯域幅キャリアにわたるシグナリングのための時間ユニットが決定され得る。通常帯域幅キャリアにわたるシグナリングのためのシグナリングレートの一部分は、フレキシブル帯域幅キャリアシステムのための帯域幅スケーリングファクタまたはチップレートディバイダに基づく拡張されたレートを上回ることがある。ブロック１４１５において、フレキシブル帯域幅キャリアにわたるシグナリングのための決定された時間ユニットが利用され得る。
【０２３５】
[0256]方法１４００−ａのいくつかの実施形態は、少なくともフレキシブル帯域幅キャリアのための帯域幅スケーリングファクタもしくはチップレートディバイダを識別すること、および／またはフレキシブル帯域幅キャリアにわたるＳＲＢのためのＴＴＩを決定するために、少なくとも帯域幅スケーリングファクタもしくはチップレートディバイダを利用することを含む。いくつかの実施形態は、通常帯域幅キャリアにわたるＳＲＢのためのＴＴＩを識別すること、および／または通常帯域幅キャリアにわたるＳＲＢのためのＴＴＩに基づいて、フレキシブル帯域幅キャリアにわたるＳＲＢのためのＴＴＩを決定するために、少なくとも帯域幅スケーリングファクタもしくはチップレートディバイダを利用することを含む。
【０２３６】
[0257]方法１４００−ａのいくつかの実施形態は、フレキシブル帯域幅キャリアにわたるＳＲＢを搬送する物理チャネルの拡散ファクタを低減することを含む。フレキシブル帯域幅キャリアにわたるＳＲＢを搬送する物理チャネルの拡散ファクタを低減することは、少なくともフレキシブル帯域幅キャリアのための帯域幅スケーリングファクタまたはチップレートディバイダで通常帯域幅キャリアにわたるＳＲＢのための物理チャネルのための拡散ファクタを除算することを含み得る。いくつかの実施形態は、フレキシブル帯域幅キャリアにわたるＳＲＢのための送信電力を増加させることを含む。場合によっては、この送信電力は、少なくとも低減された拡散ファクタを補償することができる。決定されたＴＴＩは、通常帯域幅キャリアシステムに関する有効なＴＴＩであり得る。
【０２３７】
[0258]場合によっては、少なくとも帯域幅スケーリングファクタまたはチップレートディバイダが２に等しく、通常帯域幅キャリアにわたるＳＲＢのためのＴＴＩが４０ｍｓであり、フレキシブル帯域幅キャリアにわたるＳＲＢのためのＴＴＩが２０ｍｓである。いくつかの態様は、少なくとも帯域幅スケーリングファクタまたはチップレートディバイダが４に等しく、通常帯域幅キャリアにわたるＳＲＢのためのＴＴＩが４０ｍｓであり、フレキシブル帯域幅キャリアにわたるＳＲＢのためのＴＴＩが１０ｍｓである場合を含むことができる。これらの場合では、通常帯域幅キャリアのＳＲＢのためのＳＲＢレートは、３．４ｋｂｐｓであり得る。
【０２３８】
[0259]他の例は、帯域幅スケーリングファクタまたはチップレートディバイダでは２に等しく、通常帯域幅キャリアにわたるＳＲＢのためのＴＴＩが８０ｍｓであり、フレキシブル帯域幅キャリアにわたるＳＲＢのためのＴＴＩが４０ｍｓである場合を含む。さらなる場合は、少なくとも帯域幅スケーリングファクタまたはチップレートディバイダが４に等しく、通常帯域幅キャリアにわたるＳＲＢのためのＴＴＩが８０ｍｓであり、フレキシブル帯域幅キャリアにわたるＳＲＢのためのＴＴＩが２０ｍｓである状況を含む。これらの場合では、通常帯域幅キャリアにわたるＳＲＢのためのＳＲＢレートは、１．７ｋｂｐｓであり得る。
【０２３９】
[0260]フレキシブル帯域幅キャリアは、たとえば、フレキシブル帯域幅ＵＭＴＳキャリアを含むことができる。
【０２４０】
[0261]方法１４００−ａのいくつかの実施形態は、ＳＲＢレートを維持するのを支援するために、複数のトランスポートブロックを連結することを含む。複数の連結されたトランスポートブロックは、同じ論理チャネルからの２つ以上のトランスポートブロックを含むことができる。複数の連結されたトランスポートブロックは、異なる論理チャネルからの少なくとも２つのトランスポートブロックを含むことができる。いくつかの実施形態は、少なくとも帯域幅スケーリングファクタまたはチップレートディバイダでフレキシブル帯域幅にわたるＳＲＢを搬送する物理チャネルの拡散ファクタを低減することを含む。いくつかの実施形態は、フレキシブル帯域幅キャリアにわたるＳＲＢの送信電力を増加させることを含む。この送信電力増加は、少なくとも低減された拡散ファクタを補償することができる。
【０２４１】
[0262]場合によっては、少なくとも帯域幅スケーリングファクタまたはチップレートディバイダが２に等しく、通常帯域幅キャリアにわたるＳＲＢのためのＴＴＩが１０ｍｓであり、フレキシブル帯域幅キャリアにわたるＳＲＢのためのＴＴＩが２０ｍｓである。いくつかの場合は、帯域幅スケーリングファクタまたはチップレートディバイダでは４に等しく、通常帯域幅キャリアにわたるＳＲＢのためのＴＴＩが１０ｍｓであり、フレキシブル帯域幅キャリアにわたるＳＲＢのためのＴＴＩが４０ｍｓである場合を含むことができる。これらの例では、通常帯域幅キャリアにわたるＳＲＢのためのＳＲＢレートは、１３．６ｋｂｐｓであり得る。いくつかの例はまた、通常帯域幅キャリアにわたるＳＲＢのためのＳＲＢレートが１３．６／２ｋｂｐｓである状況を含むことができる。
【０２４２】
[0263]図１４Ｂを参照すると、様々な実施形態による、ワイヤレス通信システムのためのフレキシブル帯域幅キャリアにわたるＳＲＢをサポートするための方法１４００−ｂのフローチャート。方法１４００−ｂは、限定はしないが、図１、図２、図３、図１１、図１１、および／または図１３に示されているような基地局１０５、ならびに／あるいは図４に示されているようなデバイス４００、ならびに／あるいは図１、図２、図３、図１１、図１２、および／または図１３に示されているようなＵＥ１１５を含む、様々なワイヤレス通信デバイスを利用して実装され得る。方法１４００−ｂは、図１４Ａの方法１４００−ａの態様の一例であり得る。
【０２４３】
[0264]ブロック１４１０−ａにおいて、少なくとも通常帯域幅キャリアにわたるＳＲＢのためのＳＲＢレートを維持するフレキシブル帯域幅キャリアにわたるＳＲＢのＳＲＢレートを容易にする、フレキシブル帯域幅キャリアにわたるＳＲＢのためのＴＴＩが決定され得る。ブロック１４１２において、少なくとも通常帯域幅キャリアにわたるＳＲＢのためのＳＲＢレートを維持するフレキシブル帯域幅キャリアにわたるＳＲＢのＳＲＢレートを容易にするために、フレキシブル帯域幅キャリアにわたるＳＲＢのための拡散ファクタ（ＳＦ）が決定され得る。ブロック１４２０において、フレキシブル帯域幅キャリアにわたるＳＲＢの送信電力が増加し得る。場合によっては、これは、少なくとも低減された拡散ファクタを補償することができる。この送信電力増加は、通常帯域幅キャリアに関してフレキシブル帯域幅キャリアでＳＦが低減され得るときに、低減されたＳＦ利得を補償するために行われ得る。ＳＦの低減は、スロット当たりのビット数を増加させることができ、所与の絶対時間において通常帯域幅キャリアと比較してフレキシブル帯域幅キャリアで同じビット数を維持することができる。この送信電力増加は、ＳＦが通常帯域幅に対して一定に保たれるときに行われることもあり、これは、たとえば、所与の絶対時間において通常帯域幅キャリアと比較してフレキシブル帯域幅キャリアでより少ないビット数に起因する低減された冗長性を補償することができる。
【０２４４】
[0265]図１４Ｃを参照すると、様々な実施形態による、ワイヤレス通信システムのためのフレキシブル帯域幅キャリアにわたるＳＲＢをサポートするための方法１４００−ｃのフローチャート。方法１４００−ｃは、限定はしないが、図１、図２、図３、図１１、図１１、および／または図１３に示されているような基地局１０５、図４に示されているようなデバイス４００、ならびに／あるいは図１、図２、図３、図１１、図１２、および／または図１３に示されているようなＵＥ１１５を含む、様々なワイヤレス通信デバイスを利用して実装され得る。方法１４００−ｃは、図１４Ａの方法１４００−ａの態様の一例であり得る。
【０２４５】
[0266]ブロック１４０５−ａにおいて、通常帯域幅キャリアにわたるＳＲＢのためのＳＲＢレートが識別され得る。ブロック１４１０−ａにおいて、少なくとも通常帯域幅キャリアにわたるＳＲＢのためのＳＲＢレートを維持するフレキシブル帯域幅キャリアにわたるＳＲＢのＳＲＢレートを容易にする、フレキシブル帯域幅キャリアにわたるＳＲＢのためのＴＴＩが決定され得る。ブロック１４２５において、フレキシブル帯域幅キャリアにわたるＳＲＢのＳＲＢレートを維持するのを支援するために、複数のトランスポートブロックが連結され得る。複数の連結されたトランスポートブロックは、同じ論理チャネルからの２つ以上のトランスポートブロックを含むことができる。複数の連結されたトランスポートブロックは、異なる論理チャネルからの少なくとも２つのトランスポートブロックを含むことができる。ブロック１４３０において、フレキシブル帯域幅キャリアにわたるＳＲＢのための物理チャネルのための拡散ファクタが低減され得る。ブロック１４２０−ａにおいて、フレキシブル帯域幅キャリアにわたるＳＲＢの送信電力が増加し得る。
【０２４６】
[0267]図１４Ｄを参照すると、様々な実施形態による、ワイヤレス通信システムのためのフレキシブル帯域幅キャリアにわたるシグナリングをサポートするための方法１４００−ｄのフローチャート。方法１４００−ｄは、限定はしないが、図１、図２、図３、図１１、図１１、および／または図１３に示されているような基地局１０５、図４に示されているようなデバイス４００、ならびに／あるいは図１、図２、図３、図１１、図１２、および／または図１３に示されているようなＵＥ１１５を含む、様々なワイヤレス通信デバイスを利用して実装され得る。方法１４００−ｄは、図１４Ａの方法１４００−ａの態様の一例であり得る。
【０２４７】
[0268]ブロック１４０５−ｂにおいて、通常帯域幅キャリアにわたるシグナリングのためのシグナリングレートが識別され得る。ブロック１４１０−ｃにおいて、少なくとも通常帯域幅キャリアにわたるシグナリングのシグナリングレートまたは通常帯域幅キャリアにわたるシグナリングのためのシグナリングレートの一部分を維持するフレキシブル帯域幅キャリアにわたるシグナリングのシグナリングレートを容易にするために、フレキシブル帯域幅キャリアにわたるシグナリングのための時間ユニットが決定され得る。ブロック１４１２−ａにおいて、少なくとも通常帯域幅キャリアにわたるシグナリングのためのシグナリングレートまたは通常帯域幅キャリアにわたるシグナリングのためのシグナリングレートの一部分を維持するフレキシブル帯域幅キャリアにわたるシグナリングのシグナリングレートを容易にするために、フレキシブル帯域幅キャリアにわたるシグナリングのための拡散ファクタ（ＳＦ）が決定され得る。ブロック１４１５−ａにおいて、フレキシブル帯域幅キャリアにわたるシグナリングのための決定された時間ユニットおよびＳＦが利用され得る。
【０２４８】
[0269]図１４Ｅを参照すると、様々な実施形態による、ワイヤレス通信システムのためのフレキシブル帯域幅キャリアにわたるＳＲＢをサポートするための方法１４００−ｅのフローチャート。方法１４００−ｅは、限定はしないが、図１、図２、図３、図１１、図１１、および／または図１３に示されているような基地局１０５、図４に示されているようなデバイス４００、ならびに／あるいは図１、図２、図３、図１１、図１２、および／または図１３に示されているようなＵＥ１１５を含む、様々なワイヤレス通信デバイスを利用して実装され得る。方法１４００−ｅは、図１４Ａの方法１４００−ａの態様の一例であり得る。
【０２４９】
[0270]ブロック１４０５−ｃにおいて、通常帯域幅キャリアにわたるＳＲＢのためのＳＲＢレートが識別され得る。ブロック１４１０−ｄにおいて、少なくとも通常帯域幅キャリアにわたるＳＲＢのためのＳＲＢレートを維持するフレキシブル帯域幅キャリアにわたるＳＲＢのＳＲＢレートを容易にする、フレキシブル帯域幅キャリアにわたるＳＲＢのためのＴＴＩが決定され得る。ブロック１４２５−ａにおいて、フレキシブル帯域幅キャリアにわたるＳＲＢのＳＲＢレートを維持するのを支援するために、複数のトランスポートブロックが連結され得る。複数の連結されたトランスポートブロックは、同じ論理チャネルからの２つ以上のトランスポートブロックを含むことができる。複数の連結されたトランスポートブロックは、異なる論理チャネルからの少なくとも２つのトランスポートブロックを含むことができる。ブロック１４２６において、フレキシブル帯域幅キャリアにわたるＳＲＢのＳＲＢレートを維持するのを支援するために、複数のコードブロックが分割され得る。１４２７において、フレキシブル帯域幅キャリアにわたるＳＲＢのＳＲＢレートを維持するのを支援するために、複数の符号化ブロックが連結され得る。ブロック１４３０−ａにおいて、フレキシブル帯域幅キャリアにわたるＳＲＢのための物理チャネルのための拡散ファクタが低減され得る。ブロック１４２０−ａにおいて、フレキシブル帯域幅キャリアにわたるＳＲＢの送信電力が増加し得る。
【０２５０】
[0271]上記の方法１４００−ａ、１４００−ｂ、１４００−ｃ、１４００−ｄ、および／または１４００−ｅのいくつかの実施形態は、通常帯域幅キャリアにわたる場合と同じＳＲＢレートを達成し、Ｄｃｒしたがって送信電力増加によるＳＦの低減を利用することができる。いくつかの他の実施形態は、スケーリングされたＳＲＢレート（たとえば、スケーリングファクタで除算された通常ＢＷキャリアにわたるＳＲＢレート）を達成する。Ｄｃｒまたはスケーリングファクタしたがって送信電力によるＳＦの低減が利用され得る。これらのツールおよび技法は、モバイル側とネットワーク側の両方で実施され得る。
【０２５１】
[0272]添付の図面に関して上記に記載した詳細な説明は、例示的な実施形態について説明しており、実装され得るまたは特許請求の範囲内に入る実施形態がこれらのみであることを表すものではない。この説明全体にわたって使用する「例示的」という用語は、「例、事例、または例示の働きをすること」を意味し、「好ましい」または「他の実施形態よりも有利な」を意味しない。詳細な説明は、説明した技法の理解を与えるために、具体的な詳細を含む。ただし、これらの技法は、これらの具体的な詳細なしに実施され得る。場合によっては、説明した実施形態の概念を不明瞭にしないように、よく知られている構造およびデバイスがブロック図の形態で示される。
【０２５２】
[0273]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０２５３】
[0274]本明細書の開示に関して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０２５４】
[0275]本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体にわたって送信され得る。他の例および実装形態は、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【０２５５】
[0276]コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれる。
【０２５６】
[0277]本開示についての以上の説明は、当業者が本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明する例および設計に限定されるべきでなく、本明細書で開示する原理および新規の特徴に合致する最も広い範囲を与えられるべきである。
以下に本願発明の当初の特許請求の範囲に記載された発明を付記する。
［Ｃ１］
フレキシブル帯域幅キャリアにわたるシグナリングをサポートするための方法であって、
通常帯域幅キャリアにわたるシグナリングのためのシグナリングレートを識別することと、
少なくとも前記通常帯域幅キャリアにわたる前記シグナリングのための前記シグナリングレートまたは前記通常帯域幅キャリアにわたる前記シグナリングのための前記シグナリングレートの一部分を維持する前記フレキシブル帯域幅キャリアにわたるシグナリングのためのシグナリングレートを容易にするために、前記フレキシブル帯域幅キャリアにわたる前記シグナリングのための時間ユニットを決定することと、
前記フレキシブル帯域幅キャリアにわたる前記シグナリングのための前記決定された時間ユニットを利用することと
を備える方法。
［Ｃ２］
前記通常帯域幅キャリアにわたる前記シグナリングは、前記通常帯域幅キャリアにわたるシグナリング無線ベアラ（ＳＲＢ）を備え、前記フレキシブル帯域幅キャリアにわたる前記シグナリングは、前記フレキシブル帯域幅キャリアにわたるＳＲＢを備え、前記通常帯域幅キャリアにわたる前記シグナリングのための前記シグナリングレートは、前記通常帯域幅キャリアにわたる前記ＳＲＢのためのＳＲＢレートを備え、前記フレキシブル帯域幅キャリアにわたる前記シグナリングのための前記シグナリングレートは、前記フレキシブル帯域幅キャリアにわたる前記ＳＲＢのためのＳＲＢレートを備える、
Ｃ１に記載の方法。
［Ｃ３］
前記時間ユニットは、送信時間間隔（ＴＴＩ）を備える、
Ｃ２に記載の方法。
［Ｃ４］
少なくとも前記通常帯域幅キャリアにわたる前記ＳＲＢのための前記ＳＲＢレートまたは前記通常帯域幅キャリアにわたる前記ＳＲＢのための前記シグナリングレートの一部分を維持する前記フレキシブル帯域幅キャリアにわたる前記ＳＲＢのためのＳＲＢレートを容易にするために、前記フレキシブル帯域幅キャリアにわたる前記ＳＲＢのための前記ＴＴＩを決定することは、
少なくとも前記フレキシブル帯域幅キャリアのための帯域幅スケーリングファクタを識別することと、
前記フレキシブル帯域幅キャリアにわたる前記ＳＲＢのための前記ＴＴＩを決定するために、少なくとも前記帯域幅スケーリングファクタを利用することと
を備える、Ｃ３に記載の方法。
［Ｃ５］
少なくとも前記通常帯域幅キャリアにわたる前記ＳＲＢのための前記ＳＲＢレートまたは前記通常帯域幅キャリアにわたる前記ＳＲＢのための前記シグナリングレートの一部分を維持する前記フレキシブル帯域幅キャリアにわたる前記ＳＲＢのためのＳＲＢレートを容易にするために、前記フレキシブル帯域幅キャリアにわたる前記ＳＲＢのための前記ＴＴＩを決定することは、
前記通常帯域幅キャリアにわたる前記ＳＲＢのためのＴＴＩを識別することと、
前記通常帯域幅キャリアにわたる前記ＳＲＢのための前記ＴＴＩに基づいて、前記フレキシブル帯域幅キャリアにわたる前記ＳＲＢのための前記ＴＴＩを決定するために、少なくとも前記フレキシブル帯域幅キャリアに関連する帯域幅スケーリングファクタを利用することと
を備える、Ｃ３に記載の方法。
［Ｃ６］
前記フレキシブル帯域幅キャリアにわたる前記ＳＲＢを搬送する物理チャネルの拡散ファクタを低減することをさらに備える、Ｃ３に記載の方法。
［Ｃ７］
前記フレキシブル帯域幅キャリアにわたる前記ＳＲＢを搬送する前記物理チャネルの前記拡散ファクタを低減することは、
前記フレキシブル帯域幅キャリアのための帯域幅スケーリングファクタで通常拡散ファクタを除算することを備え、前記通常拡散ファクタは、前記通常帯域幅キャリアにわたる前記ＳＲＢを搬送する前記物理チャネルの拡散ファクタを備える、
Ｃ６に記載の方法。
［Ｃ８］
同じ電力スペクトル密度を伴う通常帯域幅キャリアシステムに関して前記フレキシブル帯域幅キャリアにわたる前記ＳＲＢのための送信電力を増加させることをさらに備える、
Ｃ６に記載の方法。
［Ｃ９］
前記送信電力を増加させることは、少なくとも前記低減された拡散ファクタを補償する、
Ｃ８に記載の方法。
［Ｃ１０］
前記フレキシブル帯域幅キャリアのための前記帯域幅スケーリングファクタが、前記フレキシブル帯域幅キャリアのためのチップレートディバイダに等しい、
Ｃ４に記載の方法。
［Ｃ１１］
前記決定されたＴＴＩは、通常帯域幅キャリアシステムに関する有効なＴＴＩである、
Ｃ３に記載の方法。
［Ｃ１２］
前記フレキシブル帯域幅キャリアにわたる前記ＳＲＢのための前記ＳＲＢレートを維持するのを容易にするために、複数のトランスポートブロックを連結することをさらに備える、
Ｃ３に記載の方法。
［Ｃ１３］
前記複数の連結されたトランスポートブロックは、同じ論理チャネルからの２つ以上のトランスポートブロックを含む、
Ｃ１２に記載の方法。
［Ｃ１４］
前記複数の連結されたトランスポートブロックは、異なる論理チャネルからの少なくとも２つのトランスポートブロックを含む、
Ｃ１２に記載の方法。
［Ｃ１５］
前記通常帯域幅キャリアにわたる前記シグナリングのための前記シグナリングレートの前記一部分は、前記フレキシブル帯域幅キャリアのための帯域幅スケーリングファクタまたはチップレートディバイダに基づく拡張されたレートを上回る、
Ｃ１に記載の方法。
［Ｃ１６］
通常帯域幅キャリアにわたるシグナリングのためのシグナリングレートを識別するための手段と、
少なくとも前記通常帯域幅キャリアにわたる前記シグナリングのための前記シグナリングレートまたは前記通常帯域幅キャリアにわたる前記シグナリングのための前記シグナリングレートの一部分を維持する前記フレキシブル帯域幅キャリアにわたるシグナリングのためのシグナリングレートを容易にするために、前記フレキシブル帯域幅キャリアにわたる前記シグナリングのための時間ユニットを決定するための手段と、
前記フレキシブル帯域幅キャリアにわたる前記シグナリングのための前記決定された時間ユニットを利用するための手段と
を備えるワイヤレス通信システム。
［Ｃ１７］
前記通常帯域幅キャリアにわたる前記シグナリングは、前記通常帯域幅キャリアにわたるシグナリング無線ベアラ（ＳＲＢ）を備え、前記フレキシブル帯域幅キャリアにわたる前記シグナリングは、前記フレキシブル帯域幅キャリアにわたるＳＲＢを備え、前記通常帯域幅キャリアにわたる前記シグナリングのための前記シグナリングレートは、前記通常帯域幅キャリアにわたる前記ＳＲＢのためのＳＲＢレートを備え、前記フレキシブル帯域幅キャリアにわたる前記シグナリングのための前記シグナリングレートは、前記フレキシブル帯域幅キャリアにわたる前記ＳＲＢのためのＳＲＢレートを備える、
Ｃ１６に記載のワイヤレス通信システム。
［Ｃ１８］
前記時間ユニットは、送信時間間隔（ＴＴＩ）を備える、
Ｃ１７に記載のワイヤレス通信システム。
［Ｃ１９］
少なくとも前記通常帯域幅キャリアにわたる前記ＳＲＢのための前記ＳＲＢレートまたは前記通常帯域幅キャリアにわたる前記ＳＲＢのための前記シグナリングレートの一部分を維持する前記フレキシブル帯域幅キャリアにわたる前記ＳＲＢのＳＲＢレートを容易にするために、前記フレキシブル帯域幅キャリアにわたる前記ＳＲＢのための前記ＴＴＩを決定するための前記手段は、
少なくとも前記フレキシブル帯域幅キャリアのための帯域幅スケーリングファクタを識別するための手段と、
前記フレキシブル帯域幅キャリアにわたる前記ＳＲＢのための前記ＴＴＩを決定するために、少なくとも前記帯域幅スケーリングファクタを利用するための手段と
を備える、Ｃ１８に記載のワイヤレス通信システム。
［Ｃ２０］
少なくとも前記通常帯域幅キャリアにわたる前記ＳＲＢのための前記ＳＲＢレートまたは前記通常帯域幅キャリアにわたる前記ＳＲＢのための前記シグナリングレートの一部分を維持する前記フレキシブル帯域幅キャリアにわたる前記ＳＲＢのＳＲＢレートを容易にするために、前記フレキシブル帯域幅キャリアにわたる前記ＳＲＢのための前記ＴＴＩを決定するための前記手段は、
前記通常帯域幅キャリアにわたる前記ＳＲＢのためのＴＴＩを識別するための手段と、
前記通常帯域幅キャリアにわたる前記ＳＲＢのための前記ＴＴＩに基づいて、前記フレキシブル帯域幅キャリアにわたる前記ＳＲＢのための前記ＴＴＩを決定するために、少なくとも前記フレキシブル帯域幅キャリアに関連する帯域幅スケーリングファクタを利用するための手段と
を備える、Ｃ１８に記載のワイヤレス通信システム。
［Ｃ２１］
前記フレキシブル帯域幅キャリアにわたる前記ＳＲＢを搬送する物理チャネルの拡散ファクタを低減するための手段をさらに備える、
Ｃ１８に記載のワイヤレス通信システム。
［Ｃ２２］
前記フレキシブル帯域幅キャリアにわたる前記ＳＲＢを搬送する前記物理チャネルの前記拡散ファクタを低減するための前記手段は、
前記フレキシブル帯域幅キャリアのための帯域幅スケーリングファクタで通常拡散ファクタを除算するための手段を備え、前記通常拡散ファクタは、前記通常帯域幅キャリアにわたる前記ＳＲＢを搬送する前記物理チャネルの拡散ファクタを備える、
Ｃ２１に記載のワイヤレス通信システム。
［Ｃ２３］
同じ電力スペクトル密度を伴う通常帯域幅キャリアシステムに関して前記フレキシブル帯域幅キャリアにわたる前記ＳＲＢのための送信電力を増加させるための手段をさらに備える、
Ｃ２１に記載のワイヤレス通信システム。
［Ｃ２４］
前記送信電力を増加させるための前記手段は、少なくとも前記低減された拡散ファクタを補償する、
Ｃ２３に記載のワイヤレス通信システム。
［Ｃ２５］
前記フレキシブル帯域幅キャリアのための前記帯域幅スケーリングファクタは、前記フレキシブル帯域幅キャリアのためのチップレートディバイダに等しい、
Ｃ１９に記載のワイヤレス通信システム。
［Ｃ２６］
前記決定されたＴＴＩは、通常帯域幅キャリアシステムに関する有効なＴＴＩである、
Ｃ１８に記載のワイヤレス通信システム。
［Ｃ２７］
前記フレキシブル帯域幅キャリアにわたる前記ＳＲＢのための前記ＳＲＢレートを維持するのを容易にするために、複数のトランスポートブロックを連結するための手段をさらに備える、
Ｃ１８に記載のワイヤレス通信システム。
［Ｃ２８］
前記複数の連結されたトランスポートブロックは、同じ論理チャネルからの２つ以上のトランスポートブロックを含む、
Ｃ２７に記載のワイヤレス通信システム。
［Ｃ２９］
前記複数の連結されたトランスポートブロックは、異なる論理チャネルからの少なくとも２つのトランスポートブロックを含む、
Ｃ２７に記載のワイヤレス通信システム。
［Ｃ３０］
前記通常帯域幅キャリアにわたる前記シグナリングのための前記シグナリングレートの前記一部分は、前記フレキシブル帯域幅キャリアのための帯域幅スケーリングファクタまたはチップレートディバイダに基づく拡張されたレートを上回る、
Ｃ１６に記載のワイヤレス通信システム。
［Ｃ３１］
ワイヤレス通信システムのためのコンピュータプログラム製品であって、
通常帯域幅キャリアにわたるシグナリングのためのシグナリングレートを識別するためのコードと、
少なくとも前記通常帯域幅キャリアにわたる前記シグナリングのための前記シグナリングレートまたは前記通常帯域幅キャリアにわたる前記シグナリングのための前記シグナリングレートの一部分を維持する前記フレキシブル帯域幅キャリアにわたるシグナリングのためのシグナリングレートを容易にするために、前記フレキシブル帯域幅キャリアにわたる前記シグナリングのための時間ユニットを決定するためのコードと、
前記フレキシブル帯域幅キャリアにわたる前記シグナリングのための前記決定された時間ユニットを利用するためのコードと
を備える、非一時的コンピュータ可読媒体を備える
コンピュータプログラム製品。
［Ｃ３２］
前記通常帯域幅キャリアにわたる前記シグナリングは、前記通常帯域幅キャリアにわたるシグナリング無線ベアラ（ＳＲＢ）を備え、前記フレキシブル帯域幅キャリアにわたる前記シグナリングは、前記フレキシブル帯域幅キャリアにわたるＳＲＢを備え、前記通常帯域幅キャリアにわたる前記シグナリングのための前記シグナリングレートは、前記通常帯域幅キャリアにわたる前記ＳＲＢのためのＳＲＢレートを備え、前記フレキシブル帯域幅キャリアにわたる前記シグナリングのための前記シグナリングレートは、前記フレキシブル帯域幅キャリアにわたる前記ＳＲＢのためのＳＲＢレートを備える、
Ｃ３１に記載のコンピュータプログラム製品。
［Ｃ３３］
前記時間ユニットは送信時間間隔（ＴＴＩ）である、
Ｃ３２に記載のコンピュータプログラム製品。
［Ｃ３４］
少なくとも前記通常帯域幅キャリアにわたる前記ＳＲＢのための前記ＳＲＢレートまたは前記通常帯域幅キャリアにわたる前記ＳＲＢのための前記シグナリングレートの一部分を維持する前記フレキシブル帯域幅キャリアにわたる前記ＳＲＢのＳＲＢレートを容易にするために、前記フレキシブル帯域幅キャリアにわたる前記ＳＲＢのための前記ＴＴＩを決定するための前記コードは、
少なくとも前記フレキシブル帯域幅キャリアのための帯域幅スケーリングファクタを識別するためのコードと、
前記フレキシブル帯域幅キャリアにわたる前記ＳＲＢのための前記ＴＴＩを決定するために、少なくとも前記帯域幅スケーリングファクタを利用するためのコードと
を備える、Ｃ３３に記載のコンピュータプログラム製品。
［Ｃ３５］
少なくとも前記通常帯域幅キャリアにわたる前記ＳＲＢのための前記ＳＲＢレートまたは前記通常帯域幅キャリアにわたる前記ＳＲＢのための前記シグナリングレートの一部分を維持する前記フレキシブル帯域幅キャリアにわたる前記ＳＲＢのＳＲＢレートを容易にするために、前記フレキシブル帯域幅キャリアにわたる前記ＳＲＢのための前記ＴＴＩを決定するための前記コードは、
前記通常帯域幅キャリアにわたる前記ＳＲＢのためのＴＴＩを識別するためのコードと、
前記通常帯域幅キャリアにわたる前記ＳＲＢのための前記ＴＴＩに基づいて、前記フレキシブル帯域幅キャリアにわたる前記ＳＲＢのための前記ＴＴＩを決定するために、少なくとも前記フレキシブル帯域幅キャリアに関連する帯域幅スケーリングファクタを利用するためのコードと
を備える、Ｃ３３に記載のコンピュータプログラム製品。
［Ｃ３６］
前記非一時的コンピュータ可読媒体は、
前記フレキシブル帯域幅キャリアにわたる前記ＳＲＢを搬送する物理チャネルの拡散ファクタを低減するためのコードをさらに備える、
Ｃ３３に記載のコンピュータプログラム製品。
［Ｃ３７］
前記フレキシブル帯域幅キャリアにわたる前記ＳＲＢを搬送する前記物理チャネルの前記拡散ファクタを低減するための前記コードは、
前記フレキシブル帯域幅キャリアのための帯域幅スケーリングファクタで通常拡散ファクタを除算するためのコードを備え、前記通常拡散ファクタが、前記通常帯域幅キャリアにわたる前記ＳＲＢを搬送する前記物理チャネルの拡散ファクタを備える、
Ｃ３６に記載のコンピュータプログラム製品。
［Ｃ３８］
前記非一時的コンピュータ可読媒体は、
同じ電力スペクトル密度を伴う通常帯域幅キャリアシステムに関して前記フレキシブル帯域幅キャリアにわたる前記ＳＲＢのための送信電力を増加させるためのコードをさらに備える、
Ｃ３７に記載のコンピュータプログラム製品。
［Ｃ３９］
前記送信電力を増加させることは、少なくとも前記低減された拡散ファクタを補償する、
Ｃ３８に記載のコンピュータプログラム製品。
［Ｃ４０］
前記フレキシブル帯域幅キャリアのための前記帯域幅スケーリングファクタは、前記フレキシブル帯域幅キャリアのためのチップレートディバイダに等しい、
Ｃ３４に記載のコンピュータプログラム製品。
［Ｃ４１］
前記決定されたＴＴＩは、通常帯域幅キャリアシステムに関する有効なＴＴＩである、
Ｃ３３に記載のコンピュータプログラム製品。
［Ｃ４２］
前記非一時的コンピュータ可読媒体は、
前記フレキシブル帯域幅キャリアにわたる前記ＳＲＢのための前記ＳＲＢレートを維持するのを容易にするために、複数のトランスポートブロックを連結するためのコードをさらに備える、
Ｃ３３に記載のコンピュータプログラム製品。
［Ｃ４３］
前記複数の連結されたトランスポートブロックは、同じ論理チャネルからの２つ以上のトランスポートブロックを含む、
Ｃ４２に記載のコンピュータプログラム製品。
［Ｃ４４］
前記複数の連結されたトランスポートブロックは、異なる論理チャネルからの少なくとも２つのトランスポートブロックを含む、
Ｃ４２に記載のコンピュータプログラム製品。
［Ｃ４５］
前記通常帯域幅キャリアにわたる前記シグナリングのための前記シグナリングレートの前記一部分は、前記フレキシブル帯域幅キャリアのための帯域幅スケーリングファクタまたはチップレートディバイダに基づく拡張されたレートを上回る、
Ｃ３１に記載のコンピュータプログラム製品。
［Ｃ４６］
通常帯域幅キャリアにわたるシグナリングのためのシグナリングレートを識別し、
少なくとも前記通常帯域幅キャリアにわたる前記シグナリングのための前記シグナリングレートまたは前記通常帯域幅キャリアにわたる前記シグナリングのための前記シグナリングレートの一部分を維持する前記フレキシブル帯域幅キャリアにわたるシグナリングのためのシグナリングレートを容易にするために、前記フレキシブル帯域幅キャリアにわたる前記シグナリングのための時間ユニットを決定し、
前記フレキシブル帯域幅キャリアにわたる前記シグナリングのための前記決定された時間ユニットを利用する
ように構成された少なくとも１つのプロセッサと、
前記少なくとも１つのプロセッサに結合された少なくとも１つのメモリと
を備えるワイヤレス通信デバイス。
［Ｃ４７］
前記通常帯域幅キャリアにわたる前記シグナリングは、前記通常帯域幅キャリアにわたるシグナリング無線ベアラ（ＳＲＢ）を備え、前記フレキシブル帯域幅キャリアにわたる前記シグナリングは、前記フレキシブル帯域幅キャリアにわたるＳＲＢを備え、前記通常帯域幅キャリアにわたる前記シグナリングのための前記シグナリングレートは、前記通常帯域幅キャリアにわたる前記ＳＲＢのためのＳＲＢレートを備え、前記フレキシブル帯域幅キャリアにわたる前記シグナリングのための前記シグナリングレートは、前記フレキシブル帯域幅キャリアにわたる前記ＳＲＢのためのＳＲＢレートを備える、
Ｃ４６に記載のワイヤレス通信デバイス。
［Ｃ４８］
前記時間ユニットは、送信時間間隔（ＴＴＩ）である、
Ｃ４７に記載のワイヤレス通信デバイス。
［Ｃ４９］
少なくとも前記通常帯域幅キャリアにわたる前記ＳＲＢのための前記ＳＲＢレートまたは前記通常帯域幅キャリアにわたる前記ＳＲＢのための前記シグナリングレートの一部分を維持する前記フレキシブル帯域幅キャリアにわたる前記ＳＲＢのＳＲＢレートを容易にするために、前記フレキシブル帯域幅キャリアにわたる前記ＳＲＢのための前記ＴＴＩを決定するように構成された前記少なくとも１つのプロセッサは、
少なくとも前記フレキシブル帯域幅キャリアのための帯域幅スケーリングファクタを識別し、
前記フレキシブル帯域幅キャリアにわたる前記ＳＲＢのための前記ＴＴＩを決定するために、少なくとも前記帯域幅スケーリングファクタを利用する
ように構成された、Ｃ４８に記載のワイヤレス通信デバイス。
［Ｃ５０］
少なくとも前記通常帯域幅キャリアにわたる前記ＳＲＢのための前記ＳＲＢレートまたは前記通常帯域幅キャリアにわたる前記ＳＲＢのための前記シグナリングレートの一部分を維持する前記フレキシブル帯域幅キャリアにわたる前記ＳＲＢのＳＲＢレートを容易にするために、前記フレキシブル帯域幅キャリアにわたる前記ＳＲＢのための前記ＴＴＩを決定するように構成された前記少なくとも１つのプロセッサは、
前記通常帯域幅キャリアにわたる前記ＳＲＢのためのＴＴＩを識別し、
前記通常帯域幅キャリアにわたる前記ＳＲＢのための前記ＴＴＩに基づいて、前記フレキシブル帯域幅キャリアにわたる前記ＳＲＢのための前記ＴＴＩを決定するために、少なくとも前記フレキシブル帯域幅キャリアに関連する帯域幅スケーリングファクタを利用する
ように構成された、Ｃ４８に記載のワイヤレス通信デバイス。
［Ｃ５１］
前記少なくとも１つのプロセッサは、
前記フレキシブル帯域幅キャリアにわたる前記ＳＲＢを搬送する物理チャネルの拡散ファクタを低減するようにさらに構成された、
Ｃ４８に記載のワイヤレス通信デバイス。
［Ｃ５２］
前記フレキシブル帯域幅キャリアにわたる前記ＳＲＢを搬送する前記物理チャネルの前記拡散ファクタを低減するように構成された前記少なくとも１つのプロセッサは、
前記フレキシブル帯域幅キャリアのための帯域幅スケーリングファクタで通常拡散ファクタを除算するように構成され、前記通常拡散ファクタは、前記通常帯域幅キャリアにわたる前記ＳＲＢを搬送する前記物理チャネルの拡散ファクタを備える、
Ｃ５１に記載のワイヤレス通信デバイス。
［Ｃ５３］
前記少なくとも１つのプロセッサは、
同じ電力スペクトル密度を伴う通常帯域幅キャリアシステムに関して前記フレキシブル帯域幅キャリアにわたる前記ＳＲＢのための送信電力を増加させるようにさらに構成された、
Ｃ５２に記載のワイヤレス通信デバイス。
［Ｃ５４］
前記送信電力を増加させるように構成された前記少なくとも１つのプロセッサは、少なくとも前記低減された拡散ファクタを補償する、
Ｃ５３に記載のワイヤレス通信デバイス。
［Ｃ５５］
前記フレキシブル帯域幅キャリアのための前記帯域幅スケーリングファクタは、前記フレキシブル帯域幅キャリアのためのチップレートディバイダに等しい、
Ｃ４９に記載のワイヤレス通信デバイス。
［Ｃ５６］
前記決定されたＴＴＩは、通常帯域幅キャリアシステムに関する有効なＴＴＩである、
Ｃ４８に記載のワイヤレス通信デバイス。
［Ｃ５７］
前記少なくとも１つのプロセッサは、
前記フレキシブル帯域幅キャリアにわたる前記ＳＲＢのための前記ＳＲＢレートを維持するのを容易にするために、複数のトランスポートブロックを連結するようにさらに構成される、
Ｃ４８に記載のワイヤレス通信デバイス。
［Ｃ５８］
前記複数の連結されたトランスポートブロックは、同じ論理チャネルからの２つ以上のトランスポートブロックを含む、
Ｃ５７に記載のワイヤレス通信デバイス。
［Ｃ５９］
前記複数の連結されたトランスポートブロックは、異なる論理チャネルからの少なくとも２つのトランスポートブロックを含む、
Ｃ５７に記載のワイヤレス通信デバイス。
［Ｃ６０］
前記通常帯域幅キャリアにわたる前記シグナリングのための前記シグナリングレートの前記一部分は、前記フレキシブル帯域幅キャリアのための帯域幅スケーリングファクタまたはチップレートディバイダに基づく拡張されたレートを上回る、
Ｃ４６に記載のワイヤレス通信デバイス。
【図１】
0005932160.tif 000059
【図２Ａ】
0005932160.tif 000060
【図２Ｂ】
0005932160.tif 000061
【図３】
0005932160.tif 000062
【図４Ａ】
0005932160.tif 000063
【図４Ｂ】
0005932160.tif 000064
【図５Ａ】
0005932160.tif 000065
【図５Ｂ】
0005932160.tif 000066
【図６】
0005932160.tif 000067
【図７Ａ】
0005932160.tif 000068
【図７Ｂ】
0005932160.tif 000069
【図８】
0005932160.tif 000070
【図９】
0005932160.tif 000071
【図１０】
0005932160.tif 000072
【図１１】
0005932160.tif 000073
【図１２】
0005932160.tif 000074
【図１３】
0005932160.tif 000075
【図１４Ａ】
0005932160.tif 000076
【図１４Ｂ】
0005932160.tif 000077
【図１４Ｃ】
0005932160.tif 000078
【図１４Ｄ】
0005932160.tif 000079
【図１４Ｅ】
0005932160.tif 000080